(57)【要約】  情報記録媒体に搭載されたＩＣメモリにアクセスする手段を有していないサーバ装置であっても、情報記録媒体にＩＣメモリが搭載されていることを確認することができる。  可搬型の光ディスク媒体（１００）であって、近接無線通信によってアクセス可能なＩＣメモリ（１０６）と、コンピュータが読み取り可能な記録部（１０１）とを備え、記録部（１０１）は、コンテンツ情報が記録されるためのユーザデータ領域（１０４）と、コンテンツ情報の記録あるいは再生に係る管理情報が記録されるためのディスク管理情報領域（１０３）とを有し、ディスク管理情報領域（１０３）には、光ディスク媒体（１００）を識別するための媒体識別情報と、ＩＣメモリ（１０６）が光ディスク媒体（１００）に備えられていることを示す存在識別情報とが書き換え不可能に記録されている。
2010100918.tif 000002
【特許請求の範囲】
【請求項１】
可搬型の情報記録媒体であって、
近接無線通信によってアクセス可能なＩＣメモリと、
コンピュータが読み取り可能な記録部とを備え、
前記記録部は、
コンテンツ情報が記録されるためのコンテンツ記録領域と、
前記コンテンツ情報の記録あるいは再生に係る管理情報が記録されるための管理情報領域とを有し、
前記管理情報領域には、前記情報記録媒体を識別するための媒体識別情報と、前記ＩＣメモリが前記情報記録媒体に備えられていることを示す存在識別情報とが書き換え不可能に記録されている
情報記録媒体。
【請求項２】
前記ＩＣメモリは、前記管理情報領域に記録される媒体識別情報と同じ識別情報が記録されている書き込み可能領域を有する
請求項１に記載の情報記録媒体。
【請求項３】
前記ＩＣメモリは、前記ＩＣメモリを識別するためのデバイス識別情報であって、前記コンテンツ情報を他の情報記録媒体に複製する時に前記コンテンツ情報を暗号化するために用いられるデバイス識別情報が書き換え不可能に記録されている書き換え不可能領域を有する
請求項１に記載の情報記録媒体。
【請求項４】
前記管理情報領域には、前記ＩＣメモリの書き換え不可能領域に記録されているデバイス識別情報と同じ識別情報が、書き換え不可能に記録されている
請求項３に記載の情報記録媒体。
【請求項５】
前記コンテンツ情報は、他の情報記録媒体に複製され、
前記ＩＣメモリは、前記他の情報記録媒体に記録されている複製されたコンテンツ情報が更新されたことを示す更新識別情報が、書き換え可能に記録される書き換え可能領域を有する
請求項１に記載の情報記録媒体。
【請求項６】
前記コンテンツ情報は、前記情報記録媒体とは異なる他の情報記録媒体に複製され、
前記ＩＣメモリは、前記他の情報記録媒体に記録されている複製されたコンテンツ情報が更新可能であるか否かを示す属性情報が書き換え可能に記録される書き換え可能領域を有する
請求項１に記載の情報記録媒体。
【請求項７】
コンピュータ読み取り可能な記録部を備える可搬型の情報記録媒体を装てんして利用するためのサーバ機器であって、
近接無線通信によってアクセス可能なＩＣメモリが前記情報記録媒体に備えられているか否かを示す存在識別情報を前記記録部から読み出す存在識別情報読み出し部と、
前記情報記録媒体を識別するための媒体識別情報を前記記録部から読み出す媒体識別情報読み出し部と、
前記記録部からコンテンツ情報を読み出すコンテンツ情報読み出し部と、
前記コンテンツ情報の複製を複製コンテンツ情報として生成する複製コンテンツ情報生成部と、
前記複製コンテンツ情報を記憶するための複製コンテンツ情報記憶部と、
生成された前記複製コンテンツ情報を、読み出された前記媒体識別情報に対応付けて前記複製コンテンツ情報記憶部に登録する複製コンテンツ情報記憶制御部と、
前記存在識別情報が前記情報記録媒体に前記ＩＣメモリが備えられていることを示している場合に、前記複製コンテンツ情報生成部に前記複製コンテンツ情報を生成させ、前記存在識別情報が前記情報記録媒体に前記ＩＣメモリが備えられていないことを示している場合に、前記複製コンテンツ情報生成部に前記複製コンテンツ情報を生成させない複製コンテンツ情報生成制御部とを備える
サーバ機器。
【請求項８】
前記複製コンテンツ情報生成部は、前記記録部に記録されたデータのイメージファイルを前記複製コンテンツ情報として生成する
請求項７に記載のサーバ機器。
【請求項９】
前記ＩＣメモリには、さらに、前記ＩＣメモリごとに識別可能なデバイス識別情報が書き換え不可能に記録されており、
前記サーバ機器は、さらに、
前記ＩＣメモリから前記デバイス識別情報を読み出すデバイス識別情報読み出し部と、
前記複製コンテンツ情報を前記デバイス識別情報に基づいて暗号化する暗号化部とを備え、
前記複製コンテンツ情報記憶制御部は、暗号化された前記複製コンテンツ情報を前記複製コンテンツ情報記憶部に登録する
請求項７に記載のサーバ機器。
【請求項１０】
前記記録部には、さらに、前記ＩＣメモリごとに識別可能なデバイス識別情報が書き換え不可能に記録されており、
前記サーバ機器は、さらに、
前記記録部から前記デバイス識別情報を読み出すデバイス識別情報読み出し部と、
前記複製コンテンツ情報を前記デバイス識別情報に基づいて暗号化する暗号化部とを備え、
前記複製コンテンツ情報記憶制御部は、暗号化された前記複製コンテンツ情報を前記複製コンテンツ情報記憶部に登録する
請求項７に記載のサーバ機器。
【請求項１１】
前記サーバ機器は、さらに、
通信ネットワークを介して接続されている端末機器から、前記情報記録媒体の媒体識別情報を受信し、受信した媒体識別情報に基づいて、前記媒体識別情報に対応付けて記憶されている複製コンテンツ情報を前記複製コンテンツ情報記憶部から読み出し、読み出した複製コンテンツ情報を前記端末機器に送信する通信部を備える
請求項７に記載のサーバ機器。
【請求項１２】
前記サーバ機器は、さらに、
前記媒体識別情報読み出し部によって読み出された媒体識別情報に対応する複製コンテンツ情報が更新されているか否かを判定する更新確認部と、
前記更新確認部によって複製コンテンツ情報が更新されていると判定された場合に、前記複製コンテンツ情報記憶部に記憶されている前記複製コンテンツ情報に基づいて、前記サーバ機器に装てんされる前記情報記録媒体の記録内容を更新する媒体更新部とを備える
請求項７に記載のサーバ機器。
【請求項１３】
前記複製コンテンツ情報記憶部には、さらに、媒体識別情報に対応付けて、対応する複製コンテンツ情報が更新されているか否かを示す更新識別情報が記憶され、
前記更新確認部は、前記複製コンテンツ情報記憶部に記憶されている前記更新識別情報に基づいて、前記複製コンテンツ情報が更新されているか否かを判定する
請求項１２に記載のサーバ機器。
【請求項１４】
前記サーバ機器は、さらに、
前記複製コンテンツ情報が更新されているか否かを示す更新識別情報を前記ＩＣメモリから近接無線通信によって読み出す更新識別情報読み出し部を備え、
前記更新確認部は、読み出された更新識別情報に基づいて、前記複製コンテンツ情報が更新されているか否かを判定する
請求項１２に記載のサーバ機器。
【請求項１５】
前記複製コンテンツ情報生成部は、前記記録部に記録されたデータのイメージファイルを前記複製コンテンツ情報として生成し、
前記更新確認部は、前記サーバ機器に装てんされた情報記録媒体の記録部に記録されたファイル管理情報と、前記複製コンテンツ情報が示すファイル管理情報とを比較することにより、前記複製コンテンツ情報が更新されているか否かを判定する
請求項１２に記載のサーバ機器。
【請求項１６】
前記サーバ機器は、さらに、
通信ネットワークを介して接続された端末機器から媒体識別情報を受信する受信部と、
新たな媒体識別情報を生成する媒体識別情報生成部と、
生成された新たな媒体識別情報を、前記端末機器に送信する送信部とを備え、
前記複製コンテンツ情報記憶制御部は、前記複製コンテンツ情報記憶部に、前記受信部によって受信された媒体識別情報に対応付けて記憶されている前記複製コンテンツ情報を、前記新たな媒体識別情報に対応付けて記憶する
請求項７に記載のサーバ機器。
【請求項１７】
前記サーバ機器は、さらに、
前記ＩＣメモリから近接無線通信を介して、前記ＩＣメモリごとに識別可能なデバイス識別情報を読み出すデバイス識別情報読出部を備え、
複製コンテンツ情報記憶制御部は、読み出されたデバイス識別情報と、前記媒体識別情報とを関連付けて管理する
請求項７に記載のサーバ機器。
【請求項１８】
可搬型の情報記録媒体であってコンピュータ読み取り可能な記録部を備える情報記録媒体の利用管理方法であって、
近接無線通信によってアクセス可能なＩＣメモリが前記情報記録媒体に備えられているか否かを示す存在識別情報を前記記録部から読み出す存在識別情報読み出しステップと、
前記情報記録媒体を識別するための媒体識別情報を前記記録部から読み出す媒体識別情報読み出しステップと、
前記記録部からコンテンツ情報を読み出すコンテンツ情報読み出しステップと、
前記コンテンツ情報の複製を複製コンテンツ情報として生成する複製コンテンツ情報生成ステップと、
生成された前記複製コンテンツ情報を、読み出された前記媒体識別情報に対応付けて複製コンテンツ情報記憶部に登録する複製コンテンツ情報記憶制御ステップとを含み、
前記複製コンテンツ情報生成ステップでは、
前記存在識別情報が前記情報記録媒体に前記ＩＣメモリが備えられていることを示している場合に、前記複製コンテンツ情報を生成し、
前記存在識別情報が前記情報記録媒体に前記ＩＣメモリが備えられていないことを示している場合に、前記複製コンテンツ情報を生成しない
情報記録媒体の利用管理方法。
【発明の詳細な説明】
【技術分野】
【０００１】
本発明は、近接無線通信可能なＩＣメモリを搭載する情報記録媒体と、それを利用するサーバ機器、および情報記録媒体の利用管理方法に関する。
【背景技術】
【０００２】
従来、近接無線通信可能なＩＣメモリを搭載する情報記録媒体において、ＩＣメモリから非接触で識別情報を読み出し、読み出した識別情報に対応する情報記録媒体のインデックス情報を表示装置などに表示することによって、情報記録媒体を読み出し装置に装てんすることなく簡単にインデックス情報を確認できるという発明が開示されている。これによって、光ディスクを記録再生装置に装着しなくてもリモコンを光ディスクに近づけるだけで、各々の光ディスクの中に記録されたコンテンツの中身のサムネイルを動画もしくは静止画で確認できる（例えば、特許文献１を参照）。【０００３】
また、近接無線通信可能なＩＣメモリを搭載する情報記録媒体において、ＩＣメモリに媒体ＩＤ番号を記録し、この媒体ＩＤ番号を非接触に読み出すことによって、ＩＣメモリを搭載した光ディスクに記録されているコンテンツのタイトルの名称、当該タイトルの録画時のチャンネル、録画日、録画開始時刻、録画時間、録画終了時刻、録画モード等のデータと、ディスク残量データなどを表示装置に表示させることができることが開示されている（例えば、特許文献２を参照）。【０００４】
また、光ディスクがローディングされる時に、光ディスクの信号面の所定領域に記録されている情報（例えば、ＢＣＡ（Ｂｕｒｓｔ  Ｃｕｔｔｉｎｇ  Ａｒｅａ：バースト・カッティング・エリア）に形成されたバーコードによって示される媒体識別情報など）を読み取り、光ディスク内に格納されているコンテンツ情報を特定するためのタイトル情報と光ディスクとの関連付けを行って保持する。一方、光ディスクには、光ディスクの識別情報が格納されたレーベルバーコードが印刷されている。ユーザは、光ディスクを手元に置いた状態で、リモコンのバーコード読み取り部によってレーベルバーコード内の情報を読み取り、データ記録再生装置に送る。データ記録再生装置は、受信したレーベルバーコード内の情報に基づいて光ディスクを特定し、コンテンツデータに係る情報をモニタに表示することが開示されている（例えば、特許文献３を参照）。
【先行技術文献】
【特許文献】
【０００５】
【特許文献１】国際公開第２００４／０３６５６０号パンフレット
【特許文献２】特開２００５−１１６０７７号公報
【特許文献３】特開２００６−２２１７２５号公報
【発明の概要】
【発明が解決しようとする課題】
【０００６】
しかしながら、上記の従来の構成では、例えば、ＩＣメモリを搭載する情報記録媒体のみが情報記録媒体に記録しているコンテンツ情報の複製を認められている場合に、近接無線通信手段を有していなければ、情報記録媒体にＩＣメモリが搭載されていてもコンテンツ情報を複製することができない。【０００７】
そこで、本発明は、上記課題に鑑みてなされたものであり、情報記録媒体に搭載されたＩＣメモリにアクセスする手段を有していないサーバ装置であっても、情報記録媒体にＩＣメモリが搭載されていることを確認することができる情報記録媒体等を提供することを目的とする。
【課題を解決するための手段】
【０００８】
上記目的を達成するために、本発明の一態様に係る情報記録媒体は、可搬型の情報記録媒体であって、近接無線通信によってアクセス可能なＩＣメモリと、コンピュータが読み取り可能な記録部とを備え、前記記録部は、コンテンツ情報が記録されるためのコンテンツ記録領域と、前記コンテンツ情報の記録あるいは再生に係る管理情報が記録されるための管理情報領域とを有し、前記管理情報領域には、前記情報記録媒体を識別するための媒体識別情報と、前記ＩＣメモリが前記情報記録媒体に備えられていることを示す存在識別情報とが書き換え不可能に記録されている。【０００９】
これによって、ＩＣメモリにアクセスする手段を有していないサーバ機器であっても、コンピュータ読み取り可能な記録部に記録された存在識別情報を読み出すことにより、ＩＣメモリが情報記録媒体に搭載されているか否かを判定することができる。その結果、サーバ機器は、情報記録媒体にＩＣメモリが搭載されている場合のみ、記録部に記録されたコンテンツ情報を複製することが可能となる。【００１０】
また、本発明の一態様に係るサーバ機器は、コンピュータ読み取り可能な記録部を備える可搬型の情報記録媒体を装てんして利用するためのサーバ機器であって、近接無線通信によってアクセス可能なＩＣメモリが前記情報記録媒体に備えられているか否かを示す存在識別情報を前記記録部から読み出す存在識別情報読み出し部と、前記情報記録媒体を識別するための媒体識別情報を前記記録部から読み出す媒体識別情報読み出し部と、  前記記録部からコンテンツ情報を読み出すコンテンツ情報読み出し部と、前記コンテンツ情報の複製を複製コンテンツ情報として生成する複製コンテンツ情報生成部と、前記複製コンテンツ情報を記憶するための複製コンテンツ情報記憶部と、生成された前記複製コンテンツ情報を、読み出された前記媒体識別情報に対応付けて前記複製コンテンツ情報記憶部に登録する複製コンテンツ情報記憶制御部と、前記存在識別情報が前記情報記録媒体に前記ＩＣメモリが備えられていることを示している場合に、前記複製コンテンツ情報生成部に前記複製コンテンツ情報を生成させ、前記存在識別情報が前記情報記録媒体に前記ＩＣメモリが備えられていないことを示している場合に、前記複製コンテンツ情報生成部に前記複製コンテンツ情報を生成させない複製コンテンツ情報生成制御部とを備える。【００１１】
これにより、情報記録媒体に搭載されているＩＣメモリにアクセスする手段を有していなくても、情報記録媒体の記録部から存在識別情報を読み出すことにより、情報記録媒体にＩＣメモリが搭載されているか否かを判定することができる。その結果、情報記録媒体がＩＣメモリを搭載している場合のみ、複製コンテンツ情報を生成することができる。また、媒体識別情報に対応付けて複製コンテンツ情報を管理することによって、情報記録媒体と複製コンテンツ情報とを一元的に管理することが可能となる。【００１２】
また、本発明の一態様に係る情報記録媒体の利用管理方法は、可搬型の情報記録媒体であってコンピュータ読み取り可能な記録部を備える情報記録媒体の利用管理方法であって、近接無線通信によってアクセス可能なＩＣメモリが前記情報記録媒体に備えられているか否かを示す存在識別情報を前記記録部から読み出す存在識別情報読み出しステップと、前記情報記録媒体を識別するための媒体識別情報を前記記録部から読み出す媒体識別情報読み出しステップと、前記記録部からコンテンツ情報を読み出すコンテンツ情報読み出しステップと、前記コンテンツ情報の複製を複製コンテンツ情報として生成する複製コンテンツ情報生成ステップと、生成された前記複製コンテンツ情報を、読み出された前記媒体識別情報に対応付けて複製コンテンツ情報記憶部に登録する複製コンテンツ情報記憶制御ステップとを含み、前記複製コンテンツ情報生成ステップでは、前記存在識別情報が前記情報記録媒体に前記ＩＣメモリが備えられていることを示している場合に、前記複製コンテンツ情報を生成し、前記存在識別情報が前記情報記録媒体に前記ＩＣメモリが備えられていないことを示している場合に、前記複製コンテンツ情報を生成しない。【００１３】
これにより、上記サーバ機器と同様の効果を奏することができる。
【発明の効果】
【００１４】
以上の説明から明らかなように、本発明の一態様に係る情報記録媒体等によれば、ＩＣメモリにアクセスする手段を有しないサーバ機器であっても、コンピュータ読み取り可能な記録部に記録された存在識別情報を読み出すことにより、ＩＣメモリが情報記録媒体に搭載されているか否かを判定することができる。その結果、サーバ機器は、情報記録媒体にＩＣメモリが搭載されている場合のみ、記録部に記録されたコンテンツ情報を複製することが可能となる。
【図面の簡単な説明】
【００１５】
【図１】図１は、本発明の実施の形態１に係る光ディスク媒体を示す外観図である。
【図２】図２は、ＢＣＡに記録されるＢＣＡ情報のデータ構造の一例を示す図である。
【図３】図３は、ＩＣメモリの記録領域と、その記録領域に記録されるデータのデータ構造を示す図である。
【図４】図４は、本発明の実施の形態１に係る情報記録媒体を利用するシステムの概念図である。
【図５】図５は、本発明の実施の形態１に係るサーバ機器の特徴的な構成を示すブロック図である。
【図６】図６は、イメージファイル記憶部に記憶されるデータの内部データ構造を示す図である。
【図７】図７は、本発明の実施の形態１に係るサーバ機器のイメージファイル生成処理およびイメージファイル更新処理の流れを示すフローチャートである。
【図８】図８は、本発明の実施の形態１に係るサーバ機器が端末機器から情報を受信した時の動作を示すフローチャートである。
【図９】図９は、本発明の実施の形態１に係る端末機器の特徴的な構成を示すブロック図である。
【図１０】図１０は、本発明の実施の形態１に係る端末機器において、イメージファイルの再生および更新を行うときの処理の流れを示すフローチャートである。
【図１１】図１１は、本発明の実施の形態２に係る情報記録媒体を利用するシステムの概念図である。
【図１２】図１２は、本発明の実施の形態２に係るサーバ機器の特徴的な構成を示すブロック図である。
【図１３】図１３は、本発明の実施の形態２に係るサーバ機器におけるイメージファイル作成処理の流れを示すフローチャートである。
【図１４】図１４は、本発明の実施の形態２に係る端末機器の特徴的な構成を示すブロック図である。
【図１５】図１５は、本発明の実施の形態２に係る端末機器におけるイメージファイル更新手続きを示すフローチャートである。
【図１６】図１６は、Ｂｌｕ−ｒａｙディスクなどの著作権保護規格ＡＡＣＳにて認められているＭａｎａｇｅｄＣｏｐｙを説明するための図である。
【図１７】図１７は、本発明の実施の形態３に係るシステムの概念図である。
【図１８】図１８は、本発明の実施の形態３に係る端末機器における動作を示すフローチャートである。
【図１９】図１９は、本発明の実施の形態３に係るサーバ機器の特徴的な構成を示すブロック図である。
【図２０】図２０は、本発明の実施の形態３に係るサーバ機器における処理の流れを示すフローチャートである。
【図２１】図２１は、本発明の変形例に係るサーバ機器の構成を示すブロック図である。
【発明を実施するための形態】
【００１６】
以下、本発明の実施の形態について、図面を参照しながら説明する。
【００１７】
（実施の形態１）
図１は、本発明の実施の形態１に係る光ディスク媒体を示す外観図である。
【００１８】
光ディスク媒体１００は、情報記録媒体の一例であり、少なくとも、記録部１０１と、ＩＣメモリ１０６とを備える。記録部１０１は、コンピュータ読み取り可能な記録領域を有する。具体的には、記録部１０１は、バースト・カッティング・エリア（ＢＣＡ）１０２を含むディスク管理情報領域１０３と、ユーザデータ領域１０４とを、記録領域として有する。また、本実施の形態では、光ディスク媒体１００は、さらに、近接無線通信アンテナ１０５と、クランプ領域１０７とを有する。
【００１９】
クランプ領域１０７は、光ディスク媒体１００に対して情報の記録または再生を行う光ディスク装置内のクランパー（図示せず）によって、光ディスク媒体１００がクランプされる領域である。なお、本実施の形態では、クランプ領域１０７に、近接無線通信アンテナ１０５およびＩＣメモリ１０６が配置される。
【００２０】
ＢＣＡ１０２には、光ディスクの半径方向に長いバーマークを円周上に並べた、図１に示すようなバーコードによって予めＢＣＡ情報が記録されている。
【００２１】
前記バーコードは、光ディスク媒体１００の製造時において形成される。例えば、光ディスク媒体１００の記録膜の初期化後に、記録膜、反射膜などをレーザトリミングにより除去することで、前記バーコードが形成される。そのため、バーコードにより記録されるＢＣＡ情報は、書き換え不可能な再生専用のデータとなる。
【００２２】
また、前記バーコードによって記録されたＢＣＡ情報の読み取りに関しては、光ディスク媒体１００を装着した光ディスク装置が、光ディスク媒体１００を回転させて、ＢＣＡ１０２にレーザ光を照射することで、バーコードの有無により反射光レベルが変化するバーコードデータ、すなわち再生信号が得られる。
【００２３】
図２は、ＢＣＡ１０２に記録されるＢＣＡ情報のデータ構造の一例を示す図である。
【００２４】
図２において、データ構造は、タイプ識別情報２０１と、ＩＣ識別子２０２と、予備情報２０３および２０４と、デバイスＩＤ２０５と、メディアＩＤ２０６とから構成される。図２のように、各情報は、１Ｂｙｔｅ単位でデータが記録され、例えば４Ｂｙｔｅ単位で配列化される。
【００２５】
タイプ識別情報２０１は、光ディスク媒体のタイプを識別するための情報である。タイプ識別情報２０１は、例えば、光ディスク媒体の種類（例えば、ＣＤ、ＤＶＤ、ＢＤ）、光ディスク媒体のディスク特性（例えば、再生専用、追記型、書き換え型など）を示す。
【００２６】
また、タイプ識別情報２０１のデータ量としては、例えば１Ｂｙｔｅである。
【００２７】
ＩＣ識別子２０２は、ＩＣメモリ１０６が存在するか否かを識別するための情報である。つまり、ＩＣ識別子２０２は、ＩＣメモリ１０６が光ディスク媒体１００に備えられていることを示す存在識別情報に相当する。
【００２８】
また、ＩＣ識別子２０２のデータ量は、例えば１Ｂｙｔｅである。
【００２９】
予備情報２０３および２０４には、今後追加され得る情報の記録領域として確保される情報である。
【００３０】
また、予備情報２０３および２０４のデータ量は、例えば１Ｂｙｔｅである。なお、予備情報２０３および２０４は、記録する情報がないために、例えば０埋めされる。
【００３１】
デバイスＩＤ２０５は、ＩＣメモリ１０６を識別するためのデバイス識別情報である。
【００３２】
デバイス識別情報は、例えば、ＩＣメモリ１０６の個別情報としての固有番号（例えば、製造番号）である。
【００３３】
また、デバイスＩＤ２０５のデータ量は、例えば１６Ｂｙｔｅである。
【００３４】
メディアＩＤ２０６は、光ディスク媒体１００を識別するための媒体識別情報である。
【００３５】
メディアＩＤ２０６としては、例えば、光ディスク媒体の個別情報としての固有番号（例えば、製造番号）、ユーザデータ領域１０４で記録されるデータに対する著作権情報、ディスク特性情報などが利用される。なお、ディスク特性情報は、光ディスク媒体の記録層の層数、ユーザデータ領域１０４で記録されるデータの記録容量または記録密度、アドレス管理方法の識別情報などを含む。
【００３６】
また、メディアＩＤ２０６のデータ量は、例えば１６Ｂｙｔｅである。
【００３７】
ディスク管理情報領域１０３は、ディスク特性情報が記憶されている領域、および光ディスク装置が光ディスク媒体に関する情報を記録して情報管理するための領域から構成される。
【００３８】
このディスク特性情報は、例えば図２のメディアＩＤ２０６で説明した、光ディスク媒体の記録層の層数、ユーザデータ領域１０４で記録されるデータの記録容量または記録密度、アドレス管理方法の識別情報などを含む。また、ディスク特性情報には、例えばユーザデータ領域１０４で記録されるデータを記録または再生する際のレーザ出力パワーなども含まれる。
【００３９】
また、光ディスク装置が情報管理する情報は、例えば、光ディスク媒体の欠陥情報、ユーザデータ領域１０４にデータを記録したアドレス情報、記録再生動作を行った光ディスク装置の固有情報などである。
【００４０】
ユーザデータ領域１０４は、ユーザが任意のデータを記録または再生し得るように構成されている。前記任意のデータは、例えば、オーディオデータ、ビジュアル（ビデオ）データなどのユーザデータである。なお、ユーザデータ領域１０４は、コンテンツ情報記録領域に相当する。
【００４１】
近接無線通信アンテナ１０５は、電磁誘導が生じるためのアンテナであり、例えば非接触通信用アンテナ（ループアンテナ）である。近接無線通信アンテナ１０５は、少なくとも１周以上巻かれ、ＩＣメモリ１０６に接続されている。
【００４２】
ＩＣメモリ１０６は、データの記憶や演算処理などの機能を有する集積回路であり、半導体メモリとも呼ばれる。
【００４３】
ＩＣメモリ１０６は、外部から送信された通信電波を近接無線通信アンテナ１０５を介して受信し、この受信信号に基づいた電力を生成するするとともに、受信信号に関するデータをＩＣメモリ１０６内部に記憶する、もしくはＩＣメモリ１０６内部に記憶されているデータを、近接無線通信アンテナ１０５を介して外部に送信する制御機能を有する。また、この送信は、受信する電波の反射波にＩＣメモリの記憶内容に基づく信号を乗せて行う。
【００４４】
このように、光ディスク媒体１００は、近接無線通信アンテナ１０５およびＩＣメモリ１０６により、電磁気が作用する近接領域において、電磁誘導を利用した近接無線通信が実行可能となる。
【００４５】
図３は、ＩＣメモリ１０６の記録領域と、その記録領域に記録されるデータのデータ構造を示す図である。
【００４６】
ＩＣメモリ１０６は、書き換え不可能領域３０１と、書き込み可能領域３０２と、書き換え可能領域３０３とを有する。
【００４７】
書き換え不可能領域３０１は、再生専用の領域であり、リードオンリー領域（Ｒｅａｄ−Ｏｎｌｙ  Ａｒｅａ）とも呼ばれる。書き換え不可能領域３０１には、ＩＣメモリ固有の情報であるデバイスＩＤ３０４が記録される。
【００４８】
デバイスＩＤ３０４は、ＢＣＡ１０２に記録されるデバイスＩＤ２０５と同じ情報であり、ＩＣメモリ１０６を識別するための固有番号（例えば、製造番号）である。
【００４９】
書き込み可能領域３０２は、データの書き込みが可能な領域であり、保護領域（Ｐｒｏｔｅｃｔｅｄ  Ａｒｅａ）とも呼ばれる。書き込み可能領域３０２には、暗号鍵３０５およびメディアＩＤ３０６が記録される。書き込み可能領域３０２は、ＩＣメモリ１０６とＩＣメモリ１０６のリーダライタとが相互に認証しあった後に、当該リーダライタによるアクセスが許可される領域である。
【００５０】
暗号鍵３０５は、ＩＣメモリ１０６にアクセスして、情報の読み出しを行う際に必要となる暗号化情報、および光ディスク媒体１００のユーザデータ領域１０４で記録されるデータに対する著作権情報（暗号化情報）である。
【００５１】
メディアＩＤ３０６は、ＢＣＡ１０２に記録されるメディアＩＤ２０６と同様に、光ディスク媒体の個別情報としての固有番号（例えば、製造番号）である。
【００５２】
したがって、暗号鍵３０５およびメディアＩＤ３０６に関する情報は、新たに更新する必要のない情報であるため、書き込み可能領域３０２では、一度記録された情報は保護される。
【００５３】
書き換え可能領域３０３は、データの書き換えが可能な領域であり、システム領域（Ｓｙｓｔｅｍ  Ａｒｅａ）とも呼ばれる。書き換え可能領域３０３には、サーバアドレス３０７およびユーザコード３０８が記録される。
【００５４】
サーバアドレス３０７は、光ディスク媒体１００のユーザデータ領域１０４に記録されるデータを複製コンテンツ情報として、コピーまたはムーブした先のサーバが特定できるアドレス情報である。サーバアドレス３０７は、例えばサーバの個別情報としての固有番号（例えば、製造番号）や、ＩＰアドレスの設定値などである。
【００５５】
ユーザコード３０８は、前記サーバに記録されたコピーまたはムーブされたデータにアクセス可能なユーザが特定できる情報である。ユーザコード３０８は、例えばユーザの個人情報、あるいはパスワードである。
【００５６】
以上が本発明の実施の形態１に係る光ディスク媒体に関する説明である。
【００５７】
図４は、本発明の実施の形態１に係る情報記録媒体を利用するシステムの概念図である。本実施の形態に係るシステムは、サーバ機器４０２と、端末機器４０５とを備える。
【００５８】
サーバ機器４０２は、光ディスクドライブ（図示しない、サーバ機器４０２に内蔵）とイメージファイル記憶部４０３とを有し、インターネットなどの広域通信網４０４に接続されている。光ディスクドライブは、光ディスク媒体１００に記録された情報の再生、および光ディスク媒体１００への情報の記録を行う。イメージファイル記憶部４０３には、再生された光ディスク媒体１００から得られる情報を、デバイスＩＤ２０５に基づいて暗号化して作成したイメージファイルが記憶される。なお、イメージファイルは、複製コンテンツ情報の一例である。また、イメージファイル記憶部４０３は、複製コンテンツ情報を記憶するための複製コンテンツ情報記憶部に相当する。
【００５９】
ここで、イメージファイルとは、ファイルシステムの内容と構造とを格納しているデータである。つまり、イメージファイルとは、ファイル構造およびフォルダ構造が保たれた状態で複製されたデータである。
【００６０】
端末機器４０５は、近接無線通信部４０６を有する。近接無線通信部４０６は、光ディスク媒体１００のＩＣメモリ１０６からメディアＩＤ３０６を読み取る。読み取ったメディアＩＤ３０６に基づいて、広域通信網４０４を介してイメージファイル記憶部４０３に記憶されたイメージファイルの再生や更新を行う。
【００６１】
また、端末機器４０５は、通信ネットワークアクセス手段として無線ＬＡＮアンテナ４０７を有する。端末機器４０５は、無線ＬＡＮアンテナ４０７を用いて、広域通信網４０４に接続されたアクセスポイント４０８に接続することによって、広域通信網４０４へアクセスすることができる。したがって、端末機器４０５は、広域通信網４０４を通じてサーバ機器４０２との間に通信を確立することが可能となる。
【００６２】
なお、サーバ機器４０２と端末機器４０５とは、必ずしも広域通信網４０４に接続される必要はない。サーバ機器４０２と端末機器４０５とは、互いに通信可能なように接続されればよく、例えば、ＬＡＮ（Ｌｏｃａｌ  Ａｒｅａ  Ｎｅｔｗｏｒｋ）などに接続されていてもよい。
【００６３】
次に、サーバ機器４０２の詳細について説明する。
【００６４】
図５は、本発明の実施の形態１に係るサーバ機器４０２の特徴的な構成を示すブロック図である。
【００６５】
図５に示すように、サーバ機器４０２は、イメージファイル記憶部４０３と、光ヘッド５０１と、アナログ再生処理部５０２と、ＢＣＡ再生部５０３と、ＩＣメモリ存在識別情報判定部５０４と、媒体識別情報読み出し部５０５と、デバイス識別情報読み出し部５０６と、暗号化鍵生成部５０７と、暗号化部５０８と、更新確認部５０９と、デジタル再生処理部５１１と、ファイル管理情報読み出し部５１２と、イメージファイル生成部５１３と、イメージファイル生成制御部５１４と、イメージファイル記憶制御部５１５と、イメージファイル抽出部５１６と、復号化部５１７と、媒体記録更新部５１８と、記録信号生成部５１９と、通信部５２０と、媒体識別情報判定部５２３と、媒体タイプ判定部５２４と、イメージファイル再生部５２５と、イメージファイル更新部５２６と、更新識別情報生成部５２７とを備える。
【００６６】
光ヘッド５０１は、光ディスク媒体１００に対して光ビームを照射し、光ディスク媒体１００からの反射光量に基づいた受光信号をアナログ再生処理部５０２へ出力する。
【００６７】
アナログ再生処理部５０２は、受光信号に対して所定のアナログ再生処理を施して得られるアナログ再生信号をＢＣＡ再生部５０３およびデジタル再生処理部５１１へ出力する。
【００６８】
ＢＣＡ再生部５０３は、光ディスク媒体１００に形成されたＢＣＡから得られるアナログ再生信号からＢＣＡ情報を読み出す。そして、ＢＣＡ再生部５０３は、読み出したＢＣＡ情報を、ＩＣメモリ存在識別情報判定部５０４、媒体識別情報読み出し部５０５およびデバイス識別情報読み出し部５０６へそれぞれ出力する。
【００６９】
ＩＣメモリ存在識別情報判定部５０４は、存在識別情報読み出し部に相当し、光ヘッド５０１、アナログ再生処理部５０２およびＢＣＡ再生部５０３を介して、ＢＣＡ情報に含まれるＩＣ識別子を読み出す。さらに、ＩＣメモリ存在識別情報判定部５０４は、ＢＣＡ情報に含まれるＩＣ識別子に基づいて、光ディスク媒体１００にＩＣメモリ１０６が搭載されているか否かを判定する。そして、ＩＣメモリ存在識別情報判定部５０４は、ＩＣメモリが搭載されていると判定した場合、ＩＣメモリ存在識別信号をＢＣＡ再生部５０３およびイメージファイル生成制御部５１４へ出力する。
【００７０】
媒体識別情報読み出し部５０５は、ＢＣＡ情報から媒体識別情報を抽出し、媒体識別情報をイメージファイル記憶制御部５１５へ出力する。つまり、媒体識別情報読み出し部５０５は、光ディスク媒体１００の記録部１０１から媒体識別情報を読み出す。
【００７１】
デバイス識別情報読み出し部５０６は、ＢＣＡ情報からデバイス識別情報を抽出し、デバイス識別情報をイメージファイル記憶制御部５１５および暗号化鍵生成部５０７へ出力する。つまり、デバイス識別情報読み出し部５０６は、光ディスク媒体１００の記録部１０１からデバイス識別情報を読み出す。
【００７２】
暗号化鍵生成部５０７は、ＢＣＡから読み出したデバイス識別情報を基に暗号化鍵を生成し、暗号化鍵を暗号化部５０８および復号化部５１７へ出力する。
【００７３】
デジタル再生処理部５１１は、アナログ再生信号に対して所定のデジタル再生処理を施すことによりデジタルデータを生成する。そして、デジタル再生処理部５１１は、生成したデジタルデータを、ファイル管理情報読み出し部５１２およびイメージファイル生成部５１３へそれぞれ出力する。デジタル再生処理部５１１は、記録部１０１からコンテンツ情報を読み出すコンテンツ情報読み出し部に相当する。
【００７４】
ファイル管理情報読み出し部５１２は、デジタルデータからファイル管理情報を抽出し、ファイル管理情報を更新確認部５０９へ出力する。
【００７５】
イメージファイル生成制御部５１４は、複製コンテンツ情報生成制御部に相当する。イメージファイル生成制御部５１４は、ＩＣメモリ存在識別情報判定部５０４からＩＣメモリ存在識別信号を受けた場合、イメージファイル生成指令信号をイメージファイル生成部５１３へ出力する。よって、イメージファイル生成制御部５１４は、光ディスク媒体１００にＩＣメモリが搭載されている場合のみ、イメージファイル生成部５１３にイメージファイルの生成を許可する。
【００７６】
つまり、イメージファイル生成制御部５１４は、ＩＣ識別子が光ディスク媒体１００にＩＣメモリ１０６が備えられていることを示している場合に、イメージファイル生成部５１３にイメージファイルを生成させる。一方、イメージファイル生成制御部５１４は、ＩＣ識別子が光ディスク媒体１００にＩＣメモリ１０６が備えられていないことを示している場合には、イメージファイル生成部５１３にイメージファイルを生成させない。
【００７７】
これによって、ＩＣメモリを搭載していない、従来の光ディスク媒体からイメージファイルを作成して、著作権を侵害することを抑制する。つまり、本実施の形態のように、ＩＣメモリ１０６が搭載された光ディスク媒体１００の記録部１０１（光ディスク）に記録されている情報のイメージファイルが生成される場合に、生成されるイメージファイルが記憶されるメディアが著作権管理を行うことの可能なメディアである場合のみ、イメージファイルの生成が許可される。
【００７８】
イメージファイル生成部５１３は、イメージファイル生成制御部５１４からイメージファイル生成指令信号を受けた場合、デジタルデータを基にイメージファイルを生成し、生成したイメージファイルを生成イメージファイルとして暗号化部５０８および更新確認部５０９へ出力する。つまり、イメージファイル生成部５１３は、コンテンツ情報の複製を複製コンテンツ情報として生成する複製コンテンツ情報生成部に相当する。
【００７９】
暗号化部５０８は、暗号化鍵生成部５０７によってデバイス識別情報を基に生成された暗号化鍵を用いた所定の暗号化ルール（例えば一方向性関数を用いた暗号化ルール）に基づき、生成イメージファイルを暗号化する。そして、暗号化部５０８は、暗号化したイメージファイルを暗号化イメージファイルとしてイメージファイル記憶制御部５１５へ出力する。つまり、暗号化部５０８は、複製コンテンツ情報をデバイス識別情報に基づいて暗号化する。
【００８０】
更新確認部５０９は、イメージファイル記憶制御部５１５に対して、イメージファイル記憶情報送信指令信号を出力する。
【００８１】
イメージファイル記憶制御部５１５は、イメージファイル記憶情報送信指令信号を受けた場合、媒体識別情報およびデバイス識別情報に対応するイメージファイルがイメージファイル記憶部４０３に記憶されているか否かを確認する。そして、イメージファイル記憶制御部５１５は、イメージファイルが記憶されている場合は、イメージファイルを記憶イメージファイルとして更新確認部５０９へ出力する。
【００８２】
更新確認部５０９は、ファイル管理情報比較部５１０を有する。ファイル管理情報比較部５１０は、ファイル管理情報読み出し部５１２から出力されたファイル管理情報とイメージファイル記憶制御部５１５から出力された記憶イメージファイルに含まれるファイル管理情報とを比較する。そして、更新確認部５０９は、ファイル管理情報比較部５１０による比較結果に基づいて、イメージファイル生成部５１３により生成された生成イメージファイルと、イメージファイル記憶部４０３に記憶されている記憶イメージファイルとのどちらが新しいかを判定し、判定結果をイメージファイル記憶制御部５１５へ出力する。
【００８３】
つまり、更新確認部５０９は、媒体識別情報読み出し部５０５によって読み出された媒体識別情報に対応する複製コンテンツ情報が更新されているか否かを判定する。具体的には、更新確認部５０９は、サーバ機器４０２に装てんされた光ディスク媒体１００の記録部１０１に記録されたファイル管理情報と、イメージファイル記憶部４０３に記憶されているイメージファイルが示すファイル管理情報とを比較することにより、イメージファイルが更新されているか否かを判定する。
【００８４】
イメージファイル記憶制御部５１５は、更新確認部５０９から出力された判定結果が生成イメージファイルのほうが新しいことを示す場合は、媒体識別情報とデバイス識別情報と暗号化イメージファイルとを関連付けて、イメージファイル記憶部４０３に登録する。つまり、イメージファイル記憶制御部５１５は、生成された複製コンテンツ情報を、読み出された媒体識別情報に対応付けて複製コンテンツ情報記憶部に登録する複製コンテンツ情報記憶制御部に相当する。
【００８５】
また、イメージファイル記憶制御部５１５は、更新確認部５０９から出力された判定結果が記憶イメージファイルのほうが新しいことを示す場合は、記憶イメージファイルをイメージファイル抽出部５１６へ出力する。
【００８６】
イメージファイル抽出部５１６は、記憶イメージファイルからイメージファイルを抽出し、抽出したイメージファイルを抽出イメージファイルとして復号化部５１７へ出力する。
【００８７】
復号化部５１７は、暗号化鍵を用いた所定の復号化ルールに基づき抽出イメージファイルを復号し、復号したイメージファイルを復号イメージファイルとして媒体記録更新部５１８へ出力する。復号化部５１７は、暗号化部５０８に対応した暗号化を復号化する部分である。また、暗号化部５０８および復号化部５１７は、ＩＣメモリごとの固有情報であるデバイス識別情報を用いた鍵により暗号化または復号化を行う。したがって、媒体ごとに唯一の鍵情報が形成され、暗号化データは、他の媒体のＩＣメモリのデバイス識別情報を用いて復号することは不可能である。これにより、複製イメージファイルのセキュリティを向上させることができる。
【００８８】
媒体記録更新部５１８は、復号イメージファイルに基づきデジタルデータを生成し、生成したデジタルデータを記録信号生成部５１９へ出力する。つまり、媒体記録更新部５１８は、更新確認部５０９によってイメージファイルが更新されていると判定された場合に、イメージファイル記憶部４０３に記憶されている複製コンテンツ情報に基づいて、サーバ機器４０２に装てんされる光ディスク媒体１００の記録内容を更新する媒体更新部に相当する。
【００８９】
記録信号生成部５１９は、デジタルデータに基づき、光ディスク媒体１００にデジタルデータを記録するための記録信号を生成する。そして、記録信号生成部５１９は、生成した記録信号を光ヘッド５０１へ出力する。
【００９０】
光ヘッド５０１は、記録信号に基づき、光ビームの照射レベルを制御することで光ディスク媒体１００の記録部１０１にデータを記録あるいは更新する。
【００９１】
通信部５２０は、送信部５２１と受信部５２２とを有する。
【００９２】
通信部５２０は、受信部５２２を通じて任意の端末機器４０５から情報を受信して得られる受信情報から抽出した媒体識別情報をイメージファイル再生部５２５へ出力する。
【００９３】
イメージファイル再生部５２５は、イメージファイルの送信を促す再生送信指令信号を媒体識別情報とともにイメージファイル記憶制御部５１５へ出力する。
【００９４】
イメージファイル記憶制御部５１５は、再生送信指令信号を受けた場合、媒体識別情報に対応する記憶イメージファイルを通信部５２０へ出力する。
【００９５】
通信部５２０は、送信部５２１を通じて端末機器４０５に記憶イメージファイルを送信する。また通信部５２０は、受信部５２２を通じて、送信部５２１から記憶イメージファイルを送信中である端末機器４０５からイメージファイルの更新要求を受信する。通信部５２０は、受信した更新要求を媒体識別情報判定部５２３へ出力する。
【００９６】
媒体識別情報判定部５２３は、通信部５２０から受信した媒体識別情報を媒体タイプ判定部５２４へ出力する。
【００９７】
媒体タイプ判定部５２４は、媒体識別情報に基づき媒体タイプを判定し、判定結果を媒体識別情報判定部５２３へ出力する。
【００９８】
媒体識別情報判定部５２３は、判定された媒体タイプが記録形媒体タイプである場合は、イメージファイル更新部５２６にイメージファイル更新要求を出力する。
【００９９】
イメージファイル更新部５２６は、イメージファイル更新要求に基づいて更新したイメージファイルを更新イメージファイルとして更新識別情報生成部５２７へ出力する。
【０１００】
更新識別情報生成部５２７は、イメージファイルが更新されていることを識別するための更新識別情報を生成し、更新イメージファイルに更新識別情報を付与した更新識別情報付きイメージファイルをイメージファイル記憶制御部５１５へ出力する。
【０１０１】
イメージファイル記憶制御部５１５は、更新識別情報付きイメージファイルを受けた場合、通信部５２０へ送信中の記憶イメージファイルを更新する。
【０１０２】
図６は、イメージファイル記憶部４０３に記憶されるデータの内部データ構造を示す図である。
【０１０３】
図６に表記しているように、イメージファイル記憶部４０３に記憶されるデータは、イメージファイル毎に対応付けられた、媒体識別情報とデバイス識別情報と更新識別情報と媒体タイプ識別情報とイメージファイルポインタとを含む。
【０１０４】
媒体識別情報は、光ディスク媒体１００に固有に付与されたＩＤ（例えば「ｍｅｄｉａ＃０１」あるいは「ｍｅｄｉａ＃０２」など）を示す。
【０１０５】
デバイス識別情報は、光ディスク媒体１００に搭載されているＩＣメモリに固有に付与されたＩＤ（例えば「ｄｅｖｉｃｅ＃０１」あるいは「ｄｅｖｉｃｅ＃０２」など）を示す。
【０１０６】
更新識別情報は、イメージファイル記憶部４０３に記憶されている記憶イメージファイルと光ディスク媒体１００に記録されている生成イメージファイルとの同期状態を示す。例えば、イメージファイル記憶部４０３に記憶されている記憶イメージファイルが端末機器４０５を通じて更新された場合に、更新識別情報として「ｆａｌｓｅ」が設定される。
【０１０７】
また、光ディスク媒体１００の記録情報を、端末機器４０５を通じて更新された記憶イメージファイルで更新した場合、更新識別情報として「ｔｒｕｅ」が設定される。つまり、イメージファイル記憶部４０３に記憶されている記憶イメージファイルと光ディスク媒体１００に記録されている生成イメージファイルとの同期がとれた場合に、更新識別情報として「ｔｒｕｅ」が設定される。
【０１０８】
タイプ識別情報は、イメージファイル生成元の光ディスク媒体１００の媒体タイプ（例えばＤＶＤ−ＲＯＭあるいはＢＤ−ＲＯＭなど）を示す。
【０１０９】
イメージファイルポインタは、イメージファイル記憶部４０３の中のメモリ空間内でイメージファイルを格納しているメモリ領域の先頭アドレスを示す。
【０１１０】
記憶イメージファイルは、ファイル管理情報およびコンテンツ情報を含む。ただし、記憶イメージファイルは、デバイス識別情報に基づき生成された暗号化鍵を用いて所定のルールで暗号化されている。例えば、媒体識別情報が「ｍｅｄｉａ＃０２」である光ディスク媒体１００から読み取ったファイル管理情報およびコンテンツ情報に対して、「ｄｅｖｉｄｅ＃０２」というデバイス識別情報に基づいて生成した暗号化鍵で暗号化した暗号化イメージファイルが、メモリアドレス「０ｘ２０００００００」番地を先頭としたメモリ領域に格納されている。
【０１１１】
このように、イメージファイル記憶部４０３には、媒体識別情報に対応付けて複製コンテンツ情報が登録される。
【０１１２】
次に、以上のように構成されたサーバ機器４０２における各種動作について説明する。
【０１１３】
図７は、本発明の実施の形態１に係るサーバ機器４０２のイメージファイル生成処理およびイメージファイル更新処理の流れを示すフローチャートである。
【０１１４】
サーバ機器４０２は、光ディスク媒体１００が装填されたか否かを判定するポーリング処理を行なう（Ｓ６００）。光ディスク媒体１００が装填されていない場合（Ｓ６００のＮｏ）、サーバ機器４０２は、光ディスク媒体１００が装填されたか否かの判定を繰り返す。
【０１１５】
光ディスク媒体１００が装填された場合（Ｓ６００のＹｅｓ）、ＩＣメモリ存在識別情報判定部５０４は、光ヘッド５０１、アナログ再生処理部５０２およびＢＣＡ再生部５０３を介して、光ディスク媒体１００に形成されたＢＣＡからＢＣＡ情報を読み出し、読み出したＢＣＡ情報の中からＩＣ識別子を読み出す（Ｓ６０１）。
【０１１６】
上述したように、ＩＣ識別子は、光ディスク媒体１００にＩＣメモリ１０６が搭載されているか否かを示す。したがって、ＩＣメモリ存在識別情報判定部５０４は、ＩＣ識別子に基づき光ディスク媒体１００にＩＣメモリ１０６が搭載されているか否かを判定する（Ｓ６０２）。
【０１１７】
ここで、光ディスク媒体１００にＩＣメモリ１０６が非搭載の場合は（Ｓ６０２のＮｏ）、サーバ機器４０２は、装填された光ディスク媒体１００をマウントし（Ｓ６１１）、処理を終了する。一方、光ディスク媒体１００にＩＣメモリが搭載されている場合は（Ｓ６０２のＹｅｓ）、媒体識別情報読み出し部５０５は、ＢＣＡ情報の中から媒体識別情報を読み出す（Ｓ６０３）。
【０１１８】
イメージファイル記憶制御部５１５は、読み出した媒体識別情報が既にイメージファイル記憶部４０３にて管理されているか否かを判定する（Ｓ６０４）。つまり、イメージファイル記憶制御部５１５は、読み出した媒体識別情報に対応するイメージファイルが、既にイメージファイル記憶部４０３に記憶されているか否かを判定する。
【０１１９】
ここで、読み出した媒体識別情報がまだ管理されていない場合は（Ｓ６０４のＮｏ）、サーバ機器４０２は、イメージファイルを、イメージファイル記憶部４０３へ追加登録して新たに管理するための処理（Ｓ６０５〜Ｓ６１０）を実行する。具体的には、まず、デバイス識別情報読み出し部５０６は、ＢＣＡからデバイス識別情報を読み出す（Ｓ６０５）。
【０１２０】
続いて、イメージファイル生成部５１３は、光ヘッド５０１、アナログ再生処理部５０２およびデジタル再生処理部５１１を介して、光ディスク媒体１００を再生してイメージファイルを生成する（Ｓ６０６）。具体的には、イメージファイル生成制御部５１４は、イメージファイル生成指令信号を生成する。そして、イメージファイル生成部５１３は、生成されたイメージファイル生成指令信号に従って、イメージファイルを生成する。次に、暗号化鍵生成部５０７は、読み出したデバイス情報を元に暗号鍵を生成する（Ｓ６０７）。さらに、暗号化部５０８は、生成した暗号鍵を用いて、生成したイメージファイルを暗号化する（Ｓ６０８）。
【０１２１】
続いて、イメージファイル記憶制御部５１５は、暗号化したイメージファイルを媒体識別情報に対応付けてイメージファイル記憶部４０３に登録する（Ｓ６０９）。最後に、サーバ機器４０２は、装填された光ディスク媒体１００をマウントし（Ｓ６１０）、処理を終了する。このように、サーバ機器４０２は、イメージファイルを、イメージファイル記憶部４０３へ追加登録して新たに管理するための処理（Ｓ６０５〜Ｓ６１０）を実行する。
【０１２２】
一方、読み出した媒体識別情報が既にイメージファイル記憶部４０３にて管理されている場合は（Ｓ６０４のＹｅｓ）、更新確認部５０９は、イメージファイル記憶制御部５１５を介して、イメージファイル記憶部４０３から媒体識別情報に対応する更新識別情報を抽出する（Ｓ６１２）。
【０１２３】
更新確認部５０９は、抽出した更新識別情報に基づき、イメージファイル記憶部４０３に記憶されている記憶イメージファイルが更新されているか否かを判定する（Ｓ６１３）。
【０１２４】
更新識別情報に基づいて記憶イメージファイルが更新されていないと判定された場合は（Ｓ６１３のＮｏ）、ファイル管理情報比較部５１０は、記憶イメージファイルのファイル管理情報と、装填された光ディスク媒体１００のファイル管理情報とを比較する（Ｓ６１４）。そして、更新確認部５０９は、比較結果に基づいて、イメージファイル記憶部４０３に記憶されている記憶イメージファイルが更新されているか否かを判定する（Ｓ６１５）。これは例えば通信機能を有していない光ディスク装置において、光ディスク媒体１００の記録情報が更新された場合、サーバ機器が備えるイメージファイル記憶部４０３に記憶されている更新識別情報では更新の判定ができない。そこで、更新確認部５０９は、ファイル管理情報の比較結果に基づいて、記憶イメージファイルが更新されているか否かを判定する。具体的には、更新確認部５０９は、例えば、ファイル管理情報が同一である場合に、記憶イメージファイルが更新されていないと判定する。一方、更新確認部５０９は、例えば、ファイル管理情報が互いに異なる場合に、記憶イメージファイルが更新されていると判定する。
【０１２５】
これにより、更新識別情報に基づいて記憶イメージファイルの更新が判定できない場合であっても、更新確認部５０９は、記憶イメージファイルの更新を高精度に判定することができる。
【０１２６】
ここで、ファイル管理情報に基づいて記憶イメージファイルが更新されていないと判定された場合は（Ｓ６１５のＮｏ）、サーバ機器４０２は装填された光ディスク媒体１００をマウントし（Ｓ６１６）、処理を終了する。
【０１２７】
一方、更新識別情報に基づいて記憶イメージファイルが更新されていると判定された場合（Ｓ６１３のＹｅｓ）、あるいはファイル管理情報に基づいて記憶イメージファイルが更新されていると判定された場合は（Ｓ６１５のＹｅｓ）、サーバ機器４０２は、イメージファイル記憶部４０３に記憶されている記憶イメージファイルを用いてサーバ機器４０２に装填された光ディスク媒体１００の記録内容を更新する（Ｓ６１７）。
【０１２８】
続いて、サーバ機器４０２は、光ディスク媒体１００への更新記録が終了したか否かを判定する（Ｓ６１８）。ここで、更新記録が終了している場合（Ｓ６１８のＹｅｓ）、サーバ機器４０２は装填された光ディスク媒体１００をマウントし（Ｓ６１９）、処理を終了する。
【０１２９】
一方、更新記録が終了していない場合（Ｓ６１８のＮｏ）、サーバ機器４０２は、イメージファイル記憶部４０３に記憶された記憶イメージファイルを仮想ドライブとしてマウントし（Ｓ６２０）、処理を終了する。記録に長時間かかる場合でも、本実施の形態のように、サーバ機器４０２がイメージファイルを仮想ドライブとしてマウントすることにより、サーバ機器４０２は、更新されたイメージファイルを直ちに再生することができる。
【０１３０】
以上のように、サーバ機器４０２は、イメージファイル生成処理およびイメージファイル更新処理を実行する。
【０１３１】
次に、サーバ機器４０２が端末機器４０５から情報を受信した時の動作について説明する。
【０１３２】
図８は、本発明の実施の形態１に係るサーバ機器４０２が端末機器４０５から情報を受信した時の動作を示すフローチャートである。端末機器４０５からの媒体識別情報を受信するまで、サーバ機器４０２は、端末機器４０５からの媒体識別情報を受信したか否かを判定する受信ポーリング処理を続ける（Ｓ７００）。つまり、端末機器４０５から媒体識別情報を受信していない場合（Ｓ７００のＮｏ）、サーバ機器４０２は、端末機器４０５から媒体識別情報を受信したか否かの判定を繰り返す。
【０１３３】
端末機器４０５から媒体識別情報を受信した場合（Ｓ７００のＹｅｓ）、通信部５２０は、受信した媒体識別情報に対応するイメージファイルがイメージファイル記憶部４０３に記憶されているか否かをイメージファイル記憶制御部５１５に問い合わせる（Ｓ７０１）。つまり、イメージファイル記憶制御部５１５は、受信した媒体識別情報に対応するイメージファイルがイメージファイル記憶部４０３に記憶されているか否かを判定する。
【０１３４】
受信した媒体識別情報に対応するイメージファイルがイメージファイル記憶部４０３に記憶されていない場合（Ｓ７０１のＮｏ）、通信部５２０は、イメージファイルが存在しない旨のエラーを端末機器４０５に送信し（Ｓ７０６）、端末機器４０５からの受信ポーリング処理（Ｓ７００）に戻る。
【０１３５】
受信した媒体識別情報に対応するイメージファイルがイメージファイル記憶部４０３に記憶されている場合（Ｓ７０１のＹｅｓ）、通信部５２０は、受信した媒体識別情報に対応する記憶イメージファイルを端末機器４０５に送信する（Ｓ７０２）。
【０１３６】
サーバ機器４０２は、端末機器４０５によって記憶イメージファイルが更新されたか否かを判定する（Ｓ７０３）。具体的には、サーバ機器４０２は、記憶イメージファイルを送信中である端末機器４０５からイメージファイルの更新要求を受信したか否かを判定する。
【０１３７】
ここで、端末機器４０５によって記憶イメージファイルが更新されていない場合（Ｓ７０３のＮｏ）、端末機器４０５からの受信ポーリング処理（Ｓ７００）へ戻る。
【０１３８】
一方、端末機器４０５によって記憶イメージファイルが更新された場合（Ｓ７０３のＹｅｓ）、更新識別情報生成部５２７は、更新識別情報を生成する（Ｓ７０４）。さらに、イメージファイル更新部５２６は、イメージファイルを更新する。そして、イメージファイル記憶制御部５１５は、媒体識別情報に対応付けて、更新識別情報および更新されたイメージファイルをイメージファイル記憶部４０３に登録し（Ｓ７０５）、端末機器４０５からの受信ポーリング処理（Ｓ７００）へ戻る。
【０１３９】
なお、本実施の形態では、端末機器４０５からの受信ポーリング処理で媒体識別情報を受信する例を示したが、端末機器４０５から受信するのはデバイス識別情報であってもよい。
【０１４０】
また、本実施の形態では、イメージファイル記憶部４０３に記憶されるデータが、媒体識別情報とデバイス識別情報と更新識別情報とタイプ別情報とイメージファイルポインタとを含む例を示したが、イメージファイル記憶部４０３に記憶されるデータは、イメージファイル記憶部４０３に記憶されているイメージファイルが特定できる固有情報が少なくとも含まれればよい。
【０１４１】
また、本実施の形態では、イメージファイル記憶部４０３に記憶されるデータが、各イメージファイルに対応する、媒体識別情報およびデバイス識別情報を有する例を示したが、イメージファイル記憶部４０３に記憶されるデータは、光ディスク媒体１００が保有する少なくとも１つ以上の情報の任意の組合せから生成される固有ＩＤを有してもよい。
【０１４２】
また、本実施の形態では、サーバ機器４０２は、端末機器４０５から媒体識別情報とイメージ更新要求のデータとを受信する例を示したが、更新されたイメージファイルを受信してもよい。
【０１４３】
また、本実施の形態では、デバイス識別情報がＩＣメモリ固有のＩＤである例を示したが、デバイス識別情報は、半導体プロセスにおいてマスクされた情報に限定するものではない。
【０１４４】
また、本実施の形態では、光ディスク媒体１００から取得したファイル管理情報とイメージファイル記憶部４０３に記憶されている記憶イメージファイルに含まれるファイル管理情報との比較によって最新イメージファイルを判定する例を示したが、光ディスク媒体１００の生成イメージファイルとイメージファイル記憶部４０３に記憶されている記憶イメージファイルとの比較によって最新イメージファイルを判定してもよい。
【０１４５】
次に、端末機器４０５の詳細について説明する。
【０１４６】
図９は、本発明の実施の形態１に係る端末機器４０５の特徴的な構成を示すブロック図である。
【０１４７】
本実施の形態に係る端末機器４０５は、外部との通信手段として、近接無線通信部（リーダ／ライタ）４０６と広域通信部９０３とを備える。端末機器４０５は、さらに、デバイス識別情報読み出し部９０７と、媒体識別情報読み出し部９０８と、媒体タイプ情報読み出し部９０９と、復号化部９１０と、イメージファイル記憶部９１１と、仮想ドライブエミュレート部９１２と、表示部９１３と、入力部９１４と、更新受付部９１５と、イメージファイル更新部９１６と、媒体タイプ判定部９１７と、暗号化部９１８とを備える。
【０１４８】
近接無線通信部４０６は、受信部９０１と送信部９０２とを有し、ＩＣメモリ１０６とデータの送受信を行うことができる。ＩＣメモリ１０６から読み出された情報を元に、デバイス識別情報読み出し部９０７はＩＣメモリ固有のデバイスＩＤ（デバイス識別情報）を読み出す。媒体識別情報読み出し部９０８は、ＩＣメモリ１０６に記憶されている媒体識別情報（メディアＩＤ）を読み出す。媒体タイプ情報読み出し部９０９は、光ディスク媒体１００のＩＣメモリ１０６から、媒体タイプ情報（書き換え型、追記型、再生専用型など）を読み出す。ここで、媒体タイプ情報とは、媒体に記録されたデータを更新可能か否かを示す属性情報である。例えば、媒体タイプ情報は、書き換え型、追記型、再生専用型など光ディスク媒体１００の属性を示す。
【０１４９】
広域通信部９０３は、媒体識別情報送信部９０４と、イメージファイル受信部９０５と、イメージファイル送信部９０６とを有する。媒体識別情報送信部９０４は、媒体識別情報読み出し部９０８が読み出した媒体識別情報をサーバ機器４０２に送信し、媒体識別情報に対応するイメージファイルを要求する。イメージファイル受信部９０５は、サーバ機器４０２から送信されたイメージファイルを受信する。
【０１５０】
受信したイメージファイルは暗号化されている。そこで、復号化部９１０は、デバイス識別情報を使って復号化を行う。デバイス識別情報はＩＣメモリ固有のＩＤ情報であり、媒体とも１対１で対応付けされているため、対応デバイスを使わなければ復号化を行うことができず、セキュアなシステムが可能になる。
【０１５１】
イメージファイル記憶部９１１には、復号されたイメージファイルが記憶される。仮想ドライブエミュレート部９１２は、イメージファイル記憶部９１１に記憶されたイメージファイルを用いて、仮想的に媒体へのアクセスが可能になるエミュレータを作成する。これにより、端末機器４０５が光ディスク媒体１００の記録部１０１に記録されたデータを読み出すことができるドライブ装置を搭載していない場合であっても、端末機器４０５は、エミュレータを表示部９１３に表示させることにより、入力部９１４が受け付けたユーザの操作に応じて仮想的に媒体へ記録または再生することが可能となる。
【０１５２】
ここで、仮想的に媒体への記録を行った場合、すなわちエミュレータを実行してイメージファイルの更新を行った場合、更新受付部９１５が更新情報を受付け、イメージファイル更新部９１６がイメージファイルの更新を行う。
【０１５３】
このとき、媒体タイプ判定部９１７は、媒体タイプ情報読み出し部９０９によって読み出された媒体タイプ情報に基づいて、イメージファイルの更新の可否を判定する。そして、媒体タイプ判定部９１７は、判定結果を示す判定信号を生成し、イメージファイル更新部９１６に送信する。例えば、媒体タイプが書き換え型を示す場合は、媒体タイプ判定部９１７は、イメージファイルの更新を許可すると判定する。また、例えば、媒体タイプが追記型の場合であって媒体の容量に空きがある場合は、媒体タイプ判定部９１７は、イメージファイルの更新（追記）のみ許可すると判定する。また、例えば、媒体タイプが再生専用型の場合は、媒体タイプ判定部９１７は、更新を許可しないと判定する。
【０１５４】
このような場合に、ＩＣメモリ１０６に、さらに、光ディスク媒体１００の記録部１０１の使用されていない空き領域あるいは空き容量を示す情報が記憶されていてもかまわない。ただし、この構成の場合には、後の実施の形態２で示すように、サーバ機器４０２の光ディスクドライブが、ＩＣメモリ１０６へのアクセス手段を有する構成とし、光ディスク内容の更新に従って、ＩＣメモリ１０６に空き領域あるいは空き容量を記憶させる構成とすることによって実現する。このようにすれば、例え光ディスク媒体１００が追記媒体であっても、端末機器４０５は、光ディスク媒体１００の記録部１０１に空き容量がないことを判定して、イメージファイルが更新可能か否かの判定を行うことが可能となる。
【０１５５】
暗号化部９１８は、デバイス識別情報読み出し部９０７によって読み出されたデバイス識別情報を用いて、イメージファイルの内容を暗号化する。そして、イメージファイル送信部９０６は、暗号化されたイメージファイルをサーバ機器４０２に送信する。これにより、サーバ機器４０２に記憶されているイメージファイルが更新される。
【０１５６】
次に、以上のように構成された端末機器４０５における各種動作について説明する。
【０１５７】
図１０は、本発明の実施の形態１に係る端末機器において、イメージファイルの再生および更新を行うときの処理の流れを示すフローチャートである。
【０１５８】
まず、端末機器４０５は、近接無線通信部（リーダ／ライタ）４０６によって近接無線通信可能なＩＣメモリが検出されたか否かを判定するポーリング処理を行う（Ｓ１００２）。
【０１５９】
ここで、近接無線通信可能なＩＣメモリが検出されない場合は（Ｓ１００２のＮｏ）、引き続きポーリング処理を継続して実施する。一方、近接無線通信可能なＩＣメモリが検出された場合（Ｓ１００２のＹｅｓ）は、端末機器４０５は、ＩＣメモリ１０６との相互認証を行う（Ｓ１００３）。そして、相互認証が問題無く行われた場合は、端末機器４０５は、通信路暗号鍵をＩＣメモリ１０６と共有する（Ｓ１００４）。続いて、媒体識別情報読み出し部９０８は、近接無線通信部４０６を介して、ＩＣメモリ１０６から媒体識別情報を読み出す（Ｓ１００５）。
【０１６０】
媒体識別情報送信部９０４は、読み出された媒体識別情報をサーバ機器４０２に送信する（Ｓ１００６）。続いて、広域通信部９０３は、サーバ機器４０２と正しくデータを送受信することができたか否かを判定する（Ｓ１００７）。
【０１６１】
ここで、サーバ機器４０２と正しくデータを送受信することができないことを示すエラー出力がある場合は（Ｓ１００７のＮｏ）、端末機器４０５は、表示部９１３にエラーを出力して（Ｓ１００８）、処理を終了する。ただし、送受信中に問題が発生することによって正しくデータを送受信することができない場合もあるため、端末機器４０５は、サーバ機器４０２とのデータの送受信を何度か試みた結果に基づいて、表示部９１３にエラーを出力しても構わない。
【０１６２】
一方、エラー出力が無い場合は（Ｓ１００７のＹｅｓ）、イメージファイル受信部９０５は、サーバ機器４０２からイメージファイルを受信する（Ｓ１００９）。デバイス識別情報読み出し部９０７は、近接無線通信部４０６を介して、ＩＣメモリ１０６からデバイス識別情報を読み出す（Ｓ１０１０）。そして、復号化部９１０は、デバイス識別情報を用いて、受信したイメージファイルの復号化を行う（Ｓ１０１１）。
【０１６３】
媒体タイプ情報読み出し部９０９は、近接無線通信部４０６を介して、ＩＣメモリ１０６から媒体タイプ情報を読み出す（Ｓ１０１２）。媒体タイプ判定部９１７は、読み出された媒体タイプ情報を用いて、イメージファイルが更新（書き込み）可能か否かを判定する（Ｓ１０１３）。
【０１６４】
ここで、媒体タイプ情報が更新不可能（例えば再生専用型）を示す場合は（Ｓ１０１３のＮｏ）、端末機器４０５は、イメージファイルの再生のみを行う（Ｓ１０１４）。イメージファイルの再生は、仮想ドライブエミュレート部９１２によって、イメージファイル記憶部９１１に記憶されたイメージファイルを用いて作成されたエミュレータを表示部９１３に表示することで行われる。
【０１６５】
一方、媒体タイプ情報が更新可能（例えば書き換え型または追記型）を示す場合は（Ｓ１０１３のＹｅｓ）、端末機器４０５は、イメージファイルを再生する（Ｓ１０１５）。そして、更新受付部９１５は、イメージファイルの更新を受付ける（Ｓ１０１６）。ここで更新要求がなければ（Ｓ１０１７のＮｏ）、イメージファイルの再生のみで処理を終了する（Ｓ１０１８）。一方、更新要求があった場合は（Ｓ１０１７のＹｅｓ）、イメージファイル更新部９１６は、イメージファイルの更新を行う（Ｓ１０１９）。このとき、イメージファイル更新部９１６は、イメージファイルの更新と共に、更新識別情報を生成する（Ｓ１０２０）。更新識別情報とは、イメージファイルが更新されているか否かを示す情報である。例えば、更新識別情報は、イメージファイルを更新した日時または更新内容を含む。したがって、サーバ機器４０２は、この更新識別情報を参照することで、光ディスク媒体１００に記録されているデータを更新する必要があるか否かを容易に判断することができる。
【０１６６】
暗号化部９１８は、更新されたイメージファイルを、デバイス識別情報を使って暗号化する（Ｓ１０２１）。そして、イメージファイル送信部９０６は、暗号化されたイメージファイルをサーバ機器４０２に送信する（Ｓ１０２２）。
【０１６７】
以上のように、本実施の形態に係る端末機器４０５は、リーダ／ライタを用いて情報記録媒体からデバイス識別情報あるいは媒体識別情報を読み出し、読み出したデバイス識別情報あるいは媒体識別情報をサーバ機器４０２に送信する。これにより、端末機器４０５は、サーバ機器４０２から情報記録媒体に対応するイメージファイルを受信し、受信したイメージファイルを利用してデータの再生あるいは記録を行うことができる。すなわち、端末機器４０５は、情報記録媒体の記録部に記録されたデータを再生するため、または情報記録媒体の記録部にデータを記録するためのドライブ装置を備えていない場合であっても、情報記録媒体の記録部に記録されたデータを再生する、または情報記録媒体の記録部にデータを記録することと同様の処理を行うことができる。
【０１６８】
なお、近接無線通信アンテナ１０５のアンテナ形状は、光ディスク媒体１００の形状と相似関係としてもよい。例えば、光ディスク媒体１００が円盤状で回転することにより、データが光ディスク媒体１００の記録部１０１に対して記録または再生される場合では、光ディスク媒体１００が光ディスク装置に装着された時における光ディスク媒体１００の装着方向、すなわち円周方向の角度は限定されない。そのため、光ディスク媒体１００の装着方向に依存せずに、安定した無線通信が実行できるように、近接無線通信アンテナ１０５のアンテナ形状は、光ディスク媒体１００と同じ形状（この場合は円形）であることが好ましい。
【０１６９】
なお、近接無線通信アンテナ１０５およびＩＣメモリ１０６は、クランプ領域１０７の内部に配置してもよい。例えば、クランプ領域１０７は、少なくとも２つ以上の媒体を組み合わせる構造であり、なおかつクランプ領域に形成した際に、近接無線通信アンテナ１０５およびＩＣメモリ１０６がクランプ領域内に配置できる空間を持たすことにより実現できる。これにより、近接無線通信アンテナ１０５およびＩＣメモリ１０６は、外気に触れることがないため、損傷や水などの液体の付着する可能性が極めて低くなる。この結果、ＩＣメモリ１０６内部のデータをより安全に記憶することができ、また通信機能の悪化もしくは消失を防止することができる。
【０１７０】
なお、クランプ領域１０７内における近接無線通信アンテナ１０５は、クランプ領域内の外周付近に配置してもよい。これにより、通信電波の送受信範囲を広げることができ、外部との通信を効率よく行うことができる。
【０１７１】
また、近接無線通信アンテナ１０５は、クランプ領域１０７に限定されず、他の領域に配置してもよい。例えば、光ディスク媒体の最外周に配置してもよい。これにより、さらに通信電波の送受信範囲を広げることができ、外部との通信を効率よく行うことができる。
【０１７２】
さらに、近接無線通信を行う端末機器の種類などに応じて、近接無線通信アンテナ１０５の配置位置を変更してもよい。
【０１７３】
なお、光ディスク装置が、光ディスク媒体１００のユーザデータ領域１０４にレーザ光を照射して、任意のデータを記録または再生する場合、近接無線通信アンテナ１０５は、レーザ光の照射側からみて、ユーザデータ領域１０４よりも奥側に配置してもよい。これにより、近接無線通信アンテナ１０５は、ユーザデータ領域１０４に関するデータの記録または再生動作に影響することなく、アンテナの配置が可能な範囲を広げることができる。また、近接無線通信アンテナ１０５が、光ディスク媒体１００の反射層として使用されてもよい。
【０１７４】
なお、通信電波の減衰を防止するために、近接無線通信アンテナ１０５を配置する領域は、絶縁性の媒質で構成されることが好ましい。
【０１７５】
なお、ＩＣメモリ１０６は、密着型の通信機能を有してもよい。これにより、ノイズなどの外乱によって、無線通信を行う通信電波の伝達が悪い環境下においても、接触型通信機能を有する端末機器と通信することができる。
【０１７６】
なお、ＩＣ識別子２０２において、ＩＣメモリ１０６が存在しない情報が記録されている場合、デバイスＩＤ２０５の情報は無効なデータ（例えばダミーデータ、０埋めなど）とすることが好ましい。これにより、ＩＣメモリ１０６が存在する光ディスク媒体におけるデバイスＩＤ２０５の情報と競合することがない。
【０１７７】
なお、イメージファイルの更新の可否判断は、媒体タイプ情報によって一意的に決まるものでなくてもよい。例えば再生専用型であっても、イメージファイルに対してはそれを更新してもかまわない。例えば映画などのコンテンツのイメージファイルに対して、インターネットなどを用いて追加の情報（特典映像や多言語字幕、最新の予告情報など）を追加・更新することで、よりユーザの利便性が向上する。
【０１７８】
その際、ユーザに情報記録媒体には保存できないというメッセージを表示してもよい。
【０１７９】
また、ムーブであれば、更新されたイメージファイルを追記型媒体にムーブしてもよい。
【０１８０】
なお、媒体タイプ情報は、媒体のタイプだけでなく、媒体に記録されてある情報を用いてもよい。例えば追記型媒体であっても、情報にプロテクトがかかってある場合は、イメージファイルの更新を行わないようにしてもよい。また、書換え型や追記型媒体であっても、ファイナライズを行っている場合は、再生専用型媒体と同様の扱いとなり、イメージファイルの更新を行わないようにしてもよい。また、追記型媒体で記録情報の空きが無い場合も、イメージファイルの更新を行わないようにしてもよい。
【０１８１】
なお、イメージファイルの送受信は、イメージファイルそのものを扱うのではなく、圧縮情報を扱ってもよい。イメージファイルを受信するときは圧縮情報として受信した後、解凍してから再生を行い、逆に送信するときはイメージファイルを圧縮してから送信する。これによってサーバ機器との通信時間の短縮を図ることができる。
【０１８２】
なお、更新されたイメージファイルをサーバ機器に送受信するタイミングは、更新する度に行ってもよいし、一定時間毎に行ってもよいし、端末機器の作業終了後に行ってもよい。
【０１８３】
ユーザにサーバ機器との送受信中の待ち時間を感じさせないように、ユーザの作業のバックグランドで送受信を行うようにするとユーザがストレスを感じることがない。
【０１８４】
なお、イメージファイルは更新識別情報を使って更新があったか否かを判定してもよい。更新識別情報が以前に保存されていたデータと異なるもののみ、更新があったと判定し、サーバ機器に送信する。
【０１８５】
なお、ユーザの個人情報とは、サーバ機器４０２へのアクセスアカウント以外に、ユーザの生体情報も含まれる。生体情報とは、指紋、虹彩、静脈パターンや、声紋データなども含まれる。このような情報の認証は、サーバ機器４０２や端末機器４０５によって行われる。そのため、端末機器４０５には、ユーザの指紋、虹彩、静脈パターンをセンシングするためのスキャナー装置や、声紋データをセンシングするためのマイクなどが実装されている。
【０１８６】
サーバ機器４０２で認証する場合には、端末機器４０５はＩＣメモリ１０６に含まれるユーザコード３０８とセンシングした生体情報をサーバ機器４０２に送信して、サーバ機器４０２にてこれらが同一人物であるかの認証を行う。サーバ機器４０２は、同一人物と判定した場合にのみ、コンテンツ情報を端末機器４０５に送信する。
【０１８７】
また、端末機器４０５で認証する場合も同様に、ＩＣメモリ１０６に含まれるユーザコード３０８とセンシングした生体情報を比較し、同一人物であると判定した場合のみ、サーバ機器４０２へのコンテンツ要求を行う。
【０１８８】
以上、どちらの方法においても、光ディスクのＩＣメモリ１０６に生体情報を登録したユーザのみが、サーバ機器４０２に記録されているコンテンツ情報を利用することが可能となり、万が一、光ディスク媒体１００が第３者の手に渡ったとしても、コンテンツが不正に利用されることはないので、光ディスクに記録されているデジタル著作物の著作権保護が実現できることと、第３者に自身の記録情報が漏洩するリスクを低減することが可能となる。
【０１８９】
また、ＩＣメモリ１０６への生体情報の登録は、サーバ機器４０２にて、イメージファイルを作成する段階にて、イメージファイルを作成時に、作成者の生体情報をセンシングして、ＩＣメモリ１０６に登録する。この場合は、サーバ機器４０２においても、ＩＣメモリ１０６へのアクセス手段を有するとともに、生体情報のセンシング手段を有する。
【０１９０】
また、サーバ機器４０２において、イメージファイルを作成するとき、センシングした生体情報から暗号鍵を生成して、イメージファイルを管理しておけば、なお強固にセキュリティが向上する。
【０１９１】
（実施の形態２）
本発明の実施の形態２では、ＩＣタグのリーダ／ライタなどの近接無線通信部と、光ディスクドライブとを備えたサーバ機器、および近接無線通信部を備えた端末機器におけるイメージファイルの作成方法について説明する。本実施の形態では、実施の形態１と比較し、サーバ機器がＩＣメモリへのアクセス手段である近接無線通信部を備える点が異なる。
【０１９２】
また、本実施の形態に係る光ディスク媒体１００が備えるＩＣメモリ１０６の書き換え可能領域３０３には、さらに、更新識別情報が記録される。
【０１９３】
以下、実施の形態１と異なる点を中心に、実施の形態２について図面を参照しながら説明する。
【０１９４】
図１１は、本発明の実施の形態２に係る情報記録媒体を利用するシステムの概念図である。なお、図１１において、図４に示す構成要素と同様の構成要素については同一の符号を付し、説明を省略する。
【０１９５】
本実施の形態に係るシステムは、サーバ機器１１００と、第２サーバ機器１２００と、端末機器１３００とを備える。サーバ機器１１００と第２サーバ機器１２００と端末機器１３００とは、広域通信網４０４を介して互いに接続される。
【０１９６】
また、サーバ機器１１００は、イメージファイル記憶部４０３に加えて、近接無線通信部１１１２を備える。
【０１９７】
図１２は、本発明の実施の形態２に係るサーバ機器の特徴的な構成を示すブロック図である。なお、図１２において、図５に示す構成要素と同様の構成要素については同一の符号を付し、説明を省略する。
【０１９８】
図１２に示すように、サーバ機器１１００は、イメージファイル記憶部４０３と、光ヘッド５０１と、アナログ再生処理部５０２と、ＢＣＡ再生部５０３と、ＩＣメモリ存在識別情報判定部５０４と、媒体識別情報読み出し部５０５と、暗号化鍵生成部５０７と、暗号化部５０８と、デジタル再生処理部５１１と、イメージファイル生成部５１３と、イメージファイル生成制御部５１４と、イメージファイル抽出部５１６と、復号化部５１７と、媒体記録更新部５１８と、記録信号生成部５１９と、通信部５２０と、媒体識別情報判定部５２３と、媒体タイプ判定部５２４と、イメージファイル再生部５２５と、イメージファイル更新部５２６と、更新識別情報生成部５２７と、イメージファイル記憶制御部１１０９と、更新識別情報読み出し部１１１３と、デバイス識別情報読み出し部１１１４と、更新確認部１１１６と、近接無線通信部１１１２とを備える。
【０１９９】
イメージファイル記憶制御部１１０９は、デバイス識別情報読み出し部１１１４によってＩＣメモリ１０６から読み出された媒体識別情報と、媒体識別情報読み出し部５０５によって記録部１０１から読み出された媒体識別情報とを比較する。ここで、２つの媒体識別情報が一致する場合にのみ、イメージファイル記憶制御部１１０９は、イメージファイル生成部５１３にイメージファイルを生成させる。一方、２つの媒体識別情報が一致しない場合、イメージファイル記憶制御部１１０９は、エラー情報を図示しない表示部に出力し、イメージファイル生成部５１３にイメージファイルを生成させない。
【０２００】
更新識別情報読み出し部１１１３は、近接無線通信部１１１２を介して、ＩＣメモリ１０６から更新識別情報を読み出す。
【０２０１】
デバイス識別情報読み出し部１１１４は、近接無線通信部１１１２を介して、ＩＣメモリ１０６から、媒体識別情報とデバイス識別情報とを読み出す。
【０２０２】
更新確認部１１１６は、更新識別情報読み出し部１１１３によって読み出された更新識別情報に基づいて、イメージファイルが更新されているか否かを判定する。
【０２０３】
近接無線通信部１１１２は、受信部と送信部とを有し、ＩＣメモリ１０６とデータの送受信を行うことができる。
【０２０４】
次に、以上のように構成されたサーバ機器１１００における各種動作について説明する。
【０２０５】
図１３は、本発明の実施の形態２に係るサーバ機器におけるイメージファイル作成処理の流れを示すフローチャートである。なお、図１３において、図７に示す処理と同様の処理については同一の符号を付し、説明を省略する。
【０２０６】
ステップＳ６００〜Ｓ６０３までの処理が実行された後、デバイス識別情報読み出し部１１１４は、近接無線通信部１１１２を介してＩＣメモリ１０６に記録された媒体識別情報を読み出す（Ｓ１２０１）。
【０２０７】
イメージファイル記憶制御部１１０９は、ステップＳ６０３およびステップＳ１２０１において読み出された２つの媒体識別情報を比較する（Ｓ１２０２）。ここで、２つの媒体識別情報が一致していないとき（Ｓ１２０２のＮｏ）には、イメージファイル記憶制御部１１０９は、図示しない表示部にエラー情報を出力し（Ｓ１２０３）、処理を終了する。光ディスク媒体の製造過程において、ＩＣメモリの個体情報がＢＣＡに記録されるため、正規の光ディスク媒体では２つの識別情報は一致している。したがって、これらが一致していないときには、装填された光ディスク媒体が不正規な光ディスク媒体である可能性が高いので、サーバ機器１１００は、エラー情報を出力し、イメージファイルが生成されることなどを防止する。
【０２０８】
一方、２つの媒体識別情報が一致している場合には（Ｓ１２０２のＹｅｓ）、続いて、イメージファイル記憶制御部１１０９は、イメージファイル記憶部４０３において該媒体識別情報が既に管理されているか否かを判定する（Ｓ６０４）。
【０２０９】
ここで、媒体識別情報がまだ管理されていない場合には（Ｓ６０４のＮｏ）、サーバ機器１１００は、イメージファイルを、イメージファイル記憶部４０３へ追加登録して新たに管理するための処理（Ｓ１２０４、Ｓ６０６〜Ｓ６１０）を実行する。具体的には、まず、デバイス識別情報読み出し部１１１４は、近接無線通信部１１１２を介して、ＩＣメモリ１０６からデバイス識別情報を読み出す（Ｓ１２０４）。続いて、ステップＳ６０６〜Ｓ６１０の処理が実行される。なお、デバイス識別情報が読み出された後の処理（Ｓ６０６〜Ｓ６１０）は、図７に示した処理と同様であるので、説明を省略する。
【０２１０】
一方、媒体識別情報が既に管理されている場合には（Ｓ６０４のＹｅｓ）、更新識別情報読み出し部１１１３は、近接無線通信部１１１２を介して、ＩＣメモリ１０６から更新識別情報を読み出す（Ｓ１２０５）。そして、更新確認部１１１６は、読み出された更新識別情報に基づいて、イメージファイルが更新されているか否かを判定する（Ｓ１２０６）。ここで、イメージファイルが更新されていない場合には（Ｓ１２０６のＮｏ）、サーバ機器１１００は装填された光ディスク媒体１００をマウントし（Ｓ６１６）、処理を終了する。
【０２１１】
一方、イメージファイルが更新されている場合には（Ｓ１２０６のＹｅｓ）、サーバ機器１１００は、サーバ機器１１００に装填された光ディスク媒体１００の記録内容を更新する（Ｓ１２０７）。
【０２１２】
具体的には、サーバ機器１１００は、以下に示す処理により、光ディスク媒体１００の記録内容を更新する。
【０２１３】
まず、イメージファイル記憶制御部１１０９は、サーバ機器１１００に装填された光ディスク媒体１００に記録するための更新イメージファイルを要求する信号を、送信部５２１を介して第２サーバ機器１２００に送信する。そして、受信部５２２が第２サーバ機器１２００から更新イメージファイルを受け取り、受け取った更新イメージファイルが媒体識別情報判定部５２３に出力される。媒体タイプ判定部５２４は、イメージファイルがサーバ機器１１００で取り扱える媒体（例えば所定の追記型の光ディスク媒体）であるか否か、あるいは書き換えが許可されているか否か等を判定する。そして、サーバ機器１１００で記録可能と判定された場合に、イメージファイル再生部５２５は、更新イメージファイルをイメージファイル記憶制御部１１０９に出力する。
【０２１４】
このときイメージファイルが更新されたことをイメージファイル更新部５２６が確認する。そして、更新識別情報生成部５２７は、更新識別情報を生成し、イメージファイル記憶制御部１１０９に出力する。イメージファイル記憶制御部１１０９は、更新識別情報読み出し部１１１３によって読み出された更新識別情報と、更新識別情報生成部によって生成された更新識別情報とが一致しているか否かを判定する。そして、２つの更新識別情報が一致している場合に、イメージファイル記憶制御部１１０９は、イメージファイル抽出部５１６に更新イメージファイルを出力する。
【０２１５】
イメージファイル抽出部５１６は、更新イメージファイルを復号化部５１７に出力する。復号化部５１７は、暗号化鍵生成部５０７の出力信号である暗号化鍵を用いて更新イメージファイルを復号化する。そして、媒体記録更新部５１８は、復号化部５１７によって復号化されたイメージファイルに基づいてデジタルデータを生成し、生成したデジタルデータを記録信号生成部５１９へ出力する。記録信号生成部５１９は、デジタルデータに基づき、光ディスク媒体１００にデジタルデータを記録するための記録信号を生成する。そして、記録信号生成部５１９は、生成した記録信号を光ヘッド５０１へ出力する。光ヘッド５０１は、記録信号に基づき、光ビームの照射レベルを制御することで光ディスク媒体１００の記録部１０１にデータを記録あるいは更新する。
【０２１６】
以上のように、ステップＳ１２０７の処理が実行される。続いて、ステップＳ６１８〜Ｓ６２０の処理が実行され、処理が終了する。なお、ステップＳ６１８〜Ｓ６２０の処理は、図７に示した処理と同様であるので、説明を省略する。
【０２１７】
なお、ステップＳ６０２において、ＩＣメモリ存在識別情報判定部５０４は、さらに、近接無線通信部１１１２を介してＩＣメモリ１０６にアクセス可能であるか否かに基づいて、光ディスク媒体１００にＩＣメモリ１０６が搭載されているか否かを判定してもよい。この場合、ＩＣメモリ存在識別情報判定部５０４は、記録部１０１に記録されたＩＣ識別子に基づく判定と、ＩＣメモリ１０６にアクセス可能であるか否かに基づく判定との２つの判定結果が一致しない場合には、光ディスク媒体１００にＩＣメモリ１０６が搭載されていないと判定することが好ましい。
【０２１８】
これにより、ＩＣメモリが本来搭載されていない光ディスク媒体に、不正にＩＣメモリが搭載された場合に、サーバ機器は、複製コンテンツが生成されることを抑制でき、セキュリティを向上させることが可能となる。さらに、ＩＣメモリが搭載されていない光ディスク媒体に記録されたＩＣ識別子が不正に書き換えられた場合にも、サーバ機器は、複製コンテンツが生成されることを抑制でき、セキュリティを向上させることが可能となる。
【０２１９】
次に、近接無線通信部を備えた端末機器１３００におけるイメージファイルの更新方法について説明する。
【０２２０】
図１４は、本発明の実施の形態２に係る端末機器の特徴的な構成を示すブロック図である。なお、図１４において、図９に示す構成要素と同様の構成要素については同一の符号を付し、説明を省略する。
【０２２１】
図１４に示すように、端末機器１３００は、実施の形態１に係る端末機器４０５が備える構成要素に加えて、さらに更新識別情報書き込み部１３０１を備える。
【０２２２】
更新識別情報書き込み部１３０１は、近接無線通信部４０６を介して、ＩＣメモリ１０６に更新識別情報を書き込む。
【０２２３】
次に、以上のように構成された端末機器１３００における各種動作について説明する。
【０２２４】
図１５は、本発明の実施の形態２に係る端末機器におけるイメージファイル更新手続きを示すフローチャートである。なお、イメージファイル更新手続き以外の処理については、図１０に示した処理と同様であるので、図示および説明を省略する。
【０２２５】
イメージファイル更新部９１６が更新識別情報を生成した後（Ｓ１０２０）、更新識別情報書き込み部１３０１は、近接無線通信部４０６を介して、生成された更新識別情報をＩＣメモリ１０６に書き込む（Ｓ１４０１）。続いて、暗号化部９１８は、デバイス識別情報読み出し部９０７の出力信号に含まれるデバイス識別情報を用いて、更新されたイメージファイルを暗号化する（Ｓ１０２１）。そして、イメージファイル送信部９０６は、第２サーバ機器１２００に、更新されたイメージファイルを送信する（Ｓ１４０２）。
【０２２６】
以上のように、本実施の形態に係る端末機器１３００は、イメージファイルを更新した際にインターネットあるいはローカルネットワークで繋がった第２サーバ機器１２００に更新したイメージファイルを送信するとともに、情報記録媒体が備えるＩＣメモリに更新識別情報を記録する。これにより、端末機器１３００は、次回、情報記録媒体のＩＣメモリに記録された情報を取得することで、情報記録媒体の記録部に記録されたデータを再生する手段がない場合でも、更新されたイメージファイルを再生することができる。
【０２２７】
（実施の形態３）
次に、本発明の実施の形態３について、図面を用いて説明する。
【０２２８】
まず、はじめに、Ｂｌｕ−ｒａｙディスクなどの著作権保護規格ＡＡＣＳにて認められているＭａｎａｇｅｄ  Ｃｏｐｙについて説明する。
【０２２９】
図１６は、Ｂｌｕ−ｒａｙディスクなどの著作権保護規格ＡＡＣＳにて認められているＭａｎａｇｅｄ  Ｃｏｐｙを説明するための図である。
【０２３０】
Ｍａｎａｇｅｄ  Ｃｏｐｙとは、ネットワーク接続された再生装置を規定し、ネットワークによって接続される管理サーバ（Ｒｅｍｏｔｅ  Ｓｅｒｖｅｒ）との認証を行い、ユーザに付加的なサービスを提供できる仕組みである。
【０２３１】
付加的なサービスとは、例えば、映画タイトルの記録されたＲＯＭディスクから自宅のホームサーバなどにコンテンツをコピーまたはムーブしたり、特定施設内（例えばアミューズメントパークなど）で、自宅では使用できないコンテンツが使用できるようになったり、タイトルに付随する出演者などのインタビューコンテンツを表示させたりすることを想定している。
【０２３２】
Ｍａｎａｇｅｄ  Ｃｏｐｙ対応の光ディスク１５０１は、ユーザデータ領域に暗号化されたコンテンツ情報が記録される。また、管理情報領域には、管理サーバのＵＲＬと、各コンテンツの利用条件が示されたＴｉｔｌｅ  Ｕｓａｇｅ  Ｆｉｌｅ（ＴＵＦ）と、コンテンツの識別情報であるコンテンツＩＤと、ディスクごとを識別可能なシリアル番号とが記録されている。通常、シリアル番号は、不正なものに書き換えされないように光ディスクのＢＣＡにバーコード状に反射膜を除去したマークで記録されている。
【０２３３】
図１６では、光ディスク１５０１から光ディスクの読み出しドライブである光ディスクドライブを搭載したホームサーバ１５０２のハードディスク１５０３にコンテンツ情報をムーブする場合について説明する。
【０２３４】
ホームサーバ１５０２に、光ディスク１５０１が装填され、さらにユーザからハードディスクへのムーブコマンドを受けると、ホームサーバ１５０２は、光ディスク１５０１のディスク管理情報領域から、管理サーバ１５０５のＵＲＬと、Ｔｉｔｌｅ  Ｕｓａｇｅ  Ｆｉｌｅ（ＴＵＦ）と、コンテンツＩＤと、シリアル番号とを読み出す。また、ホームサーバ１５０２は、管理サーバ１５０５のＵＲＬに基づいて、インターネット１５０４を介して、管理サーバ１５０５に接続する。また、ホームサーバ１５０２は、管理サーバ１５０５からの要求に応じて随時、光ディスク１５０１から読み出した、コンテンツＩＤ、ＴＵＦおよびシリアル番号を管理サーバ１５０５に送信する。
【０２３５】
管理サーバ１５０５では、ホームサーバ１５０２から送信されたコンテンツＩＤ、ＴＵＦ、およびシリアル番号に基づいて、ムーブ要求が実施可能であるかを認証する。図１６では、管理サーバ１５０５が管理データベース１５０６を持ち、この管理データベース１５０６に基づいて、光ディスクごとの要求に対応することが可能であるか否かの判定を行う。
【０２３６】
管理データベース１５０６は、要求元（図１６ではムーブ元）の光ディスクのシリアル番号、登録日、媒体の種類、再生可能回数、コピー可能回数、ムーブ可能回数、ステータス、ムーブ／コピー先の媒体のシリアル番号、所有ユーザＩＤ、暗号鍵識別子および更新日を管理する。
【０２３７】
シリアル番号は、要求元のシリアル番号であり、図１６では、光ディスク１５０１に記録されているシリアル番号である。
【０２３８】
登録日は、管理データベース１５０６にシリアル番号が登録された日時情報である。
【０２３９】
媒体タイプは、要求元の情報記録媒体の種別を示す情報であり、通常はＴＵＦの一部として提供される情報である。図１６では、光ディスク１５０１がＢｌｕ−ｒａｙＲＯＭである場合を想定しているので、この場合は、媒体タイプとして“ＢＤ−ＲＯＭ”が登録される。
【０２４０】
再生可能数、コピー可能数およびムーブ可能数は、ＴＵＦから与えられる情報であり、それぞれコンテンツの著作権者によって設定され、ＴＵＦとして管理されている情報である。したがって、それぞれの可能回数が“０”である場合には、その要求は認められていないということである。
【０２４１】
ステータスは、シリアル番号で識別される情報記録媒体のコンテンツがどのような状態にあるかを示している。例えば、「０ｘ１１１１１１１１」のシリアル番号を持ったＢＤ−ＲＯＭは、他の媒体にムーブされた状態である。したがって、このようなステータスを示している場合には、情報記録媒体からのコピー、ムーブだけではなく、再生すらも許可されない。
【０２４２】
所有ユーザＩＤは、シリアル番号に対応付けられた情報記録媒体の所有者であり、ユーザによって登録される形態でもいいし、ホームサーバ１５０２にあらかじめ設定されているユーザＩＤを管理してもいい。
【０２４３】
暗号鍵識別子は、シリアル番号に対応付けられた情報記録媒体に記録された暗号化されたコンテンツを復号するための暗号鍵の識別情報である。送信されるＴＵＦとデータベースの内容に応じて、コンテンツの再生が認められる場合には、暗号鍵識別子が指す暗号鍵を管理サーバ１５０５がホームサーバ１５０２に送信することで、ホームサーバ１５０２は、光ディスク１５０１に記録されたコンテンツを再生することが可能となる。
【０２４４】
更新日は、管理データベース１５０６の各リストが更新された日時情報である。
【０２４５】
図１６に示す例では、シリアル番号「０ｘ１１１１１１１１」のＢＤ−ＲＯＭのコンテンツが、「０ｘ２２２２２２２２」のＢＤ−Ｒにムーブされていることを示している。したがって、シリアル番号「０ｘ１１１１１１１１」に対する再生要求がある場合には、ステータスが示すとおり既にムーブ済みであることから、管理サーバ１５０５は、暗号鍵を送信せず、再生を認めない。
【０２４６】
一方、「０ｘ２２２２２２２２」のＢＤ−Ｒは、「０ｘ１１１１１１１１」のＢＤ−ＲＯＭからコンテンツがムーブされていることを示している。したがって、「０ｘ２２２２２２２２」に対する再生要求がある場合には、管理サーバ１５０５が、暗号鍵識別子の示す「Ｋｅｙ＃１」をホームサーバ１５０２に送信する。これによって、ホームサーバ１５０２は、ＢＤ−Ｒに記録された暗号コンテンツを復号して再生することができる。
【０２４７】
図１６では、「０ｘ１１１１１１１１」から「０ｘ２２２２２２２２」へのムーブに応じて、暗号化する鍵情報も変更している。すなわち、「０ｘ１１１１１１１１」に対するムーブ要求がある場合であってムーブが許可される場合には、管理サーバ１５０５は、ＢＤ−ＲＯＭの暗号鍵「Ｋｅｙ＃０」をホームサーバ１５０２に配信すると同時に、「Ｋｅｙ＃０」とは異なる暗号鍵「Ｋｅｙ＃１」も配信する。ホームサーバ１５０２は、ＢＤ−ＲＯＭから読み出した暗号化コンテンツを「Ｋｅｙ＃０」で一旦復号して、ＢＤ−Ｒにムーブ記録するときに、「Ｋｅｙ＃１」で暗号化して記録する。これによって、ムーブした後のＢＤ−Ｒに成りすまして、ムーブ済の「０ｘ１１１１１１１１」のＢＤ−ＲＯＭの再生を行わせるという不正行為にも耐性を持つことができる。
【０２４８】
図１６では、コンテンツのムーブを例にＭａｎａｇｅｄ  Ｃｏｐｙについて説明したが、Ｍａｎａｇｅｄ  Ｃｏｐｙはこの限りではない。Ｍａｎａｇｅｄ  Ｃｏｐｙは、複製管理、あるいは再生管理なども行えるし、複製および再生のそれぞれの回数を管理すること、または、使用可能な期間もしくは時間を管理することも可能である。また、ホームサーバ１５０２から、ホームサーバ１５０２の設置されている位置情報などの提供を受けることができれば、コンテンツの利用に関する場所の管理も行うことができる。また、ＴＵＦやデータベースに付加情報の再生管理情報が付与されている場合には、得点映像などの付加情報の提供管理にも応用可能である。
【０２４９】
次に、以上のようなＭａｎａｇｅｄ  Ｃｏｐｙを本発明に応用した場合について説明する。
【０２５０】
図１７は、本発明の実施の形態３に係るシステムの概念図である。
【０２５１】
本実施の形態に係るシステムは、サーバ機器１６０２、管理サーバ１６０５、および端末機器１６０７を備える。
【０２５２】
光ディスク媒体１００のＢＣＡには、図２に示した情報に加えて、管理サーバ１６０５のＵＲＬと、ＴＵＦと、コンテンツＩＤとが記録されている。
【０２５３】
サーバ機器１６０２は、光ディスクドライブを有する。光ディスク媒体１００が光ディスクドライブに装填されると、実施の形態１での説明と同様に、サーバ機器１６０２は、ＢＣＡからメディアＩＤ（シリアル番号）を読み出す。読み出したメディアＩＤがイメージファイル記憶部４０３に登録されていない場合には、サーバ機器１６０２は、光ディスク媒体１００の記録内容を読み出し、イメージファイルを作成する。そして、サーバ機器１６０２は、読み出したメディアＩＤに関連付けて、作成したイメージファイルをイメージファイル記憶部４０３に登録する。また、イメージファイルには、光ディスク媒体１００の管理情報領域に記録されている、ＴＵＦ、コンテンツＩＤ、管理サーバのＵＲＬ情報が含まれる。
【０２５４】
なお、コンテンツ情報の複製である複製コンテンツ情報がイメージファイルではない場合にも同様に、イメージファイル記憶部４０３には、メディアＩＤに対応付けて、光ディスク媒体１００に記録されているコンテンツ情報の複製である複製コンテンツ情報、ＴＵＦ、コンテンツＩＤおよび管理サーバのＵＲＬが記憶される。
【０２５５】
また、本実施の形態では、図１６の説明と同様に光ディスク媒体１００に記録されているコンテンツ情報の利用権利をカード型媒体１６１０にムーブする形態を説明する。
【０２５６】
また、端末機器１６０７は、近接無線通信によってＩＣメモリ１０６にアクセスするための近接無線通信部４０６を備える。
【０２５７】
まず、ムーブしたい情報記録媒体である光ディスク媒体１００が端末機器１６０７の近接無線通信部４０６に近づけられる。その結果、端末機器１６０７は、光ディスク媒体１００のＩＣメモリ１０６に記録されている媒体識別情報（メディアＩＤ、シリアル番号）を読み出す。また、端末機器１６０７は、当該端末機器１６０７を操作するユーザから、コンテンツ情報の再生、またはコンテンツ情報の複製（ムーブあるいはコピーなど）に関する要求を受ける。
【０２５８】
端末機器１６０７がユーザから例えばムーブ要求を受け付けた場合には、端末機器１６０７は、近接無線通信部４０６を介して光ディスク媒体１００のＩＣメモリ１０６から読み出した媒体識別情報をサーバ機器１６０２に送信し、媒体識別情報に対応するイメージファイルを要求する。
【０２５９】
サーバ機器１６０２は、受信した媒体識別情報に対応付けられたイメージファイルをイメージファイル記憶部４０３から読み出して、端末機器１６０７に送信する。
【０２６０】
端末機器１６０７は、受信したイメージファイルを内部に持つドライブエミュレータ（仮想ドライブエミュレート部）によって展開してマウントし、イメージファイルに含まれる管理サーバＵＲＬ、コンテンツＩＤおよびＴＵＦを読み出す。
【０２６１】
次に、端末機器１６０７は、読み出した管理サーバＵＲＬに基づいて管理サーバ１６０５に接続し、光ディスク媒体１００からコンテンツ情報をムーブするためのムーブ要求をする。
【０２６２】
管理サーバ１６０５は、受信したＴＵＦ、コンテンツＩＤ、媒体識別情報（シリアル番号）に基づいて、内部に持つ管理データベース１５０６の管理内容に応じて、ムーブが可能であるかを判定する。そして、管理サーバ１６０５は、ムーブが可能である場合のみ、ムーブ先媒体のシリアル番号を端末機器１６０７に要求する。
【０２６３】
端末機器１６０７は、ムーブ先の媒体のシリアル番号の要求を受けると、近接無線通信部４０６を介して、コンテンツ利用権利の移動先であるカード型媒体１６１０のＩＣメモリに記憶されているシリアル番号（デバイスＩＤでも可）を読み出し、管理サーバ１６０５に送信する。
【０２６４】
管理サーバ１６０５は、ムーブが許可される場合には、光ディスク媒体１００をムーブ済みと登録して、カード型媒体１６１０のシリアル番号を移動先として登録し、カード型媒体１６１０用の暗号鍵を発行する。
【０２６５】
端末機器１６０７は、発行された暗号鍵でイメージファイルの内容を暗号化して、サーバ機器１６０２に送信し、サーバ機器１６０２のイメージファイル記憶部４０３に登録する。
【０２６６】
以上のように、本発明をＭａｎａｇｅｄ  Ｃｏｐｙ応用した場合には、光ディスク媒体あるいは半導体メモリなどのように大容量の記録領域をもって、その領域にコンテンツ情報を記録している情報記録媒体から、カード型媒体のように大容量の記録領域を持たない情報記録媒体に、仮想的にコンテンツをムーブ、あるいはコピーなどして利用権を移すことが可能となる。この場合、実際にコンテンツ情報が光ディスク媒体からカード型媒体に実際に移動するわけではないが、ホームサーバのイメージファイル記憶部に媒体識別情報に対応付けて記憶しているイメージファイルをカード型媒体の媒体識別情報に対応付けを更新することによって実現できる。また、Ｍａｎａｇｅｄ  Ｃｏｐｙのための管理サーバは、記録媒体から記録媒体にムーブするときと同様の処理を行うだけであり、サーバシステムを更新する必要は無い。
【０２６７】
また、上記では、カード型媒体のＩＣメモリ部に媒体識別情報を記録している形態を説明したがこれに限られない。ムーブ先のカード型媒体のための媒体識別情報を管理サーバあるいはホームサーバが発行して、端末機器が、カード型媒体のＩＣメモリに発行された媒体識別情報を記録し、サーバ装置は、発行された媒体識別情報に対応付けてイメージファイルを管理しても同様の効果を得ることが可能である。
【０２６８】
実施の形態１では、コンテンツ情報の記録されている光ディスク媒体自身を持ち出して、端末機器から利用する形態であるが、本実施の形態では、情報記録媒体より可搬性に優れるカード型媒体に仮想的にコンテンツをムーブして利用できるので、ユーザの利便性が向上する。
【０２６９】
図１８は、本発明の実施の形態３に係る端末機器における動作を示すフローチャートである。具体的には、図１８は、仮想的にコンテンツをカード型媒体にムーブさせるときの端末機器１６０７の動作を示したフローチャートである。
【０２７０】
まず、近接無線通信部４０６は、読み出し可能な媒体が存在しないかをポーリング処理を行うことにより、近接無線通信可能なＩＣメモリが検出されたか否かの判定を行う（Ｓ１７０２）。近接無線通信可能なＩＣメモリが検出されない場合は（Ｓ１７０２のＮｏ）、引き続きポーリング処理を継続して実施する。
【０２７１】
一方、近接無線通信が可能なＩＣメモリ１０６が検出された場合には（Ｓ１７０２のＹｅｓ）、端末機器１６０７は、ＩＣメモリ１０６との近接無線通信路を確立して、光ディスク媒体１００のＩＣメモリ１０６から媒体識別情報を読み出す（Ｓ１７０３）。
【０２７２】
次に、端末機器１６０７は、当該端末機器１６０７を操作するユーザからコピーやムーブの要求があるか否かの判定を行う（Ｓ１７０４）。ユーザから、コピーやムーブの要求が無い場合には（Ｓ１７０４のＮｏ）、実施の形態１で説明したイメージファイルの利用処理を実施する。
【０２７３】
一方、ユーザからムーブ／コピー要求があった場合は（Ｓ１７０４のＹｅｓ）、端末機器１６０７は、ムーブ／コピー要求のあった媒体がムーブ／コピー可能かを判定する（Ｓ１７０４）。具体的には、端末機器１６０７は、管理サーバ１６０５にムーブ／コピーが実施可能かを問い合わせることにより、ムーブ／コピー可能かを判定する。さらに具体的には、端末機器１６０７は、ＩＣメモリから読み出した媒体識別情報に基づいてサーバ機器１６０２からイメージファイルを受信し、受信したイメージファイル内に含まれるコンテンツＩＤと、ＴＵＦと、管理サーバＵＲＬとを読み出し、読み出した管理サーバＵＲＬに従って管理サーバ１６０５に接続し、ムーブ／コピーが実施可能かを問い合わせる。
【０２７４】
ムーブ／コピーが実施不可能と判定された場合には（Ｓ１７０５のＮｏ）、端末機器１６０７の表示部に、ムーブ／コピーが不可能であることをエラーとして表示し（Ｓ１７０６）、処理を終了する。
【０２７５】
一方、ムーブ／コピーが実施可能と判定された場合は（Ｓ１７０５のＹｅｓ）、端末機器１６０７は、ムーブ／コピー先の提示を要求する（Ｓ１７０７）。
【０２７６】
次に、端末機器１６０７は、ムーブ／コピー先の媒体と近接無線通信を行うためポーリングを行う（Ｓ１７０８）。
【０２７７】
次に、端末機器１６０７は、ポーリングの結果、近接無線通信可能なＩＣメモリを検出したか否かの判定を行う（Ｓ１７０９）。ここで、検出できていない場合には（Ｓ１７０９のＮｏ）、端末機器１６０７は、ポーリングを継続する。
【０２７８】
一方、検出できた場合には（Ｓ１７０９のＹｅｓ）、端末機器１６０７は、ムーブ／コピー元の媒体識別情報をサーバ機器１６０２に送信する（Ｓ１７１０）。
【０２７９】
次に、端末機器１６０７は、サーバ機器１６０２によって生成された、ムーブ／コピー先の媒体識別情報をサーバ機器１６０２から受信する（Ｓ１７１１）。
【０２８０】
次に、端末機器１６０７は、コピー元の媒体識別情報、コピー先の媒体識別情報、ＴＵＦ、コンテンツＩＤによって、管理サーバ１６０５にムーブ／コピーの登録を行う（Ｓ１７１３）。登録方法は、図１６の説明で詳細に記しているのでここでは省略する。
【０２８１】
次に、端末機器１６０７は、管理サーバ１６０５によってムーブ／コピーが許可されたか否かの判定を行う（Ｓ１７１３）。
【０２８２】
ここで、ムーブ／コピーの要求が許可されなければ（Ｓ１７１３のＮｏ）、端末機器１６０７は、その旨を示すエラーメッセージを表示部に表示して処理を終了する（Ｓ１７１４）。
【０２８３】
一方、ムーブ／コピーが許可された場合には（Ｓ１７１３のＹｅｓ）、サーバ機器１６０２によって生成された媒体識別情報を、近接無線通信部４０６を用いて、ムーブ／コピー先のカード型媒体１６１０のＩＣメモリに近接無線通信によって書き込む。
【０２８４】
以上のような手順により、端末機器１６０７は、光ディスク媒体などの大容量記録領域に記録されている内容と同等の内容であるイメージファイルをネットワークを介して利用することが可能となる。その際に、端末機器１６０７は、大容量メモリを持たないカード型媒体などを利用して、イメージファイルを利用することが可能となる。つまり、光ディスク媒体に記録されたコンテンツ情報がカード型媒体に仮想的にムーブされるので、ユーザは端末機器のリーダライタにカード型媒体をタッチするだけで、イメージファイルを端末機器にマウントして利用可能となり、ユーザの利便性が向上する。また、通常、携帯電話、あるいは軽量小型のノートＰＣなどは、光ディスクドライブを搭載しないケースが多い。このような端末機器においても、リーダライタにカード型媒体を接触させることによって、あたかも光ディスクドライブに光ディスク媒体を装填してマウントした状態と同じ環境を提供することが可能となる。つまり、本来光ディスクドライブを持っていないから利用不可能であった端末機器も、光ディスク媒体に記録されたコンテンツ情報を仮想的に再生、編集するなど、利用可能となる。
【０２８５】
図１９は、本発明の実施の形態３に係るサーバ機器の特徴的な構成を示すブロック図である。なお、図１９において、図５に示す構成要素と同様の構成要素については、同一の符号を付し、説明を省略する。
【０２８６】
図１９に示すように、サーバ機器１６０２は、実施の形態１に係るサーバ機器４０２が備える構成要素に加えて、さらに、媒体識別情報生成部１９０１を備える。また、サーバ機器１６０２は、実施の形態１に係るサーバ機器４０２が備える送信部５２１、受信部５２２またはイメージファイル記憶制御部５１５が有する機能に加えてさらに異なる機能を有する、送信部１９０２、受信部１９０３またはイメージファイル記憶制御部１９０４を備える。
【０２８７】
媒体識別情報生成部１９０１は、新たな媒体識別情報を生成する。具体的には、媒体識別情報生成部１９０１は、コンテンツ情報の再生又は複製に関する要求を端末機器１６０７から受信した場合に、新たな媒体識別情報を生成する。
【０２８８】
送信部１９０２は、媒体識別情報生成部１９０１によって生成された新たな媒体識別情報を、端末機器１６０７に送信する。
【０２８９】
受信部１９０３は、通信ネットワークを介して接続された端末機器１６０７から媒体識別情報を受信する。
【０２９０】
イメージファイル記憶制御部１９０４は、イメージファイル記憶部４０３に、受信部１９０３によって受信された媒体識別情報に対応付けて記憶されているイメージファイルを、媒体識別情報生成部１９０１によって生成された新たな媒体識別情報に対応付けて記憶する。
【０２９１】
次に、以上のように構成されたサーバ機器１６０２における各種動作について説明する。
【０２９２】
図２０は、本発明の実施の形態３に係るサーバ機器における処理の流れを示すフローチャートである。
【０２９３】
まず、サーバ機器の１６０２は、端末機器１６０７から、コンテンツ情報のコピー／ムーブ要求があるか否かを判定する（Ｓ１８０１）。要求が無い場合には（Ｓ１８０１のＮｏ）、コンテンツ情報のコピー／ムーブ要求があるか否かの判定を繰り返す。
【０２９４】
一方、要求があった場合には（Ｓ１８０１のＹｅｓ）、送信部１９０２は、ムーブ／コピー元の媒体識別情報を端末機器１６０７に要求する（Ｓ１８０２）。
【０２９５】
続いて、受信部１９０３は、端末機器１６０７から、ムーブ／コピー元の媒体識別情報を受信する（Ｓ１８０３）。
【０２９６】
イメージファイル記憶制御部１９０４は、イメージファイル記憶部４０３から、受信されたムーブ／コピー元の媒体識別情報に対応するイメージファイルを読み出す。そして、イメージファイル記憶制御部１９０４は、読み出したイメージファイルから、ＴＵＦ、管理サーバＵＲＬおよびコンテンツＩＤを読み出す。そして、イメージファイル記憶制御部１９０４は、読み出した管理サーバＵＲＬに基づいて管理サーバ１６０５に接続して、端末機器１６０７から受信した媒体識別情報、ＴＵＦおよびコンテンツＩＤをムーブ／コピー要求として管理サーバに送信する（Ｓ１８０４）。
【０２９７】
媒体識別情報生成部１９０１は、管理サーバ１６０５に送信したムーブ／コピー要求が管理サーバ１６０５によって許可されたか否かを判定する（Ｓ１８０５）。
【０２９８】
ここで、ムーブ／コピー要求が許可されない場合には（Ｓ１８０５のＮｏ）、は、送信部１９０２は、端末機器１６０７にムーブ／コピー要求が許可されない旨のエラーを送信して（Ｓ１８１０）、処理を終了する。
【０２９９】
一方、ムーブ／コピー要求が許可された場合には（Ｓ１８０５のＹｅｓ）、媒体識別情報生成部１９０１は、ムーブ／コピー先の媒体識別情報（新たな媒体識別情報）を生成する（Ｓ１８０６）。媒体識別情報生成部１９０１は、単なる乱数系列に従って新たな媒体識別情報を生成してもかまわないし、管理サーバ１６０５にて生成された媒体識別情報を受信してもかまわない。また、媒体識別情報生成部１９０１は、ムーブ／コピー元の媒体識別情報に関連付けて新たな媒体識別情報を生成してもいい。例えば、媒体識別情報生成部１９０１は、ムーブ／コピー元の媒体識別情報（親識別情報）に対して子識別情報を付加することにより、ムーブ／コピー元の媒体識別情報に関連付けて新たな媒体識別情報を生成してもよい。この場合には、管理サーバ１５０５などは、媒体識別情報のみで媒体の包含関係が判断できるので、著作権管理がしやすくなる。
【０３００】
送信部１９０２は、生成されたムーブ／コピー先の媒体識別情報を端末機器１６０７に送信する（Ｓ１８０７）。
【０３０１】
イメージファイル記憶制御部１９０４は、イメージファイル記憶部４０３から、ムーブ／コピー元の媒体識別情報に対応するイメージファイルを読み出す（Ｓ１８０８）。
【０３０２】
最後に、イメージファイル記憶制御部１９０４は、読み出したイメージファイルを、生成されたムーブ／コピー先の媒体識別情報に対応付けて、イメージファイル記憶部４０３に登録する（Ｓ１８０９）。
【０３０３】
以上のように、本実施の形態に係るサーバ機器１６０２は、光ディスク媒体あるいは半導体メモリ媒体のようにコンテンツ情報そのものを記憶可能な大容量記憶媒体から、コンテンツそのものが記録できないカード型媒体などに仮想的に、コンテンツ情報をコピーしたり、ムーブしたりすることが可能となる。そのために、サーバ機器１６０２は、媒体識別情報を持たないカード型媒体のために新たな媒体識別情報を生成する。また、サーバ機器１６０２は、生成した新たな媒体識別情報を端末機器１６０７に送信する。このように送信された媒体識別情報を受信した端末機器１６０７は、リーダライタを利用して、カード型媒体１６１０のＩＣメモリに、非接触無線通信を利用してムーブ／コピー元媒体の媒体識別情報を書き込む。サーバ機器１６０２は、受信したムーブ／コピー元の媒体識別情報に対応付けて記憶されているイメージファイルを、生成したムーブ／コピー先の媒体識別情報に対応付けて記憶する。例えば、コピーの場合には、サーバ機器１６０２は、ムーブ／コピー元の媒体識別情報に対応付けて記憶しているイメージファイルを、ムーブ／コピー元の媒体識別情報とムーブ／コピー先の媒体識別情報との両方に対応付けて記憶する。また、ムーブの場合には、サーバ機器１６０２は、ムーブ／コピー元の媒体識別情報に対応付けて記憶しているイメージファイルを、ムーブ／コピー先の媒体識別情報に対応付けるように変更する。
【０３０４】
よって、仮想的にコンテンツ情報がコピー／ムーブされたカード型媒体を端末機器１６０７のリーダライタにかざすことによって、端末機器１６０７は、コンテンツ情報を利用することができる。つまり、サーバ機器１６０２が、端末機器１６０７によって読み出された、カード型媒体のＩＣメモリ部に記憶されている媒体識別情報に対応付けられたイメージファイルを読み出して、端末機器１６０７に送信することによって、端末機器１６０７は、光ディスク媒体の記録部に記録されたコンテンツ情報を再生あるいは編集するための装置がなくても、コンテンツ情報を再生あるいは編集することができる。
【０３０５】
以上、本発明の一態様に係る情報記録媒体またはサーバ機器などについて、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０３０６】
例えば、上記実施の形態では、サーバ機器は、多くの構成要素を備えていたが、これらの構成要素をすべて備える必要はない。例えば、サーバ機器は、図２１に示すように構成されてもよい。
【０３０７】
図２１は、本発明の変形例に係るサーバ機器の構成を示すブロック図である。図２１に示すように、サーバ機器１０は、存在識別情報読み出し部１１と、コンテンツ情報読み出し部１２と、媒体識別情報読み出し部１３と、複製コンテンツ情報生成制御部１４と、複製コンテンツ情報生成部１５と、複製コンテンツ情報記憶制御部１６と、複製コンテンツ情報記憶部１７とを備える。
【０３０８】
存在識別情報読み出し部１１は、近接無線通信によってアクセス可能なＩＣメモリが情報記録媒体に搭載されているか否かを示す存在識別情報を、情報記録媒体の記録部から読み出す。
【０３０９】
コンテンツ情報読み出し部１２は、情報記録媒体の記録部からコンテンツ情報を読み出す。
【０３１０】
媒体識別情報読み出し部１３は、情報記録媒体の記録部から媒体識別情報を読み出す。
【０３１１】
複製コンテンツ情報生成制御部１４は、存在識別情報が情報記録媒体にＩＣメモリが搭載されていることを示す場合に、複製コンテンツ情報生成部１５に、複製コンテンツ情報として生成させる。逆に、複製コンテンツ情報生成制御部１４は、存在識別情報が情報記録媒体にＩＣメモリが搭載されていないことを示す場合に、複製コンテンツ情報生成部１５に複製コンテンツ情報を生成させない。
【０３１２】
複製コンテンツ情報生成部１５は、読み出されたコンテンツ情報の複製を複製コンテンツ情報として生成する。なお、複製コンテンツ情報生成部１５は、必ずしも、情報記録媒体のイメージファイルを複製コンテンツ情報として生成する必要はない。例えば、複製コンテンツ情報生成部１５は、コンテンツ情報の単なる複製を複製コンテンツ情報として生成してもよい。
【０３１３】
複製コンテンツ情報記憶制御部１６は、生成された複製コンテンツ情報を、読み出された媒体識別情報に対応付けて、複製コンテンツ情報記憶部１７に登録する。
【０３１４】
複製コンテンツ情報記憶部１７は、複製コンテンツを記憶するための記憶部である。
【０３１５】
以上の構成により、サーバ機器１０は、情報記録媒体に搭載されたＩＣメモリにアクセスする手段を有していなくても、記録部から存在識別情報を読み出すことにより、情報記録媒体にＩＣメモリが搭載されているか否かを判定することができる。したがって、サーバ機器１０は、情報記録媒体がＩＣメモリを搭載している場合のみ、複製コンテンツ情報を生成することができる。また、サーバ機器１０は、媒体識別情報に対応付けて複製コンテンツ情報を管理することによって、情報記録媒体と複製コンテンツ情報とを一元的に管理することが可能となる。
【０３１６】
また、図２１に示すサーバ機器で利用される情報記録媒体は、コンピュータ読み取り可能な記録部と近接無線通信によりアクセスされるＩＣメモリとを備える。記録部は、コンテンツ情報が記録されるためのコンテンツ記録領域と、コンテンツ情報の記録あるいは再生に係る管理情報が記録されるための管理情報領域とを有する。そして、管理情報領域には、情報記録媒体を識別するための媒体識別情報と、ＩＣメモリが情報記録媒体に備えられているか否かを示す存在識別情報とが書き換え不可能に記録されている。
【０３１７】
以上の構成により、情報記録媒体は、サーバ機器がＩＣメモリにアクセスする手段を有していない場合であっても、ＩＣメモリが搭載されている場合のみ、サーバ機器に複製コンテンツ情報を生成させることができる。
【０３１８】
また、実施の形態１〜３では、情報記録媒体が光ディスク媒体である場合について説明したが、必ずしも情報記録媒体は光ディスク媒体である必要はない。例えば、情報記録媒体は、半導体メモリ、磁器テープ媒体、または磁気ディスク媒体など、読み出し／書き込み装置と分離可能で、可搬性を有する媒体であれば、どのような媒体でも構わない。このような場合であっても、実施の形態１〜３で説明した効果と同様の効果を得ることができる。
【０３１９】
なお、本発明は、サーバ機器または端末機器として実現することができるだけでなく、このようなサーバ機器または端末機器が備える特徴的な処理部の動作をステップとする情報記録媒体の利用管理方法として実現することができる。また、このような情報記録媒体の利用管理方法に含まれる各ステップを、ＣＰＵ（Ｃｅｎｔｒａｌ  Ｐｒｏｃｅｓｓｉｎｇ  Ｕｎｉｔ）またはＩＣ（Ｉｎｔｅｇｒａｔｅｄ  Ｃｉｒｃｕｉｔ）などを備えるコンピュータに実行させるプログラムとして実現したりすることもできる。そして、そのようなプログラムは、ＣＤ−ＲＯＭ等の記録媒体あるいはインターネット等の伝送媒体を介して配信することができるのは言うまでもない。
【産業上の利用可能性】
【０３２０】
本発明は、近接無線通信可能なＩＣメモリを搭載する情報記録媒体、および、それを利用するサーバ機器として利用できる。
【符号の説明】
【０３２１】
１０、４０２、１１００、１６０２  サーバ機器
１１    存在識別情報読み出し部
１２    コンテンツ情報読み出し部
１３、５０５、９０８    媒体識別情報読み出し部
１４    複製コンテンツ情報生成制御部
１５    複製コンテンツ情報生成部
１６    複製コンテンツ情報記憶制御部
１７    複製コンテンツ情報記憶部
１００    光ディスク媒体
１０１    記録部
１０２    バースト・カッティング・エリア（ＢＣＡ）
１０３    ディスク管理情報領域
１０４    ユーザデータ領域
１０５    近接無線通信アンテナ
１０６    ＩＣメモリ
１０７    クランプ領域
２０１    タイプ識別情報
２０２    ＩＣ識別子
２０３、２０４    予備情報
２０５、３０４    デバイスＩＤ
２０６、３０６    メディアＩＤ
３０１    書き換え不可能領域
３０２    書き込み可能領域
３０３    書き換え可能領域
３０５    暗号鍵
３０７    サーバアドレス
３０８    ユーザコード
４０３、９１１    イメージファイル記憶部
４０４    広域通信網
４０５、１３００、１６０７    端末機器
４０６、１１１２    近接無線通信部
４０７    無線ＬＡＮアンテナ
４０８    アクセスポイント
５０１    光ヘッド
５０２    アナログ再生処理部
５０３    ＢＣＡ再生部
５０４    ＩＣメモリ存在識別情報判定部
５０６、９０７、１１１４    デバイス識別情報読み出し部
５０７    暗号化鍵生成部
５０８、９１８    暗号化部
５０９、１１１６    更新確認部
５１０    ファイル管理情報比較部
５１１    デジタル再生処理部
５１２    ファイル管理情報読み出し部
５１３    イメージファイル生成部
５１４    イメージファイル生成制御部
５１５、１１０９、１９０４    イメージファイル記憶制御部
５１６    イメージファイル抽出部
５１７、９１０    復号化部
５１８    媒体記録更新部
５１９    記録信号生成部
５２０    通信部
５２１、９０２、１９０２    送信部
５２２、９０１、１９０３    受信部
５２３    媒体識別情報判定部
５２４、９１７    媒体タイプ判定部
５２５    イメージファイル再生部
５２６、９１６    イメージファイル更新部
５２７    更新識別情報生成部
９０３    広域通信部
９０４    媒体識別情報送信部
９０５    イメージファイル受信部
９０６    イメージファイル送信部
９０９    媒体タイプ情報読み出し部
９１２    仮想ドライブエミュレート部
９１３    表示部
９１４    入力部
９１５    更新受付部
１１１３    更新識別情報読み出し部
１２００    第２サーバ機器
１３０１    更新識別情報書き込み部
１５０１    光ディスク
１５０２    ホームサーバ
１５０３    ハードディスク
１５０４    インターネット
１５０５、１６０５    管理サーバ
１５０６    管理データベース
１６１０    カード型媒体
１９０１    媒体識別情報生成部
【図１】
2010100918.tif 000003
【図２】
2010100918.tif 000004
【図３】
2010100918.tif 000005
【図４】
2010100918.tif 000006
【図５】
2010100918.tif 000007
【図６】
2010100918.tif 000008
【図７】
2010100918.tif 000009
【図８】
2010100918.tif 000010
【図９】
2010100918.tif 000011
【図１０】
2010100918.tif 000012
【図１１】
2010100918.tif 000013
【図１２】
2010100918.tif 000014
【図１３】
2010100918.tif 000015
【図１４】
2010100918.tif 000016
【図１５】
2010100918.tif 000017
【図１６】
2010100918.tif 000018
【図１７】
2010100918.tif 000019
【図１８】
2010100918.tif 000020
【図１９】
2010100918.tif 000021
【図２０】
2010100918.tif 000022
【図２１】
2010100918.tif 000023
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
可搬型の情報記録媒体であって、
近接無線通信によってアクセス可能なＩＣメモリと、
コンピュータが読み取り可能な記録部とを備え、
前記記録部は、
コンテンツ情報が記録されるためのコンテンツ記録領域と、
前記コンテンツ情報の記録あるいは再生に係る管理情報が記録されるための管理情報領域とを有し、
前記ＩＣメモリの書き換え不可能領域には、前記ＩＣメモリを識別するためのデバイス識別情報が記録され、
前記管理情報領域には、前記ＩＣメモリを識別するための前記デバイス識別情報と、前記情報記録媒体を識別するための媒体識別情報と、前記ＩＣメモリが前記情報記録媒体に備えられていることを示す存在識別情報とが書き換え不可能に記録されている
情報記録媒体。
【請求項２】
前記情報記録媒体は、光ディスク媒体であり、
前記管理情報領域は、前記光ディスク媒体の内周部に形成される領域であって、径方向に長い記録マークで前記管理情報が書き換え不可能に記録されるバーストカッティング領域である
請求項１に記載の情報記録媒体。
【請求項３】
前記ＩＣメモリは、前記管理情報領域に記録される媒体識別情報と同じ識別情報が記録されている書き込み可能領域を有する
請求項１に記載の情報記録媒体。
【請求項４】
（削除）
【請求項５】
前記コンテンツ情報は、他の情報記録媒体に複製され、
前記ＩＣメモリは、前記他の情報記録媒体に記録されている複製されたコンテンツ情報が更新されたことを示す更新識別情報が、書き換え可能に記録される書き換え可能領域を有する
請求項１に記載の情報記録媒体。
【請求項６】
前記コンテンツ情報は、前記情報記録媒体とは異なる他の情報記録媒体に複製され、
前記ＩＣメモリは、前記他の情報記録媒体に記録されている複製されたコンテンツ情報が更新可能であるか否かを示す属性情報が書き換え可能に記録される書き換え可能領域を有する
請求項１に記載の情報記録媒体。
【請求項７】
コンピュータ読み取り可能な記録部を備える可搬型の情報記録媒体を装てんして利用するためのサーバ機器であって、
前記記録部には、コンテンツ情報が記録される少なくとも読み取り可能なコンテンツ記録領域と、前記情報記録媒体を利用するための管理情報が書き換え不可能に記録された管理情報領域とを含み、
近接無線通信によってアクセス可能なＩＣメモリが前記情報記録媒体に備えられているか否かを示す存在識別情報を前記管理情報領域から読み出す存在識別情報読み出し部と、
前記情報記録媒体を識別するための媒体識別情報を前記管理情報領域から読み出す媒体識別情報読み出し部と、
前記ＩＣメモリを識別するためのデバイス識別情報を前記管理情報領域から読み出すデバイス識別情報読み出し部と、
前記コンテンツ記録領域からコンテンツ情報を読み出すコンテンツ情報読み出し部と、
前記コンテンツ情報の複製を複製コンテンツ情報として生成する複製コンテンツ情報生成部と、
前記複製コンテンツ情報を記憶するための複製コンテンツ情報記憶部と、
生成された前記複製コンテンツ情報を、読み出された前記媒体識別情報に対応付けて前記複製コンテンツ情報記憶部に登録する複製コンテンツ情報記憶制御部と、
前記存在識別情報が前記情報記録媒体に前記ＩＣメモリが備えられていることを示している場合に、前記複製コンテンツ情報生成部に前記複製コンテンツ情報を生成させ、前記存在識別情報が前記情報記録媒体に前記ＩＣメモリが備えられていないことを示している場合に、前記複製コンテンツ情報生成部に前記複製コンテンツ情報を生成させない複製コンテンツ情報生成制御部とを備える
サーバ機器。
【請求項８】
前記複製コンテンツ情報生成部は、前記記録部に記録されたデータのイメージファイルを前記複製コンテンツ情報として生成する
請求項７に記載のサーバ機器。
【請求項９】
前記ＩＣメモリには、さらに、前記ＩＣメモリを識別するためのデバイス識別情報が書き換え不可能に記録されており、
前記デバイス識別情報読み出し部は、さらに、前記ＩＣメモリから前記デバイス識別情報を読み出し、
前記サーバ機器は、さらに、
前記複製コンテンツ情報を、前記ＩＣメモリから読み出された前記デバイス識別情報に基づいて暗号化する暗号化部を備え、
前記複製コンテンツ情報記憶制御部は、暗号化された前記複製コンテンツ情報を前記複製コンテンツ情報記憶部に登録する
請求項７に記載のサーバ機器。
【請求項１０】
前記サーバ機器は、さらに、
前記複製コンテンツ情報を、前記管理情報領域から読み出された前記デバイス識別情報に基づいて暗号化する暗号化部を備え、
前記複製コンテンツ情報記憶制御部は、暗号化された前記複製コンテンツ情報を前記複製コンテンツ情報記憶部に登録する
請求項７に記載のサーバ機器。
【請求項１１】
前記サーバ機器は、さらに、
通信ネットワークを介して接続されている端末機器から、前記情報記録媒体の媒体識別情報を受信し、受信した媒体識別情報に基づいて、前記媒体識別情報に対応付けて記憶されている複製コンテンツ情報を前記複製コンテンツ情報記憶部から読み出し、読み出した複製コンテンツ情報を前記端末機器に送信する通信部を備える
請求項７に記載のサーバ機器。
【請求項１２】
前記サーバ機器は、さらに、
前記媒体識別情報読み出し部によって読み出された媒体識別情報に対応する複製コンテンツ情報が更新されているか否かを判定する更新確認部と、
前記更新確認部によって複製コンテンツ情報が更新されていると判定された場合に、前記複製コンテンツ情報記憶部に記憶されている前記複製コンテンツ情報に基づいて、前記サーバ機器に装てんされる前記情報記録媒体の記録内容を更新する媒体更新部とを備える
請求項７に記載のサーバ機器。
【請求項１３】
前記複製コンテンツ情報記憶部には、さらに、媒体識別情報に対応付けて、対応する複製コンテンツ情報が更新されているか否かを示す更新識別情報が記憶され、
前記更新確認部は、前記複製コンテンツ情報記憶部に記憶されている前記更新識別情報に基づいて、前記複製コンテンツ情報が更新されているか否かを判定する
請求項１２に記載のサーバ機器。
【請求項１４】
前記サーバ機器は、さらに、
前記複製コンテンツ情報が更新されているか否かを示す更新識別情報を前記ＩＣメモリから近接無線通信によって読み出す更新識別情報読み出し部を備え、
前記更新確認部は、読み出された更新識別情報に基づいて、前記複製コンテンツ情報が更新されているか否かを判定する
請求項１２に記載のサーバ機器。
【請求項１５】
前記複製コンテンツ情報生成部は、前記記録部に記録されたデータのイメージファイルを前記複製コンテンツ情報として生成し、
前記更新確認部は、前記サーバ機器に装てんされた情報記録媒体の記録部に記録されたファイル管理情報と、前記複製コンテンツ情報が示すファイル管理情報とを比較することにより、前記複製コンテンツ情報が更新されているか否かを判定する
請求項１２に記載のサーバ機器。
【請求項１６】
前記サーバ機器は、さらに、
通信ネットワークを介して接続された端末機器から媒体識別情報を受信する受信部と、
新たな媒体識別情報を生成する媒体識別情報生成部と、
生成された新たな媒体識別情報を、前記端末機器に送信する送信部とを備え、
前記複製コンテンツ情報記憶制御部は、前記複製コンテンツ情報記憶部に、前記受信部によって受信された媒体識別情報に対応付けて記憶されている前記複製コンテンツ情報を、前記新たな媒体識別情報に対応付けて記憶する
請求項７に記載のサーバ機器。
【請求項１７】
前記デバイス識別情報読出部は、さらに、前記ＩＣメモリから近接無線通信を介して、前記ＩＣメモリを識別するためのデバイス識別情報を読み出し、
複製コンテンツ情報記憶制御部は、前記ＩＣメモリから読み出されたデバイス識別情報と、前記媒体識別情報とを関連付けて管理する
請求項７に記載のサーバ機器。
【請求項１８】
可搬型の情報記録媒体であってコンピュータ読み取り可能な記録部を備える情報記録媒体の利用管理方法であって、
前記記録部は、コンテンツ情報が記録される少なくとも読み取り可能なコンテンツ記録領域と、前記情報記録媒体を利用するための管理情報が書き換え不可能に記録された管理情報領域とを含み、
近接無線通信によってアクセス可能なＩＣメモリが前記情報記録媒体に備えられているか否かを示す存在識別情報を前記管理情報領域から読み出す存在識別情報読み出しステップと、
前記情報記録媒体を識別するための媒体識別情報を前記管理情報領域から読み出す媒体識別情報読み出しステップと、
前記ＩＣメモリを識別するためのデバイス識別情報を前記管理情報領域から読み出すデバイス識別情報読み出しステップと、
前記コンテンツ記録領域からコンテンツ情報を読み出すコンテンツ情報読み出しステップと、
前記コンテンツ情報の複製を複製コンテンツ情報として生成する複製コンテンツ情報生成ステップと、
生成された前記複製コンテンツ情報を、読み出された前記媒体識別情報に対応付けて複製コンテンツ情報記憶部に登録する複製コンテンツ情報記憶制御ステップとを含み、
前記複製コンテンツ情報生成ステップでは、
前記存在識別情報が前記情報記録媒体に前記ＩＣメモリが備えられていることを示している場合に、前記複製コンテンツ情報を生成し、
前記存在識別情報が前記情報記録媒体に前記ＩＣメモリが備えられていないことを示している場合に、前記複製コンテンツ情報を生成しない
情報記録媒体の利用管理方法。
【手続補正書】
【提出日】平成22年10月25日(2010.10.25)
【手続補正１】
【補正対象書類名】明細書
【補正対象項目名】全文
【補正方法】変更
【補正の内容】
【発明の詳細な説明】
【技術分野】
【０００１】
本発明は、近接無線通信可能なＩＣメモリを搭載する情報記録媒体と、それを利用するサーバ機器、および情報記録媒体の利用管理方法に関する。
【背景技術】
【０００２】
従来、近接無線通信可能なＩＣメモリを搭載する情報記録媒体において、ＩＣメモリから非接触で識別情報を読み出し、読み出した識別情報に対応する情報記録媒体のインデックス情報を表示装置などに表示することによって、情報記録媒体を読み出し装置に装てんすることなく簡単にインデックス情報を確認できるという発明が開示されている。これによって、光ディスクを記録再生装置に装着しなくてもリモコンを光ディスクに近づけるだけで、各々の光ディスクの中に記録されたコンテンツの中身のサムネイルを動画もしくは静止画で確認できる（例えば、特許文献１を参照）。
【０００３】
また、近接無線通信可能なＩＣメモリを搭載する情報記録媒体において、ＩＣメモリに媒体ＩＤ番号を記録し、この媒体ＩＤ番号を非接触に読み出すことによって、ＩＣメモリを搭載した光ディスクに記録されているコンテンツのタイトルの名称、当該タイトルの録画時のチャンネル、録画日、録画開始時刻、録画時間、録画終了時刻、録画モード等のデータと、ディスク残量データなどを表示装置に表示させることができることが開示されている（例えば、特許文献２を参照）。
【０００４】
また、光ディスクがローディングされる時に、光ディスクの信号面の所定領域に記録されている情報（例えば、ＢＣＡ（Ｂｕｒｓｔ  Ｃｕｔｔｉｎｇ  Ａｒｅａ：バースト・カッティング・エリア）に形成されたバーコードによって示される媒体識別情報など）を読み取り、光ディスク内に格納されているコンテンツ情報を特定するためのタイトル情報と光ディスクとの関連付けを行って保持する。一方、光ディスクには、光ディスクの識別情報が格納されたレーベルバーコードが印刷されている。ユーザは、光ディスクを手元に置いた状態で、リモコンのバーコード読み取り部によってレーベルバーコード内の情報を読み取り、データ記録再生装置に送る。データ記録再生装置は、受信したレーベルバーコード内の情報に基づいて光ディスクを特定し、コンテンツデータに係る情報をモニタに表示することが開示されている（例えば、特許文献３を参照）。
【先行技術文献】
【特許文献】
【０００５】
【特許文献１】国際公開第２００４／０３６５６０号
【特許文献２】特開２００５−１１６０７７号公報
【特許文献３】特開２００６−２２１７２５号公報
【発明の概要】
【発明が解決しようとする課題】
【０００６】
しかしながら、上記の従来の構成では、例えば、ＩＣメモリを搭載する情報記録媒体のみが情報記録媒体に記録しているコンテンツ情報の複製を認められている場合に、近接無線通信手段を有していなければ、情報記録媒体にＩＣメモリが搭載されていてもコンテンツ情報を複製することができない。
【０００７】
そこで、本発明は、上記課題に鑑みてなされたものであり、情報記録媒体に搭載されたＩＣメモリにアクセスする手段を有していないサーバ装置であっても、情報記録媒体にＩＣメモリが搭載されていることを確認することができる情報記録媒体等を提供することを目的とする。
【課題を解決するための手段】
【０００８】
上記目的を達成するために、本発明の一態様に係る情報記録媒体は、可搬型の情報記録媒体であって、近接無線通信によってアクセス可能なＩＣメモリと、コンピュータが読み取り可能な記録部とを備え、前記記録部は、コンテンツ情報が記録されるためのコンテンツ記録領域と、前記コンテンツ情報の記録あるいは再生に係る管理情報が記録されるための管理情報領域とを有し、前記管理情報領域には、前記情報記録媒体を識別するための媒体識別情報と、前記ＩＣメモリが前記情報記録媒体に備えられていることを示す存在識別情報とが書き換え不可能に記録されている。
【０００９】
これによって、ＩＣメモリにアクセスする手段を有していないサーバ機器であっても、コンピュータ読み取り可能な記録部に記録された存在識別情報を読み出すことにより、ＩＣメモリが情報記録媒体に搭載されているか否かを判定することができる。その結果、サーバ機器は、情報記録媒体にＩＣメモリが搭載されている場合のみ、記録部に記録されたコンテンツ情報を複製することが可能となる。
【００１０】
また、本発明の一態様に係るサーバ機器は、コンピュータ読み取り可能な記録部を備える可搬型の情報記録媒体を装てんして利用するためのサーバ機器であって、近接無線通信によってアクセス可能なＩＣメモリが前記情報記録媒体に備えられているか否かを示す存在識別情報を前記記録部から読み出す存在識別情報読み出し部と、前記情報記録媒体を識別するための媒体識別情報を前記記録部から読み出す媒体識別情報読み出し部と、前記記録部からコンテンツ情報を読み出すコンテンツ情報読み出し部と、前記コンテンツ情報の複製を複製コンテンツ情報として生成する複製コンテンツ情報生成部と、前記複製コンテンツ情報を記憶するための複製コンテンツ情報記憶部と、生成された前記複製コンテンツ情報を、読み出された前記媒体識別情報に対応付けて前記複製コンテンツ情報記憶部に登録する複製コンテンツ情報記憶制御部と、前記存在識別情報が前記情報記録媒体に前記ＩＣメモリが備えられていることを示している場合に、前記複製コンテンツ情報生成部に前記複製コンテンツ情報を生成させ、前記存在識別情報が前記情報記録媒体に前記ＩＣメモリが備えられていないことを示している場合に、前記複製コンテンツ情報生成部に前記複製コンテンツ情報を生成させない複製コンテンツ情報生成制御部とを備える。
【００１１】
これにより、情報記録媒体に搭載されているＩＣメモリにアクセスする手段を有していなくても、情報記録媒体の記録部から存在識別情報を読み出すことにより、情報記録媒体にＩＣメモリが搭載されているか否かを判定することができる。その結果、情報記録媒体がＩＣメモリを搭載している場合のみ、複製コンテンツ情報を生成することができる。また、媒体識別情報に対応付けて複製コンテンツ情報を管理することによって、情報記録媒体と複製コンテンツ情報とを一元的に管理することが可能となる。
【００１２】
また、本発明の一態様に係る情報記録媒体の利用管理方法は、可搬型の情報記録媒体であってコンピュータ読み取り可能な記録部を備える情報記録媒体の利用管理方法であって、近接無線通信によってアクセス可能なＩＣメモリが前記情報記録媒体に備えられているか否かを示す存在識別情報を前記記録部から読み出す存在識別情報読み出しステップと、前記情報記録媒体を識別するための媒体識別情報を前記記録部から読み出す媒体識別情報読み出しステップと、前記記録部からコンテンツ情報を読み出すコンテンツ情報読み出しステップと、前記コンテンツ情報の複製を複製コンテンツ情報として生成する複製コンテンツ情報生成ステップと、生成された前記複製コンテンツ情報を、読み出された前記媒体識別情報に対応付けて複製コンテンツ情報記憶部に登録する複製コンテンツ情報記憶制御ステップとを含み、前記複製コンテンツ情報生成ステップでは、前記存在識別情報が前記情報記録媒体に前記ＩＣメモリが備えられていることを示している場合に、前記複製コンテンツ情報を生成し、前記存在識別情報が前記情報記録媒体に前記ＩＣメモリが備えられていないことを示している場合に、前記複製コンテンツ情報を生成しない。
【００１３】
これにより、上記サーバ機器と同様の効果を奏することができる。
【発明の効果】
【００１４】
以上の説明から明らかなように、本発明の一態様に係る情報記録媒体等によれば、ＩＣメモリにアクセスする手段を有しないサーバ機器であっても、コンピュータ読み取り可能な記録部に記録された存在識別情報を読み出すことにより、ＩＣメモリが情報記録媒体に搭載されているか否かを判定することができる。その結果、サーバ機器は、情報記録媒体にＩＣメモリが搭載されている場合のみ、記録部に記録されたコンテンツ情報を複製することが可能となる。
【図面の簡単な説明】
【００１５】
【図１】図１は、本発明の実施の形態１に係る光ディスク媒体を示す外観図である。
【図２】図２は、ＢＣＡに記録されるＢＣＡ情報のデータ構造の一例を示す図である。
【図３】図３は、ＩＣメモリの記録領域と、その記録領域に記録されるデータのデータ構造を示す図である。
【図４】図４は、本発明の実施の形態１に係る情報記録媒体を利用するシステムの概念図である。
【図５】図５は、本発明の実施の形態１に係るサーバ機器の特徴的な構成を示すブロック図である。
【図６】図６は、イメージファイル記憶部に記憶されるデータの内部データ構造を示す図である。
【図７】図７は、本発明の実施の形態１に係るサーバ機器のイメージファイル生成処理およびイメージファイル更新処理の流れを示すフローチャートである。
【図８】図８は、本発明の実施の形態１に係るサーバ機器が端末機器から情報を受信した時の動作を示すフローチャートである。
【図９】図９は、本発明の実施の形態１に係る端末機器の特徴的な構成を示すブロック図である。
【図１０】図１０は、本発明の実施の形態１に係る端末機器において、イメージファイルの再生および更新を行うときの処理の流れを示すフローチャートである。
【図１１】図１１は、本発明の実施の形態２に係る情報記録媒体を利用するシステムの概念図である。
【図１２】図１２は、本発明の実施の形態２に係るサーバ機器の特徴的な構成を示すブロック図である。
【図１３】図１３は、本発明の実施の形態２に係るサーバ機器におけるイメージファイル作成処理の流れを示すフローチャートである。
【図１４】図１４は、本発明の実施の形態２に係る端末機器の特徴的な構成を示すブロック図である。
【図１５】図１５は、本発明の実施の形態２に係る端末機器におけるイメージファイル更新手続きを示すフローチャートである。
【図１６】図１６は、Ｂｌｕ−ｒａｙディスクなどの著作権保護規格ＡＡＣＳにて認められているＭａｎａｇｅｄＣｏｐｙを説明するための図である。
【図１７】図１７は、本発明の実施の形態３に係るシステムの概念図である。
【図１８】図１８は、本発明の実施の形態３に係る端末機器における動作を示すフローチャートである。
【図１９】図１９は、本発明の実施の形態３に係るサーバ機器の特徴的な構成を示すブロック図である。
【図２０】図２０は、本発明の実施の形態３に係るサーバ機器における処理の流れを示すフローチャートである。
【図２１】図２１は、本発明の変形例に係るサーバ機器の構成を示すブロック図である。
【発明を実施するための形態】
【００１６】
以下、本発明の実施の形態について、図面を参照しながら説明する。
【００１７】
（実施の形態１）
図１は、本発明の実施の形態１に係る光ディスク媒体を示す外観図である。
【００１８】
光ディスク媒体１００は、情報記録媒体の一例であり、少なくとも、記録部１０１と、ＩＣメモリ１０６とを備える。記録部１０１は、コンピュータ読み取り可能な記録領域を有する。具体的には、記録部１０１は、バースト・カッティング・エリア（ＢＣＡ）１０２を含むディスク管理情報領域１０３と、ユーザデータ領域１０４とを、記録領域として有する。また、本実施の形態では、光ディスク媒体１００は、さらに、近接無線通信アンテナ１０５と、クランプ領域１０７とを有する。
【００１９】
クランプ領域１０７は、光ディスク媒体１００に対して情報の記録または再生を行う光ディスク装置内のクランパー（図示せず）によって、光ディスク媒体１００がクランプされる領域である。なお、本実施の形態では、クランプ領域１０７に、近接無線通信アンテナ１０５およびＩＣメモリ１０６が配置される。
【００２０】
ＢＣＡ１０２には、光ディスクの半径方向に長いバーマークを円周上に並べた、図１に示すようなバーコードによって予めＢＣＡ情報が記録されている。
【００２１】
前記バーコードは、光ディスク媒体１００の製造時において形成される。例えば、光ディスク媒体１００の記録膜の初期化後に、記録膜、反射膜などをレーザトリミングにより除去することで、前記バーコードが形成される。そのため、バーコードにより記録されるＢＣＡ情報は、書き換え不可能な再生専用のデータとなる。
【００２２】
また、前記バーコードによって記録されたＢＣＡ情報の読み取りに関しては、光ディスク媒体１００を装着した光ディスク装置が、光ディスク媒体１００を回転させて、ＢＣＡ１０２にレーザ光を照射することで、バーコードの有無により反射光レベルが変化するバーコードデータ、すなわち再生信号が得られる。
【００２３】
図２は、ＢＣＡ１０２に記録されるＢＣＡ情報のデータ構造の一例を示す図である。
【００２４】
図２において、データ構造は、タイプ識別情報２０１と、ＩＣ識別子２０２と、予備情報２０３および２０４と、デバイスＩＤ２０５と、メディアＩＤ２０６とから構成される。図２のように、各情報は、１Ｂｙｔｅ単位でデータが記録され、例えば４Ｂｙｔｅ単位で配列化される。
【００２５】
タイプ識別情報２０１は、光ディスク媒体のタイプを識別するための情報である。タイプ識別情報２０１は、例えば、光ディスク媒体の種類（例えば、ＣＤ、ＤＶＤ、ＢＤ）、光ディスク媒体のディスク特性（例えば、再生専用、追記型、書き換え型など）を示す。
【００２６】
また、タイプ識別情報２０１のデータ量としては、例えば１Ｂｙｔｅである。
【００２７】
ＩＣ識別子２０２は、ＩＣメモリ１０６が存在するか否かを識別するための情報である。つまり、ＩＣ識別子２０２は、ＩＣメモリ１０６が光ディスク媒体１００に備えられていることを示す存在識別情報に相当する。
【００２８】
また、ＩＣ識別子２０２のデータ量は、例えば１Ｂｙｔｅである。
【００２９】
予備情報２０３および２０４には、今後追加され得る情報の記録領域として確保される情報である。
【００３０】
また、予備情報２０３および２０４のデータ量は、例えば１Ｂｙｔｅである。なお、予備情報２０３および２０４は、記録する情報がないために、例えば０埋めされる。
【００３１】
デバイスＩＤ２０５は、ＩＣメモリ１０６を識別するためのデバイス識別情報である。
【００３２】
デバイス識別情報は、例えば、ＩＣメモリ１０６の個別情報としての固有番号（例えば、製造番号）である。
【００３３】
また、デバイスＩＤ２０５のデータ量は、例えば１６Ｂｙｔｅである。
【００３４】
メディアＩＤ２０６は、光ディスク媒体１００を識別するための媒体識別情報である。
【００３５】
メディアＩＤ２０６としては、例えば、光ディスク媒体の個別情報としての固有番号（例えば、製造番号）、ユーザデータ領域１０４で記録されるデータに対する著作権情報、ディスク特性情報などが利用される。なお、ディスク特性情報は、光ディスク媒体の記録層の層数、ユーザデータ領域１０４で記録されるデータの記録容量または記録密度、アドレス管理方法の識別情報などを含む。
【００３６】
また、メディアＩＤ２０６のデータ量は、例えば１６Ｂｙｔｅである。
【００３７】
ディスク管理情報領域１０３は、ディスク特性情報が記憶されている領域、および光ディスク装置が光ディスク媒体に関する情報を記録して情報管理するための領域から構成される。
【００３８】
このディスク特性情報は、例えば図２のメディアＩＤ２０６で説明した、光ディスク媒体の記録層の層数、ユーザデータ領域１０４で記録されるデータの記録容量または記録密度、アドレス管理方法の識別情報などを含む。また、ディスク特性情報には、例えばユーザデータ領域１０４で記録されるデータを記録または再生する際のレーザ出力パワーなども含まれる。
【００３９】
また、光ディスク装置が情報管理する情報は、例えば、光ディスク媒体の欠陥情報、ユーザデータ領域１０４にデータを記録したアドレス情報、記録再生動作を行った光ディスク装置の固有情報などである。
【００４０】
ユーザデータ領域１０４は、ユーザが任意のデータを記録または再生し得るように構成されている。前記任意のデータは、例えば、オーディオデータ、ビジュアル（ビデオ）データなどのユーザデータである。なお、ユーザデータ領域１０４は、コンテンツ情報記録領域に相当する。
【００４１】
近接無線通信アンテナ１０５は、電磁誘導が生じるためのアンテナであり、例えば非接触通信用アンテナ（ループアンテナ）である。近接無線通信アンテナ１０５は、少なくとも１周以上巻かれ、ＩＣメモリ１０６に接続されている。
【００４２】
ＩＣメモリ１０６は、データの記憶や演算処理などの機能を有する集積回路であり、半導体メモリとも呼ばれる。
【００４３】
ＩＣメモリ１０６は、外部から送信された通信電波を近接無線通信アンテナ１０５を介して受信し、この受信信号に基づいた電力を生成するするとともに、受信信号に関するデータをＩＣメモリ１０６内部に記憶する、もしくはＩＣメモリ１０６内部に記憶されているデータを、近接無線通信アンテナ１０５を介して外部に送信する制御機能を有する。また、この送信は、受信する電波の反射波にＩＣメモリの記憶内容に基づく信号を乗せて行う。
【００４４】
このように、光ディスク媒体１００は、近接無線通信アンテナ１０５およびＩＣメモリ１０６により、電磁気が作用する近接領域において、電磁誘導を利用した近接無線通信が実行可能となる。
【００４５】
図３は、ＩＣメモリ１０６の記録領域と、その記録領域に記録されるデータのデータ構造を示す図である。
【００４６】
ＩＣメモリ１０６は、書き換え不可能領域３０１と、書き込み可能領域３０２と、書き換え可能領域３０３とを有する。
【００４７】
書き換え不可能領域３０１は、再生専用の領域であり、リードオンリー領域（Ｒｅａｄ−Ｏｎｌｙ  Ａｒｅａ）とも呼ばれる。書き換え不可能領域３０１には、ＩＣメモリ固有の情報であるデバイスＩＤ３０４が記録される。
【００４８】
デバイスＩＤ３０４は、ＢＣＡ１０２に記録されるデバイスＩＤ２０５と同じ情報であり、ＩＣメモリ１０６を識別するための固有番号（例えば、製造番号）である。
【００４９】
書き込み可能領域３０２は、データの書き込みが可能な領域であり、保護領域（Ｐｒｏｔｅｃｔｅｄ  Ａｒｅａ）とも呼ばれる。書き込み可能領域３０２には、暗号鍵３０５およびメディアＩＤ３０６が記録される。書き込み可能領域３０２は、ＩＣメモリ１０６とＩＣメモリ１０６のリーダライタとが相互に認証しあった後に、当該リーダライタによるアクセスが許可される領域である。
【００５０】
暗号鍵３０５は、ＩＣメモリ１０６にアクセスして、情報の読み出しを行う際に必要となる暗号化情報、および光ディスク媒体１００のユーザデータ領域１０４で記録されるデータに対する著作権情報（暗号化情報）である。
【００５１】
メディアＩＤ３０６は、ＢＣＡ１０２に記録されるメディアＩＤ２０６と同様に、光ディスク媒体の個別情報としての固有番号（例えば、製造番号）である。
【００５２】
したがって、暗号鍵３０５およびメディアＩＤ３０６に関する情報は、新たに更新する必要のない情報であるため、書き込み可能領域３０２では、一度記録された情報は保護される。
【００５３】
書き換え可能領域３０３は、データの書き換えが可能な領域であり、システム領域（Ｓｙｓｔｅｍ  Ａｒｅａ）とも呼ばれる。書き換え可能領域３０３には、サーバアドレス３０７およびユーザコード３０８が記録される。
【００５４】
サーバアドレス３０７は、光ディスク媒体１００のユーザデータ領域１０４に記録されるデータを複製コンテンツ情報として、コピーまたはムーブした先のサーバが特定できるアドレス情報である。サーバアドレス３０７は、例えばサーバの個別情報としての固有番号（例えば、製造番号）や、ＩＰアドレスの設定値などである。
【００５５】
ユーザコード３０８は、前記サーバに記録されたコピーまたはムーブされたデータにアクセス可能なユーザが特定できる情報である。ユーザコード３０８は、例えばユーザの個人情報、あるいはパスワードである。
【００５６】
以上が本発明の実施の形態１に係る光ディスク媒体に関する説明である。
【００５７】
図４は、本発明の実施の形態１に係る情報記録媒体を利用するシステムの概念図である。本実施の形態に係るシステムは、サーバ機器４０２と、端末機器４０５とを備える。
【００５８】
サーバ機器４０２は、光ディスクドライブ（図示しない、サーバ機器４０２に内蔵）とイメージファイル記憶部４０３とを有し、インターネットなどの広域通信網４０４に接続されている。光ディスクドライブは、光ディスク媒体１００に記録された情報の再生、および光ディスク媒体１００への情報の記録を行う。イメージファイル記憶部４０３には、再生された光ディスク媒体１００から得られる情報を、デバイスＩＤ２０５に基づいて暗号化して作成したイメージファイルが記憶される。なお、イメージファイルは、複製コンテンツ情報の一例である。また、イメージファイル記憶部４０３は、複製コンテンツ情報を記憶するための複製コンテンツ情報記憶部に相当する。
【００５９】
ここで、イメージファイルとは、ファイルシステムの内容と構造とを格納しているデータである。つまり、イメージファイルとは、ファイル構造およびフォルダ構造が保たれた状態で複製されたデータである。
【００６０】
端末機器４０５は、近接無線通信部４０６を有する。近接無線通信部４０６は、光ディスク媒体１００のＩＣメモリ１０６からメディアＩＤ３０６を読み取る。読み取ったメディアＩＤ３０６に基づいて、広域通信網４０４を介してイメージファイル記憶部４０３に記憶されたイメージファイルの再生や更新を行う。
【００６１】
また、端末機器４０５は、通信ネットワークアクセス手段として無線ＬＡＮアンテナ４０７を有する。端末機器４０５は、無線ＬＡＮアンテナ４０７を用いて、広域通信網４０４に接続されたアクセスポイント４０８に接続することによって、広域通信網４０４へアクセスすることができる。したがって、端末機器４０５は、広域通信網４０４を通じてサーバ機器４０２との間に通信を確立することが可能となる。
【００６２】
なお、サーバ機器４０２と端末機器４０５とは、必ずしも広域通信網４０４に接続される必要はない。サーバ機器４０２と端末機器４０５とは、互いに通信可能なように接続されればよく、例えば、ＬＡＮ（Ｌｏｃａｌ  Ａｒｅａ  Ｎｅｔｗｏｒｋ）などに接続されていてもよい。
【００６３】
次に、サーバ機器４０２の詳細について説明する。
【００６４】
図５は、本発明の実施の形態１に係るサーバ機器４０２の特徴的な構成を示すブロック図である。
【００６５】
図５に示すように、サーバ機器４０２は、イメージファイル記憶部４０３と、光ヘッド５０１と、アナログ再生処理部５０２と、ＢＣＡ再生部５０３と、ＩＣメモリ存在識別情報判定部５０４と、媒体識別情報読み出し部５０５と、デバイス識別情報読み出し部５０６と、暗号化鍵生成部５０７と、暗号化部５０８と、更新確認部５０９と、デジタル再生処理部５１１と、ファイル管理情報読み出し部５１２と、イメージファイル生成部５１３と、イメージファイル生成制御部５１４と、イメージファイル記憶制御部５１５と、イメージファイル抽出部５１６と、復号化部５１７と、媒体記録更新部５１８と、記録信号生成部５１９と、通信部５２０と、媒体識別情報判定部５２３と、媒体タイプ判定部５２４と、イメージファイル再生部５２５と、イメージファイル更新部５２６と、更新識別情報生成部５２７とを備える。
【００６６】
光ヘッド５０１は、光ディスク媒体１００に対して光ビームを照射し、光ディスク媒体１００からの反射光量に基づいた受光信号をアナログ再生処理部５０２へ出力する。
【００６７】
アナログ再生処理部５０２は、受光信号に対して所定のアナログ再生処理を施して得られるアナログ再生信号をＢＣＡ再生部５０３およびデジタル再生処理部５１１へ出力する。
【００６８】
ＢＣＡ再生部５０３は、光ディスク媒体１００に形成されたＢＣＡから得られるアナログ再生信号からＢＣＡ情報を読み出す。そして、ＢＣＡ再生部５０３は、読み出したＢＣＡ情報を、ＩＣメモリ存在識別情報判定部５０４、媒体識別情報読み出し部５０５およびデバイス識別情報読み出し部５０６へそれぞれ出力する。
【００６９】
ＩＣメモリ存在識別情報判定部５０４は、存在識別情報読み出し部に相当し、光ヘッド５０１、アナログ再生処理部５０２およびＢＣＡ再生部５０３を介して、ＢＣＡ情報に含まれるＩＣ識別子を読み出す。さらに、ＩＣメモリ存在識別情報判定部５０４は、ＢＣＡ情報に含まれるＩＣ識別子に基づいて、光ディスク媒体１００にＩＣメモリ１０６が搭載されているか否かを判定する。そして、ＩＣメモリ存在識別情報判定部５０４は、ＩＣメモリが搭載されていると判定した場合、ＩＣメモリ存在識別信号をＢＣＡ再生部５０３およびイメージファイル生成制御部５１４へ出力する。
【００７０】
媒体識別情報読み出し部５０５は、ＢＣＡ情報から媒体識別情報を抽出し、媒体識別情報をイメージファイル記憶制御部５１５へ出力する。つまり、媒体識別情報読み出し部５０５は、光ディスク媒体１００の記録部１０１から媒体識別情報を読み出す。
【００７１】
デバイス識別情報読み出し部５０６は、ＢＣＡ情報からデバイス識別情報を抽出し、デバイス識別情報をイメージファイル記憶制御部５１５および暗号化鍵生成部５０７へ出力する。つまり、デバイス識別情報読み出し部５０６は、光ディスク媒体１００の記録部１０１からデバイス識別情報を読み出す。
【００７２】
暗号化鍵生成部５０７は、ＢＣＡから読み出したデバイス識別情報を基に暗号化鍵を生成し、暗号化鍵を暗号化部５０８および復号化部５１７へ出力する。
【００７３】
デジタル再生処理部５１１は、アナログ再生信号に対して所定のデジタル再生処理を施すことによりデジタルデータを生成する。そして、デジタル再生処理部５１１は、生成したデジタルデータを、ファイル管理情報読み出し部５１２およびイメージファイル生成部５１３へそれぞれ出力する。デジタル再生処理部５１１は、記録部１０１からコンテンツ情報を読み出すコンテンツ情報読み出し部に相当する。
【００７４】
ファイル管理情報読み出し部５１２は、デジタルデータからファイル管理情報を抽出し、ファイル管理情報を更新確認部５０９へ出力する。
【００７５】
イメージファイル生成制御部５１４は、複製コンテンツ情報生成制御部に相当する。イメージファイル生成制御部５１４は、ＩＣメモリ存在識別情報判定部５０４からＩＣメモリ存在識別信号を受けた場合、イメージファイル生成指令信号をイメージファイル生成部５１３へ出力する。よって、イメージファイル生成制御部５１４は、光ディスク媒体１００にＩＣメモリが搭載されている場合のみ、イメージファイル生成部５１３にイメージファイルの生成を許可する。
【００７６】
つまり、イメージファイル生成制御部５１４は、ＩＣ識別子が光ディスク媒体１００にＩＣメモリ１０６が備えられていることを示している場合に、イメージファイル生成部５１３にイメージファイルを生成させる。一方、イメージファイル生成制御部５１４は、ＩＣ識別子が光ディスク媒体１００にＩＣメモリ１０６が備えられていないことを示している場合には、イメージファイル生成部５１３にイメージファイルを生成させない。
【００７７】
これによって、ＩＣメモリを搭載していない、従来の光ディスク媒体からイメージファイルを作成して、著作権を侵害することを抑制する。つまり、本実施の形態のように、ＩＣメモリ１０６が搭載された光ディスク媒体１００の記録部１０１（光ディスク）に記録されている情報のイメージファイルが生成される場合に、生成されるイメージファイルが記憶されるメディアが著作権管理を行うことの可能なメディアである場合のみ、イメージファイルの生成が許可される。
【００７８】
イメージファイル生成部５１３は、イメージファイル生成制御部５１４からイメージファイル生成指令信号を受けた場合、デジタルデータを基にイメージファイルを生成し、生成したイメージファイルを生成イメージファイルとして暗号化部５０８および更新確認部５０９へ出力する。つまり、イメージファイル生成部５１３は、コンテンツ情報の複製を複製コンテンツ情報として生成する複製コンテンツ情報生成部に相当する。
【００７９】
暗号化部５０８は、暗号化鍵生成部５０７によってデバイス識別情報を基に生成された暗号化鍵を用いた所定の暗号化ルール（例えば一方向性関数を用いた暗号化ルール）に基づき、生成イメージファイルを暗号化する。そして、暗号化部５０８は、暗号化したイメージファイルを暗号化イメージファイルとしてイメージファイル記憶制御部５１５へ出力する。つまり、暗号化部５０８は、複製コンテンツ情報をデバイス識別情報に基づいて暗号化する。
【００８０】
更新確認部５０９は、イメージファイル記憶制御部５１５に対して、イメージファイル記憶情報送信指令信号を出力する。
【００８１】
イメージファイル記憶制御部５１５は、イメージファイル記憶情報送信指令信号を受けた場合、媒体識別情報およびデバイス識別情報に対応するイメージファイルがイメージファイル記憶部４０３に記憶されているか否かを確認する。そして、イメージファイル記憶制御部５１５は、イメージファイルが記憶されている場合は、イメージファイルを記憶イメージファイルとして更新確認部５０９へ出力する。
【００８２】
更新確認部５０９は、ファイル管理情報比較部５１０を有する。ファイル管理情報比較部５１０は、ファイル管理情報読み出し部５１２から出力されたファイル管理情報とイメージファイル記憶制御部５１５から出力された記憶イメージファイルに含まれるファイル管理情報とを比較する。そして、更新確認部５０９は、ファイル管理情報比較部５１０による比較結果に基づいて、イメージファイル生成部５１３により生成された生成イメージファイルと、イメージファイル記憶部４０３に記憶されている記憶イメージファイルとのどちらが新しいかを判定し、判定結果をイメージファイル記憶制御部５１５へ出力する。
【００８３】
つまり、更新確認部５０９は、媒体識別情報読み出し部５０５によって読み出された媒体識別情報に対応する複製コンテンツ情報が更新されているか否かを判定する。具体的には、更新確認部５０９は、サーバ機器４０２に装てんされた光ディスク媒体１００の記録部１０１に記録されたファイル管理情報と、イメージファイル記憶部４０３に記憶されているイメージファイルが示すファイル管理情報とを比較することにより、イメージファイルが更新されているか否かを判定する。
【００８４】
イメージファイル記憶制御部５１５は、更新確認部５０９から出力された判定結果が生成イメージファイルのほうが新しいことを示す場合は、媒体識別情報とデバイス識別情報と暗号化イメージファイルとを関連付けて、イメージファイル記憶部４０３に登録する。つまり、イメージファイル記憶制御部５１５は、生成された複製コンテンツ情報を、読み出された媒体識別情報に対応付けて複製コンテンツ情報記憶部に登録する複製コンテンツ情報記憶制御部に相当する。
【００８５】
また、イメージファイル記憶制御部５１５は、更新確認部５０９から出力された判定結果が記憶イメージファイルのほうが新しいことを示す場合は、記憶イメージファイルをイメージファイル抽出部５１６へ出力する。
【００８６】
イメージファイル抽出部５１６は、記憶イメージファイルからイメージファイルを抽出し、抽出したイメージファイルを抽出イメージファイルとして復号化部５１７へ出力する。
【００８７】
復号化部５１７は、暗号化鍵を用いた所定の復号化ルールに基づき抽出イメージファイルを復号し、復号したイメージファイルを復号イメージファイルとして媒体記録更新部５１８へ出力する。復号化部５１７は、暗号化部５０８に対応した暗号化を復号化する部分である。また、暗号化部５０８および復号化部５１７は、ＩＣメモリごとの固有情報であるデバイス識別情報を用いた鍵により暗号化または復号化を行う。したがって、媒体ごとに唯一の鍵情報が形成され、暗号化データは、他の媒体のＩＣメモリのデバイス識別情報を用いて復号することは不可能である。これにより、複製イメージファイルのセキュリティを向上させることができる。
【００８８】
媒体記録更新部５１８は、復号イメージファイルに基づきデジタルデータを生成し、生成したデジタルデータを記録信号生成部５１９へ出力する。つまり、媒体記録更新部５１８は、更新確認部５０９によってイメージファイルが更新されていると判定された場合に、イメージファイル記憶部４０３に記憶されている複製コンテンツ情報に基づいて、サーバ機器４０２に装てんされる光ディスク媒体１００の記録内容を更新する媒体更新部に相当する。
【００８９】
記録信号生成部５１９は、デジタルデータに基づき、光ディスク媒体１００にデジタルデータを記録するための記録信号を生成する。そして、記録信号生成部５１９は、生成した記録信号を光ヘッド５０１へ出力する。
【００９０】
光ヘッド５０１は、記録信号に基づき、光ビームの照射レベルを制御することで光ディスク媒体１００の記録部１０１にデータを記録あるいは更新する。
【００９１】
通信部５２０は、送信部５２１と受信部５２２とを有する。
【００９２】
通信部５２０は、受信部５２２を通じて任意の端末機器４０５から情報を受信して得られる受信情報から抽出した媒体識別情報をイメージファイル再生部５２５へ出力する。
【００９３】
イメージファイル再生部５２５は、イメージファイルの送信を促す再生送信指令信号を媒体識別情報とともにイメージファイル記憶制御部５１５へ出力する。
【００９４】
イメージファイル記憶制御部５１５は、再生送信指令信号を受けた場合、媒体識別情報に対応する記憶イメージファイルを通信部５２０へ出力する。
【００９５】
通信部５２０は、送信部５２１を通じて端末機器４０５に記憶イメージファイルを送信する。また通信部５２０は、受信部５２２を通じて、送信部５２１から記憶イメージファイルを送信中である端末機器４０５からイメージファイルの更新要求を受信する。通信部５２０は、受信した更新要求を媒体識別情報判定部５２３へ出力する。
【００９６】
媒体識別情報判定部５２３は、通信部５２０から受信した媒体識別情報を媒体タイプ判定部５２４へ出力する。
【００９７】
媒体タイプ判定部５２４は、媒体識別情報に基づき媒体タイプを判定し、判定結果を媒体識別情報判定部５２３へ出力する。
【００９８】
媒体識別情報判定部５２３は、判定された媒体タイプが記録形媒体タイプである場合は、イメージファイル更新部５２６にイメージファイル更新要求を出力する。
【００９９】
イメージファイル更新部５２６は、イメージファイル更新要求に基づいて更新したイメージファイルを更新イメージファイルとして更新識別情報生成部５２７へ出力する。
【０１００】
更新識別情報生成部５２７は、イメージファイルが更新されていることを識別するための更新識別情報を生成し、更新イメージファイルに更新識別情報を付与した更新識別情報付きイメージファイルをイメージファイル記憶制御部５１５へ出力する。
【０１０１】
イメージファイル記憶制御部５１５は、更新識別情報付きイメージファイルを受けた場合、通信部５２０へ送信中の記憶イメージファイルを更新する。
【０１０２】
図６は、イメージファイル記憶部４０３に記憶されるデータの内部データ構造を示す図である。
【０１０３】
図６に表記しているように、イメージファイル記憶部４０３に記憶されるデータは、イメージファイル毎に対応付けられた、媒体識別情報とデバイス識別情報と更新識別情報と媒体タイプ識別情報とイメージファイルポインタとを含む。
【０１０４】
媒体識別情報は、光ディスク媒体１００に固有に付与されたＩＤ（例えば「ｍｅｄｉａ＃０１」あるいは「ｍｅｄｉａ＃０２」など）を示す。
【０１０５】
デバイス識別情報は、光ディスク媒体１００に搭載されているＩＣメモリに固有に付与されたＩＤ（例えば「ｄｅｖｉｃｅ＃０１」あるいは「ｄｅｖｉｃｅ＃０２」など）を示す。
【０１０６】
更新識別情報は、イメージファイル記憶部４０３に記憶されている記憶イメージファイルと光ディスク媒体１００に記録されている生成イメージファイルとの同期状態を示す。例えば、イメージファイル記憶部４０３に記憶されている記憶イメージファイルが端末機器４０５を通じて更新された場合に、更新識別情報として「ｆａｌｓｅ」が設定される。
【０１０７】
また、光ディスク媒体１００の記録情報を、端末機器４０５を通じて更新された記憶イメージファイルで更新した場合、更新識別情報として「ｔｒｕｅ」が設定される。つまり、イメージファイル記憶部４０３に記憶されている記憶イメージファイルと光ディスク媒体１００に記録されている生成イメージファイルとの同期がとれた場合に、更新識別情報として「ｔｒｕｅ」が設定される。
【０１０８】
タイプ識別情報は、イメージファイル生成元の光ディスク媒体１００の媒体タイプ（例えばＤＶＤ−ＲＯＭあるいはＢＤ−ＲＯＭなど）を示す。
【０１０９】
イメージファイルポインタは、イメージファイル記憶部４０３の中のメモリ空間内でイメージファイルを格納しているメモリ領域の先頭アドレスを示す。
【０１１０】
記憶イメージファイルは、ファイル管理情報およびコンテンツ情報を含む。ただし、記憶イメージファイルは、デバイス識別情報に基づき生成された暗号化鍵を用いて所定のルールで暗号化されている。例えば、媒体識別情報が「ｍｅｄｉａ＃０２」である光ディスク媒体１００から読み取ったファイル管理情報およびコンテンツ情報に対して、「ｄｅｖｉｄｅ＃０２」というデバイス識別情報に基づいて生成した暗号化鍵で暗号化した暗号化イメージファイルが、メモリアドレス「０ｘ２０００００００」番地を先頭としたメモリ領域に格納されている。
【０１１１】
このように、イメージファイル記憶部４０３には、媒体識別情報に対応付けて複製コンテンツ情報が登録される。
【０１１２】
次に、以上のように構成されたサーバ機器４０２における各種動作について説明する。
【０１１３】
図７は、本発明の実施の形態１に係るサーバ機器４０２のイメージファイル生成処理およびイメージファイル更新処理の流れを示すフローチャートである。
【０１１４】
サーバ機器４０２は、光ディスク媒体１００が装填されたか否かを判定するポーリング処理を行なう（Ｓ６００）。光ディスク媒体１００が装填されていない場合（Ｓ６００のＮｏ）、サーバ機器４０２は、光ディスク媒体１００が装填されたか否かの判定を繰り返す。
【０１１５】
光ディスク媒体１００が装填された場合（Ｓ６００のＹｅｓ）、ＩＣメモリ存在識別情報判定部５０４は、光ヘッド５０１、アナログ再生処理部５０２およびＢＣＡ再生部５０３を介して、光ディスク媒体１００に形成されたＢＣＡからＢＣＡ情報を読み出し、読み出したＢＣＡ情報の中からＩＣ識別子を読み出す（Ｓ６０１）。
【０１１６】
上述したように、ＩＣ識別子は、光ディスク媒体１００にＩＣメモリ１０６が搭載されているか否かを示す。したがって、ＩＣメモリ存在識別情報判定部５０４は、ＩＣ識別子に基づき光ディスク媒体１００にＩＣメモリ１０６が搭載されているか否かを判定する（Ｓ６０２）。
【０１１７】
ここで、光ディスク媒体１００にＩＣメモリ１０６が非搭載の場合は（Ｓ６０２のＮｏ）、サーバ機器４０２は、装填された光ディスク媒体１００をマウントし（Ｓ６１１）、処理を終了する。一方、光ディスク媒体１００にＩＣメモリが搭載されている場合は（Ｓ６０２のＹｅｓ）、媒体識別情報読み出し部５０５は、ＢＣＡ情報の中から媒体識別情報を読み出す（Ｓ６０３）。
【０１１８】
イメージファイル記憶制御部５１５は、読み出した媒体識別情報が既にイメージファイル記憶部４０３にて管理されているか否かを判定する（Ｓ６０４）。つまり、イメージファイル記憶制御部５１５は、読み出した媒体識別情報に対応するイメージファイルが、既にイメージファイル記憶部４０３に記憶されているか否かを判定する。
【０１１９】
ここで、読み出した媒体識別情報がまだ管理されていない場合は（Ｓ６０４のＮｏ）、サーバ機器４０２は、イメージファイルを、イメージファイル記憶部４０３へ追加登録して新たに管理するための処理（Ｓ６０５〜Ｓ６１０）を実行する。具体的には、まず、デバイス識別情報読み出し部５０６は、ＢＣＡからデバイス識別情報を読み出す（Ｓ６０５）。
【０１２０】
続いて、イメージファイル生成部５１３は、光ヘッド５０１、アナログ再生処理部５０２およびデジタル再生処理部５１１を介して、光ディスク媒体１００を再生してイメージファイルを生成する（Ｓ６０６）。具体的には、イメージファイル生成制御部５１４は、イメージファイル生成指令信号を生成する。そして、イメージファイル生成部５１３は、生成されたイメージファイル生成指令信号に従って、イメージファイルを生成する。次に、暗号化鍵生成部５０７は、読み出したデバイス情報を元に暗号鍵を生成する（Ｓ６０７）。さらに、暗号化部５０８は、生成した暗号鍵を用いて、生成したイメージファイルを暗号化する（Ｓ６０８）。
【０１２１】
続いて、イメージファイル記憶制御部５１５は、暗号化したイメージファイルを媒体識別情報に対応付けてイメージファイル記憶部４０３に登録する（Ｓ６０９）。最後に、サーバ機器４０２は、装填された光ディスク媒体１００をマウントし（Ｓ６１０）、処理を終了する。このように、サーバ機器４０２は、イメージファイルを、イメージファイル記憶部４０３へ追加登録して新たに管理するための処理（Ｓ６０５〜Ｓ６１０）を実行する。
【０１２２】
一方、読み出した媒体識別情報が既にイメージファイル記憶部４０３にて管理されている場合は（Ｓ６０４のＹｅｓ）、更新確認部５０９は、イメージファイル記憶制御部５１５を介して、イメージファイル記憶部４０３から媒体識別情報に対応する更新識別情報を抽出する（Ｓ６１２）。
【０１２３】
更新確認部５０９は、抽出した更新識別情報に基づき、イメージファイル記憶部４０３に記憶されている記憶イメージファイルが更新されているか否かを判定する（Ｓ６１３）。
【０１２４】
更新識別情報に基づいて記憶イメージファイルが更新されていないと判定された場合は（Ｓ６１３のＮｏ）、ファイル管理情報比較部５１０は、記憶イメージファイルのファイル管理情報と、装填された光ディスク媒体１００のファイル管理情報とを比較する（Ｓ６１４）。そして、更新確認部５０９は、比較結果に基づいて、イメージファイル記憶部４０３に記憶されている記憶イメージファイルが更新されているか否かを判定する（Ｓ６１５）。これは例えば通信機能を有していない光ディスク装置において、光ディスク媒体１００の記録情報が更新された場合、サーバ機器が備えるイメージファイル記憶部４０３に記憶されている更新識別情報では更新の判定ができない。そこで、更新確認部５０９は、ファイル管理情報の比較結果に基づいて、記憶イメージファイルが更新されているか否かを判定する。具体的には、更新確認部５０９は、例えば、ファイル管理情報が同一である場合に、記憶イメージファイルが更新されていないと判定する。一方、更新確認部５０９は、例えば、ファイル管理情報が互いに異なる場合に、記憶イメージファイルが更新されていると判定する。
【０１２５】
これにより、更新識別情報に基づいて記憶イメージファイルの更新が判定できない場合であっても、更新確認部５０９は、記憶イメージファイルの更新を高精度に判定することができる。
【０１２６】
ここで、ファイル管理情報に基づいて記憶イメージファイルが更新されていないと判定された場合は（Ｓ６１５のＮｏ）、サーバ機器４０２は装填された光ディスク媒体１００をマウントし（Ｓ６１６）、処理を終了する。
【０１２７】
一方、更新識別情報に基づいて記憶イメージファイルが更新されていると判定された場合（Ｓ６１３のＹｅｓ）、あるいはファイル管理情報に基づいて記憶イメージファイルが更新されていると判定された場合は（Ｓ６１５のＹｅｓ）、サーバ機器４０２は、イメージファイル記憶部４０３に記憶されている記憶イメージファイルを用いてサーバ機器４０２に装填された光ディスク媒体１００の記録内容を更新する（Ｓ６１７）。
【０１２８】
続いて、サーバ機器４０２は、光ディスク媒体１００への更新記録が終了したか否かを判定する（Ｓ６１８）。ここで、更新記録が終了している場合（Ｓ６１８のＹｅｓ）、サーバ機器４０２は装填された光ディスク媒体１００をマウントし（Ｓ６１９）、処理を終了する。
【０１２９】
一方、更新記録が終了していない場合（Ｓ６１８のＮｏ）、サーバ機器４０２は、イメージファイル記憶部４０３に記憶された記憶イメージファイルを仮想ドライブとしてマウントし（Ｓ６２０）、処理を終了する。記録に長時間かかる場合でも、本実施の形態のように、サーバ機器４０２がイメージファイルを仮想ドライブとしてマウントすることにより、サーバ機器４０２は、更新されたイメージファイルを直ちに再生することができる。
【０１３０】
以上のように、サーバ機器４０２は、イメージファイル生成処理およびイメージファイル更新処理を実行する。
【０１３１】
次に、サーバ機器４０２が端末機器４０５から情報を受信した時の動作について説明する。
【０１３２】
図８は、本発明の実施の形態１に係るサーバ機器４０２が端末機器４０５から情報を受信した時の動作を示すフローチャートである。端末機器４０５からの媒体識別情報を受信するまで、サーバ機器４０２は、端末機器４０５からの媒体識別情報を受信したか否かを判定する受信ポーリング処理を続ける（Ｓ７００）。つまり、端末機器４０５から媒体識別情報を受信していない場合（Ｓ７００のＮｏ）、サーバ機器４０２は、端末機器４０５から媒体識別情報を受信したか否かの判定を繰り返す。
【０１３３】
端末機器４０５から媒体識別情報を受信した場合（Ｓ７００のＹｅｓ）、通信部５２０は、受信した媒体識別情報に対応するイメージファイルがイメージファイル記憶部４０３に記憶されているか否かをイメージファイル記憶制御部５１５に問い合わせる（Ｓ７０１）。つまり、イメージファイル記憶制御部５１５は、受信した媒体識別情報に対応するイメージファイルがイメージファイル記憶部４０３に記憶されているか否かを判定する。
【０１３４】
受信した媒体識別情報に対応するイメージファイルがイメージファイル記憶部４０３に記憶されていない場合（Ｓ７０１のＮｏ）、通信部５２０は、イメージファイルが存在しない旨のエラーを端末機器４０５に送信し（Ｓ７０６）、端末機器４０５からの受信ポーリング処理（Ｓ７００）に戻る。
【０１３５】
受信した媒体識別情報に対応するイメージファイルがイメージファイル記憶部４０３に記憶されている場合（Ｓ７０１のＹｅｓ）、通信部５２０は、受信した媒体識別情報に対応する記憶イメージファイルを端末機器４０５に送信する（Ｓ７０２）。
【０１３６】
サーバ機器４０２は、端末機器４０５によって記憶イメージファイルが更新されたか否かを判定する（Ｓ７０３）。具体的には、サーバ機器４０２は、記憶イメージファイルを送信中である端末機器４０５からイメージファイルの更新要求を受信したか否かを判定する。
【０１３７】
ここで、端末機器４０５によって記憶イメージファイルが更新されていない場合（Ｓ７０３のＮｏ）、端末機器４０５からの受信ポーリング処理（Ｓ７００）へ戻る。
【０１３８】
一方、端末機器４０５によって記憶イメージファイルが更新された場合（Ｓ７０３のＹｅｓ）、更新識別情報生成部５２７は、更新識別情報を生成する（Ｓ７０４）。さらに、イメージファイル更新部５２６は、イメージファイルを更新する。そして、イメージファイル記憶制御部５１５は、媒体識別情報に対応付けて、更新識別情報および更新されたイメージファイルをイメージファイル記憶部４０３に登録し（Ｓ７０５）、端末機器４０５からの受信ポーリング処理（Ｓ７００）へ戻る。
【０１３９】
なお、本実施の形態では、端末機器４０５からの受信ポーリング処理で媒体識別情報を受信する例を示したが、端末機器４０５から受信するのはデバイス識別情報であってもよい。
【０１４０】
また、本実施の形態では、イメージファイル記憶部４０３に記憶されるデータが、媒体識別情報とデバイス識別情報と更新識別情報とタイプ別情報とイメージファイルポインタとを含む例を示したが、イメージファイル記憶部４０３に記憶されるデータは、イメージファイル記憶部４０３に記憶されているイメージファイルが特定できる固有情報が少なくとも含まれればよい。
【０１４１】
また、本実施の形態では、イメージファイル記憶部４０３に記憶されるデータが、各イメージファイルに対応する、媒体識別情報およびデバイス識別情報を有する例を示したが、イメージファイル記憶部４０３に記憶されるデータは、光ディスク媒体１００が保有する少なくとも１つ以上の情報の任意の組合せから生成される固有ＩＤを有してもよい。
【０１４２】
また、本実施の形態では、サーバ機器４０２は、端末機器４０５から媒体識別情報とイメージ更新要求のデータとを受信する例を示したが、更新されたイメージファイルを受信してもよい。
【０１４３】
また、本実施の形態では、デバイス識別情報がＩＣメモリ固有のＩＤである例を示したが、デバイス識別情報は、半導体プロセスにおいてマスクされた情報に限定するものではない。
【０１４４】
また、本実施の形態では、光ディスク媒体１００から取得したファイル管理情報とイメージファイル記憶部４０３に記憶されている記憶イメージファイルに含まれるファイル管理情報との比較によって最新イメージファイルを判定する例を示したが、光ディスク媒体１００の生成イメージファイルとイメージファイル記憶部４０３に記憶されている記憶イメージファイルとの比較によって最新イメージファイルを判定してもよい。
【０１４５】
次に、端末機器４０５の詳細について説明する。
【０１４６】
図９は、本発明の実施の形態１に係る端末機器４０５の特徴的な構成を示すブロック図である。
【０１４７】
本実施の形態に係る端末機器４０５は、外部との通信手段として、近接無線通信部（リーダ／ライタ）４０６と広域通信部９０３とを備える。端末機器４０５は、さらに、デバイス識別情報読み出し部９０７と、媒体識別情報読み出し部９０８と、媒体タイプ情報読み出し部９０９と、復号化部９１０と、イメージファイル記憶部９１１と、仮想ドライブエミュレート部９１２と、表示部９１３と、入力部９１４と、更新受付部９１５と、イメージファイル更新部９１６と、媒体タイプ判定部９１７と、暗号化部９１８とを備える。
【０１４８】
近接無線通信部４０６は、受信部９０１と送信部９０２とを有し、ＩＣメモリ１０６とデータの送受信を行うことができる。ＩＣメモリ１０６から読み出された情報を元に、デバイス識別情報読み出し部９０７はＩＣメモリ固有のデバイスＩＤ（デバイス識別情報）を読み出す。媒体識別情報読み出し部９０８は、ＩＣメモリ１０６に記憶されている媒体識別情報（メディアＩＤ）を読み出す。媒体タイプ情報読み出し部９０９は、光ディスク媒体１００のＩＣメモリ１０６から、媒体タイプ情報（書き換え型、追記型、再生専用型など）を読み出す。ここで、媒体タイプ情報とは、媒体に記録されたデータを更新可能か否かを示す属性情報である。例えば、媒体タイプ情報は、書き換え型、追記型、再生専用型など光ディスク媒体１００の属性を示す。
【０１４９】
広域通信部９０３は、媒体識別情報送信部９０４と、イメージファイル受信部９０５と、イメージファイル送信部９０６とを有する。媒体識別情報送信部９０４は、媒体識別情報読み出し部９０８が読み出した媒体識別情報をサーバ機器４０２に送信し、媒体識別情報に対応するイメージファイルを要求する。イメージファイル受信部９０５は、サーバ機器４０２から送信されたイメージファイルを受信する。
【０１５０】
受信したイメージファイルは暗号化されている。そこで、復号化部９１０は、デバイス識別情報を使って復号化を行う。デバイス識別情報はＩＣメモリ固有のＩＤ情報であり、媒体とも１対１で対応付けされているため、対応デバイスを使わなければ復号化を行うことができず、セキュアなシステムが可能になる。
【０１５１】
イメージファイル記憶部９１１には、復号されたイメージファイルが記憶される。仮想ドライブエミュレート部９１２は、イメージファイル記憶部９１１に記憶されたイメージファイルを用いて、仮想的に媒体へのアクセスが可能になるエミュレータを作成する。これにより、端末機器４０５が光ディスク媒体１００の記録部１０１に記録されたデータを読み出すことができるドライブ装置を搭載していない場合であっても、端末機器４０５は、エミュレータを表示部９１３に表示させることにより、入力部９１４が受け付けたユーザの操作に応じて仮想的に媒体へ記録または再生することが可能となる。
【０１５２】
ここで、仮想的に媒体への記録を行った場合、すなわちエミュレータを実行してイメージファイルの更新を行った場合、更新受付部９１５が更新情報を受付け、イメージファイル更新部９１６がイメージファイルの更新を行う。
【０１５３】
このとき、媒体タイプ判定部９１７は、媒体タイプ情報読み出し部９０９によって読み出された媒体タイプ情報に基づいて、イメージファイルの更新の可否を判定する。そして、媒体タイプ判定部９１７は、判定結果を示す判定信号を生成し、イメージファイル更新部９１６に送信する。例えば、媒体タイプが書き換え型を示す場合は、媒体タイプ判定部９１７は、イメージファイルの更新を許可すると判定する。また、例えば、媒体タイプが追記型の場合であって媒体の容量に空きがある場合は、媒体タイプ判定部９１７は、イメージファイルの更新（追記）のみ許可すると判定する。また、例えば、媒体タイプが再生専用型の場合は、媒体タイプ判定部９１７は、更新を許可しないと判定する。
【０１５４】
このような場合に、ＩＣメモリ１０６に、さらに、光ディスク媒体１００の記録部１０１の使用されていない空き領域あるいは空き容量を示す情報が記憶されていてもかまわない。ただし、この構成の場合には、後の実施の形態２で示すように、サーバ機器４０２の光ディスクドライブが、ＩＣメモリ１０６へのアクセス手段を有する構成とし、光ディスク内容の更新に従って、ＩＣメモリ１０６に空き領域あるいは空き容量を記憶させる構成とすることによって実現する。このようにすれば、例え光ディスク媒体１００が追記媒体であっても、端末機器４０５は、光ディスク媒体１００の記録部１０１に空き容量がないことを判定して、イメージファイルが更新可能か否かの判定を行うことが可能となる。
【０１５５】
暗号化部９１８は、デバイス識別情報読み出し部９０７によって読み出されたデバイス識別情報を用いて、イメージファイルの内容を暗号化する。そして、イメージファイル送信部９０６は、暗号化されたイメージファイルをサーバ機器４０２に送信する。これにより、サーバ機器４０２に記憶されているイメージファイルが更新される。
【０１５６】
次に、以上のように構成された端末機器４０５における各種動作について説明する。
【０１５７】
図１０は、本発明の実施の形態１に係る端末機器において、イメージファイルの再生および更新を行うときの処理の流れを示すフローチャートである。
【０１５８】
まず、端末機器４０５は、近接無線通信部（リーダ／ライタ）４０６によって近接無線通信可能なＩＣメモリが検出されたか否かを判定するポーリング処理を行う（Ｓ１００２）。
【０１５９】
ここで、近接無線通信可能なＩＣメモリが検出されない場合は（Ｓ１００２のＮｏ）、引き続きポーリング処理を継続して実施する。一方、近接無線通信可能なＩＣメモリが検出された場合（Ｓ１００２のＹｅｓ）は、端末機器４０５は、ＩＣメモリ１０６との相互認証を行う（Ｓ１００３）。そして、相互認証が問題無く行われた場合は、端末機器４０５は、通信路暗号鍵をＩＣメモリ１０６と共有する（Ｓ１００４）。続いて、媒体識別情報読み出し部９０８は、近接無線通信部４０６を介して、ＩＣメモリ１０６から媒体識別情報を読み出す（Ｓ１００５）。
【０１６０】
媒体識別情報送信部９０４は、読み出された媒体識別情報をサーバ機器４０２に送信する（Ｓ１００６）。続いて、広域通信部９０３は、サーバ機器４０２と正しくデータを送受信することができたか否かを判定する（Ｓ１００７）。
【０１６１】
ここで、サーバ機器４０２と正しくデータを送受信することができないことを示すエラー出力がある場合は（Ｓ１００７のＮｏ）、端末機器４０５は、表示部９１３にエラーを出力して（Ｓ１００８）、処理を終了する。ただし、送受信中に問題が発生することによって正しくデータを送受信することができない場合もあるため、端末機器４０５は、サーバ機器４０２とのデータの送受信を何度か試みた結果に基づいて、表示部９１３にエラーを出力しても構わない。
【０１６２】
一方、エラー出力が無い場合は（Ｓ１００７のＹｅｓ）、イメージファイル受信部９０５は、サーバ機器４０２からイメージファイルを受信する（Ｓ１００９）。デバイス識別情報読み出し部９０７は、近接無線通信部４０６を介して、ＩＣメモリ１０６からデバイス識別情報を読み出す（Ｓ１０１０）。そして、復号化部９１０は、デバイス識別情報を用いて、受信したイメージファイルの復号化を行う（Ｓ１０１１）。
【０１６３】
媒体タイプ情報読み出し部９０９は、近接無線通信部４０６を介して、ＩＣメモリ１０６から媒体タイプ情報を読み出す（Ｓ１０１２）。媒体タイプ判定部９１７は、読み出された媒体タイプ情報を用いて、イメージファイルが更新（書き込み）可能か否かを判定する（Ｓ１０１３）。
【０１６４】
ここで、媒体タイプ情報が更新不可能（例えば再生専用型）を示す場合は（Ｓ１０１３のＮｏ）、端末機器４０５は、イメージファイルの再生のみを行う（Ｓ１０１４）。イメージファイルの再生は、仮想ドライブエミュレート部９１２によって、イメージファイル記憶部９１１に記憶されたイメージファイルを用いて作成されたエミュレータを表示部９１３に表示することで行われる。
【０１６５】
一方、媒体タイプ情報が更新可能（例えば書き換え型または追記型）を示す場合は（Ｓ１０１３のＹｅｓ）、端末機器４０５は、イメージファイルを再生する（Ｓ１０１５）。そして、更新受付部９１５は、イメージファイルの更新を受付ける（Ｓ１０１６）。ここで更新要求がなければ（Ｓ１０１７のＮｏ）、イメージファイルの再生のみで処理を終了する（Ｓ１０１８）。一方、更新要求があった場合は（Ｓ１０１７のＹｅｓ）、イメージファイル更新部９１６は、イメージファイルの更新を行う（Ｓ１０１９）。このとき、イメージファイル更新部９１６は、イメージファイルの更新と共に、更新識別情報を生成する（Ｓ１０２０）。更新識別情報とは、イメージファイルが更新されているか否かを示す情報である。例えば、更新識別情報は、イメージファイルを更新した日時または更新内容を含む。したがって、サーバ機器４０２は、この更新識別情報を参照することで、光ディスク媒体１００に記録されているデータを更新する必要があるか否かを容易に判断することができる。
【０１６６】
暗号化部９１８は、更新されたイメージファイルを、デバイス識別情報を使って暗号化する（Ｓ１０２１）。そして、イメージファイル送信部９０６は、暗号化されたイメージファイルをサーバ機器４０２に送信する（Ｓ１０２２）。
【０１６７】
以上のように、本実施の形態に係る端末機器４０５は、リーダ／ライタを用いて情報記録媒体からデバイス識別情報あるいは媒体識別情報を読み出し、読み出したデバイス識別情報あるいは媒体識別情報をサーバ機器４０２に送信する。これにより、端末機器４０５は、サーバ機器４０２から情報記録媒体に対応するイメージファイルを受信し、受信したイメージファイルを利用してデータの再生あるいは記録を行うことができる。すなわち、端末機器４０５は、情報記録媒体の記録部に記録されたデータを再生するため、または情報記録媒体の記録部にデータを記録するためのドライブ装置を備えていない場合であっても、情報記録媒体の記録部に記録されたデータを再生する、または情報記録媒体の記録部にデータを記録することと同様の処理を行うことができる。
【０１６８】
なお、近接無線通信アンテナ１０５のアンテナ形状は、光ディスク媒体１００の形状と相似関係としてもよい。例えば、光ディスク媒体１００が円盤状で回転することにより、データが光ディスク媒体１００の記録部１０１に対して記録または再生される場合では、光ディスク媒体１００が光ディスク装置に装着された時における光ディスク媒体１００の装着方向、すなわち円周方向の角度は限定されない。そのため、光ディスク媒体１００の装着方向に依存せずに、安定した無線通信が実行できるように、近接無線通信アンテナ１０５のアンテナ形状は、光ディスク媒体１００と同じ形状（この場合は円形）であることが好ましい。
【０１６９】
なお、近接無線通信アンテナ１０５およびＩＣメモリ１０６は、クランプ領域１０７の内部に配置してもよい。例えば、クランプ領域１０７は、少なくとも２つ以上の媒体を組み合わせる構造であり、なおかつクランプ領域に形成した際に、近接無線通信アンテナ１０５およびＩＣメモリ１０６がクランプ領域内に配置できる空間を持たすことにより実現できる。これにより、近接無線通信アンテナ１０５およびＩＣメモリ１０６は、外気に触れることがないため、損傷や水などの液体の付着する可能性が極めて低くなる。この結果、ＩＣメモリ１０６内部のデータをより安全に記憶することができ、また通信機能の悪化もしくは消失を防止することができる。
【０１７０】
なお、クランプ領域１０７内における近接無線通信アンテナ１０５は、クランプ領域内の外周付近に配置してもよい。これにより、通信電波の送受信範囲を広げることができ、外部との通信を効率よく行うことができる。
【０１７１】
また、近接無線通信アンテナ１０５は、クランプ領域１０７に限定されず、他の領域に配置してもよい。例えば、光ディスク媒体の最外周に配置してもよい。これにより、さらに通信電波の送受信範囲を広げることができ、外部との通信を効率よく行うことができる。
【０１７２】
さらに、近接無線通信を行う端末機器の種類などに応じて、近接無線通信アンテナ１０５の配置位置を変更してもよい。
【０１７３】
なお、光ディスク装置が、光ディスク媒体１００のユーザデータ領域１０４にレーザ光を照射して、任意のデータを記録または再生する場合、近接無線通信アンテナ１０５は、レーザ光の照射側からみて、ユーザデータ領域１０４よりも奥側に配置してもよい。これにより、近接無線通信アンテナ１０５は、ユーザデータ領域１０４に関するデータの記録または再生動作に影響することなく、アンテナの配置が可能な範囲を広げることができる。また、近接無線通信アンテナ１０５が、光ディスク媒体１００の反射層として使用されてもよい。
【０１７４】
なお、通信電波の減衰を防止するために、近接無線通信アンテナ１０５を配置する領域は、絶縁性の媒質で構成されることが好ましい。
【０１７５】
なお、ＩＣメモリ１０６は、密着型の通信機能を有してもよい。これにより、ノイズなどの外乱によって、無線通信を行う通信電波の伝達が悪い環境下においても、接触型通信機能を有する端末機器と通信することができる。
【０１７６】
なお、ＩＣ識別子２０２において、ＩＣメモリ１０６が存在しない情報が記録されている場合、デバイスＩＤ２０５の情報は無効なデータ（例えばダミーデータ、０埋めなど）とすることが好ましい。これにより、ＩＣメモリ１０６が存在する光ディスク媒体におけるデバイスＩＤ２０５の情報と競合することがない。
【０１７７】
なお、イメージファイルの更新の可否判断は、媒体タイプ情報によって一意的に決まるものでなくてもよい。例えば再生専用型であっても、イメージファイルに対してはそれを更新してもかまわない。例えば映画などのコンテンツのイメージファイルに対して、インターネットなどを用いて追加の情報（特典映像や多言語字幕、最新の予告情報など）を追加・更新することで、よりユーザの利便性が向上する。
【０１７８】
その際、ユーザに情報記録媒体には保存できないというメッセージを表示してもよい。
【０１７９】
また、ムーブであれば、更新されたイメージファイルを追記型媒体にムーブしてもよい。
【０１８０】
なお、媒体タイプ情報は、媒体のタイプだけでなく、媒体に記録されてある情報を用いてもよい。例えば追記型媒体であっても、情報にプロテクトがかかってある場合は、イメージファイルの更新を行わないようにしてもよい。また、書換え型や追記型媒体であっても、ファイナライズを行っている場合は、再生専用型媒体と同様の扱いとなり、イメージファイルの更新を行わないようにしてもよい。また、追記型媒体で記録情報の空きが無い場合も、イメージファイルの更新を行わないようにしてもよい。
【０１８１】
なお、イメージファイルの送受信は、イメージファイルそのものを扱うのではなく、圧縮情報を扱ってもよい。イメージファイルを受信するときは圧縮情報として受信した後、解凍してから再生を行い、逆に送信するときはイメージファイルを圧縮してから送信する。これによってサーバ機器との通信時間の短縮を図ることができる。
【０１８２】
なお、更新されたイメージファイルをサーバ機器に送受信するタイミングは、更新する度に行ってもよいし、一定時間毎に行ってもよいし、端末機器の作業終了後に行ってもよい。
【０１８３】
ユーザにサーバ機器との送受信中の待ち時間を感じさせないように、ユーザの作業のバックグランドで送受信を行うようにするとユーザがストレスを感じることがない。
【０１８４】
なお、イメージファイルは更新識別情報を使って更新があったか否かを判定してもよい。更新識別情報が以前に保存されていたデータと異なるもののみ、更新があったと判定し、サーバ機器に送信する。
【０１８５】
なお、ユーザの個人情報とは、サーバ機器４０２へのアクセスアカウント以外に、ユーザの生体情報も含まれる。生体情報とは、指紋、虹彩、静脈パターンや、声紋データなども含まれる。このような情報の認証は、サーバ機器４０２や端末機器４０５によって行われる。そのため、端末機器４０５には、ユーザの指紋、虹彩、静脈パターンをセンシングするためのスキャナー装置や、声紋データをセンシングするためのマイクなどが実装されている。
【０１８６】
サーバ機器４０２で認証する場合には、端末機器４０５はＩＣメモリ１０６に含まれるユーザコード３０８とセンシングした生体情報をサーバ機器４０２に送信して、サーバ機器４０２にてこれらが同一人物であるかの認証を行う。サーバ機器４０２は、同一人物と判定した場合にのみ、コンテンツ情報を端末機器４０５に送信する。
【０１８７】
また、端末機器４０５で認証する場合も同様に、ＩＣメモリ１０６に含まれるユーザコード３０８とセンシングした生体情報を比較し、同一人物であると判定した場合のみ、サーバ機器４０２へのコンテンツ要求を行う。
【０１８８】
以上、どちらの方法においても、光ディスクのＩＣメモリ１０６に生体情報を登録したユーザのみが、サーバ機器４０２に記録されているコンテンツ情報を利用することが可能となり、万が一、光ディスク媒体１００が第３者の手に渡ったとしても、コンテンツが不正に利用されることはないので、光ディスクに記録されているデジタル著作物の著作権保護が実現できることと、第３者に自身の記録情報が漏洩するリスクを低減することが可能となる。
【０１８９】
また、ＩＣメモリ１０６への生体情報の登録は、サーバ機器４０２にて、イメージファイルを作成する段階にて、イメージファイルを作成時に、作成者の生体情報をセンシングして、ＩＣメモリ１０６に登録する。この場合は、サーバ機器４０２においても、ＩＣメモリ１０６へのアクセス手段を有するとともに、生体情報のセンシング手段を有する。
【０１９０】
また、サーバ機器４０２において、イメージファイルを作成するとき、センシングした生体情報から暗号鍵を生成して、イメージファイルを管理しておけば、なお強固にセキュリティが向上する。
【０１９１】
（実施の形態２）
本発明の実施の形態２では、ＩＣタグのリーダ／ライタなどの近接無線通信部と、光ディスクドライブとを備えたサーバ機器、および近接無線通信部を備えた端末機器におけるイメージファイルの作成方法について説明する。本実施の形態では、実施の形態１と比較し、サーバ機器がＩＣメモリへのアクセス手段である近接無線通信部を備える点が異なる。
【０１９２】
また、本実施の形態に係る光ディスク媒体１００が備えるＩＣメモリ１０６の書き換え可能領域３０３には、さらに、更新識別情報が記録される。
【０１９３】
以下、実施の形態１と異なる点を中心に、実施の形態２について図面を参照しながら説明する。
【０１９４】
図１１は、本発明の実施の形態２に係る情報記録媒体を利用するシステムの概念図である。なお、図１１において、図４に示す構成要素と同様の構成要素については同一の符号を付し、説明を省略する。
【０１９５】
本実施の形態に係るシステムは、サーバ機器１１００と、第２サーバ機器１２００と、端末機器１３００とを備える。サーバ機器１１００と第２サーバ機器１２００と端末機器１３００とは、広域通信網４０４を介して互いに接続される。
【０１９６】
また、サーバ機器１１００は、イメージファイル記憶部４０３に加えて、近接無線通信部１１１２を備える。
【０１９７】
図１２は、本発明の実施の形態２に係るサーバ機器の特徴的な構成を示すブロック図である。なお、図１２において、図５に示す構成要素と同様の構成要素については同一の符号を付し、説明を省略する。
【０１９８】
図１２に示すように、サーバ機器１１００は、イメージファイル記憶部４０３と、光ヘッド５０１と、アナログ再生処理部５０２と、ＢＣＡ再生部５０３と、ＩＣメモリ存在識別情報判定部５０４と、媒体識別情報読み出し部５０５と、暗号化鍵生成部５０７と、暗号化部５０８と、デジタル再生処理部５１１と、イメージファイル生成部５１３と、イメージファイル生成制御部５１４と、イメージファイル抽出部５１６と、復号化部５１７と、媒体記録更新部５１８と、記録信号生成部５１９と、通信部５２０と、媒体識別情報判定部５２３と、媒体タイプ判定部５２４と、イメージファイル再生部５２５と、イメージファイル更新部５２６と、更新識別情報生成部５２７と、イメージファイル記憶制御部１１０９と、更新識別情報読み出し部１１１３と、デバイス識別情報読み出し部１１１４と、更新確認部１１１６と、近接無線通信部１１１２とを備える。
【０１９９】
イメージファイル記憶制御部１１０９は、デバイス識別情報読み出し部１１１４によってＩＣメモリ１０６から読み出された媒体識別情報と、媒体識別情報読み出し部５０５によって記録部１０１から読み出された媒体識別情報とを比較する。ここで、２つの媒体識別情報が一致する場合にのみ、イメージファイル記憶制御部１１０９は、イメージファイル生成部５１３にイメージファイルを生成させる。一方、２つの媒体識別情報が一致しない場合、イメージファイル記憶制御部１１０９は、エラー情報を図示しない表示部に出力し、イメージファイル生成部５１３にイメージファイルを生成させない。
【０２００】
更新識別情報読み出し部１１１３は、近接無線通信部１１１２を介して、ＩＣメモリ１０６から更新識別情報を読み出す。
【０２０１】
デバイス識別情報読み出し部１１１４は、近接無線通信部１１１２を介して、ＩＣメモリ１０６から、媒体識別情報とデバイス識別情報とを読み出す。
【０２０２】
更新確認部１１１６は、更新識別情報読み出し部１１１３によって読み出された更新識別情報に基づいて、イメージファイルが更新されているか否かを判定する。
【０２０３】
近接無線通信部１１１２は、受信部と送信部とを有し、ＩＣメモリ１０６とデータの送受信を行うことができる。
【０２０４】
次に、以上のように構成されたサーバ機器１１００における各種動作について説明する。
【０２０５】
図１３は、本発明の実施の形態２に係るサーバ機器におけるイメージファイル作成処理の流れを示すフローチャートである。なお、図１３において、図７に示す処理と同様の処理については同一の符号を付し、説明を省略する。
【０２０６】
ステップＳ６００〜Ｓ６０３までの処理が実行された後、デバイス識別情報読み出し部１１１４は、近接無線通信部１１１２を介してＩＣメモリ１０６に記録された媒体識別情報を読み出す（Ｓ１２０１）。
【０２０７】
イメージファイル記憶制御部１１０９は、ステップＳ６０３およびステップＳ１２０１において読み出された２つの媒体識別情報を比較する（Ｓ１２０２）。ここで、２つの媒体識別情報が一致していないとき（Ｓ１２０２のＮｏ）には、イメージファイル記憶制御部１１０９は、図示しない表示部にエラー情報を出力し（Ｓ１２０３）、処理を終了する。光ディスク媒体の製造過程において、ＩＣメモリの個体情報がＢＣＡに記録されるため、正規の光ディスク媒体では２つの識別情報は一致している。したがって、これらが一致していないときには、装填された光ディスク媒体が不正規な光ディスク媒体である可能性が高いので、サーバ機器１１００は、エラー情報を出力し、イメージファイルが生成されることなどを防止する。
【０２０８】
一方、２つの媒体識別情報が一致している場合には（Ｓ１２０２のＹｅｓ）、続いて、イメージファイル記憶制御部１１０９は、イメージファイル記憶部４０３において該媒体識別情報が既に管理されているか否かを判定する（Ｓ６０４）。
【０２０９】
ここで、媒体識別情報がまだ管理されていない場合には（Ｓ６０４のＮｏ）、サーバ機器１１００は、イメージファイルを、イメージファイル記憶部４０３へ追加登録して新たに管理するための処理（Ｓ１２０４、Ｓ６０６〜Ｓ６１０）を実行する。具体的には、まず、デバイス識別情報読み出し部１１１４は、近接無線通信部１１１２を介して、ＩＣメモリ１０６からデバイス識別情報を読み出す（Ｓ１２０４）。続いて、ステップＳ６０６〜Ｓ６１０の処理が実行される。なお、デバイス識別情報が読み出された後の処理（Ｓ６０６〜Ｓ６１０）は、図７に示した処理と同様であるので、説明を省略する。
【０２１０】
一方、媒体識別情報が既に管理されている場合には（Ｓ６０４のＹｅｓ）、更新識別情報読み出し部１１１３は、近接無線通信部１１１２を介して、ＩＣメモリ１０６から更新識別情報を読み出す（Ｓ１２０５）。そして、更新確認部１１１６は、読み出された更新識別情報に基づいて、イメージファイルが更新されているか否かを判定する（Ｓ１２０６）。ここで、イメージファイルが更新されていない場合には（Ｓ１２０６のＮｏ）、サーバ機器１１００は装填された光ディスク媒体１００をマウントし（Ｓ６１６）、処理を終了する。
【０２１１】
一方、イメージファイルが更新されている場合には（Ｓ１２０６のＹｅｓ）、サーバ機器１１００は、サーバ機器１１００に装填された光ディスク媒体１００の記録内容を更新する（Ｓ１２０７）。
【０２１２】
具体的には、サーバ機器１１００は、以下に示す処理により、光ディスク媒体１００の記録内容を更新する。
【０２１３】
まず、イメージファイル記憶制御部１１０９は、サーバ機器１１００に装填された光ディスク媒体１００に記録するための更新イメージファイルを要求する信号を、送信部５２１を介して第２サーバ機器１２００に送信する。そして、受信部５２２が第２サーバ機器１２００から更新イメージファイルを受け取り、受け取った更新イメージファイルが媒体識別情報判定部５２３に出力される。媒体タイプ判定部５２４は、イメージファイルがサーバ機器１１００で取り扱える媒体（例えば所定の追記型の光ディスク媒体）であるか否か、あるいは書き換えが許可されているか否か等を判定する。そして、サーバ機器１１００で記録可能と判定された場合に、イメージファイル再生部５２５は、更新イメージファイルをイメージファイル記憶制御部１１０９に出力する。
【０２１４】
このときイメージファイルが更新されたことをイメージファイル更新部５２６が確認する。そして、更新識別情報生成部５２７は、更新識別情報を生成し、イメージファイル記憶制御部１１０９に出力する。イメージファイル記憶制御部１１０９は、更新識別情報読み出し部１１１３によって読み出された更新識別情報と、更新識別情報生成部によって生成された更新識別情報とが一致しているか否かを判定する。そして、２つの更新識別情報が一致している場合に、イメージファイル記憶制御部１１０９は、イメージファイル抽出部５１６に更新イメージファイルを出力する。
【０２１５】
イメージファイル抽出部５１６は、更新イメージファイルを復号化部５１７に出力する。復号化部５１７は、暗号化鍵生成部５０７の出力信号である暗号化鍵を用いて更新イメージファイルを復号化する。そして、媒体記録更新部５１８は、復号化部５１７によって復号化されたイメージファイルに基づいてデジタルデータを生成し、生成したデジタルデータを記録信号生成部５１９へ出力する。記録信号生成部５１９は、デジタルデータに基づき、光ディスク媒体１００にデジタルデータを記録するための記録信号を生成する。そして、記録信号生成部５１９は、生成した記録信号を光ヘッド５０１へ出力する。光ヘッド５０１は、記録信号に基づき、光ビームの照射レベルを制御することで光ディスク媒体１００の記録部１０１にデータを記録あるいは更新する。
【０２１６】
以上のように、ステップＳ１２０７の処理が実行される。続いて、ステップＳ６１８〜Ｓ６２０の処理が実行され、処理が終了する。なお、ステップＳ６１８〜Ｓ６２０の処理は、図７に示した処理と同様であるので、説明を省略する。
【０２１７】
なお、ステップＳ６０２において、ＩＣメモリ存在識別情報判定部５０４は、さらに、近接無線通信部１１１２を介してＩＣメモリ１０６にアクセス可能であるか否かに基づいて、光ディスク媒体１００にＩＣメモリ１０６が搭載されているか否かを判定してもよい。この場合、ＩＣメモリ存在識別情報判定部５０４は、記録部１０１に記録されたＩＣ識別子に基づく判定と、ＩＣメモリ１０６にアクセス可能であるか否かに基づく判定との２つの判定結果が一致しない場合には、光ディスク媒体１００にＩＣメモリ１０６が搭載されていないと判定することが好ましい。
【０２１８】
これにより、ＩＣメモリが本来搭載されていない光ディスク媒体に、不正にＩＣメモリが搭載された場合に、サーバ機器は、複製コンテンツが生成されることを抑制でき、セキュリティを向上させることが可能となる。さらに、ＩＣメモリが搭載されていない光ディスク媒体に記録されたＩＣ識別子が不正に書き換えられた場合にも、サーバ機器は、複製コンテンツが生成されることを抑制でき、セキュリティを向上させることが可能となる。
【０２１９】
次に、近接無線通信部を備えた端末機器１３００におけるイメージファイルの更新方法について説明する。
【０２２０】
図１４は、本発明の実施の形態２に係る端末機器の特徴的な構成を示すブロック図である。なお、図１４において、図９に示す構成要素と同様の構成要素については同一の符号を付し、説明を省略する。
【０２２１】
図１４に示すように、端末機器１３００は、実施の形態１に係る端末機器４０５が備える構成要素に加えて、さらに更新識別情報書き込み部１３０１を備える。
【０２２２】
更新識別情報書き込み部１３０１は、近接無線通信部４０６を介して、ＩＣメモリ１０６に更新識別情報を書き込む。
【０２２３】
次に、以上のように構成された端末機器１３００における各種動作について説明する。
【０２２４】
図１５は、本発明の実施の形態２に係る端末機器におけるイメージファイル更新手続きを示すフローチャートである。なお、イメージファイル更新手続き以外の処理については、図１０に示した処理と同様であるので、図示および説明を省略する。
【０２２５】
イメージファイル更新部９１６が更新識別情報を生成した後（Ｓ１０２０）、更新識別情報書き込み部１３０１は、近接無線通信部４０６を介して、生成された更新識別情報をＩＣメモリ１０６に書き込む（Ｓ１４０１）。続いて、暗号化部９１８は、デバイス識別情報読み出し部９０７の出力信号に含まれるデバイス識別情報を用いて、更新されたイメージファイルを暗号化する（Ｓ１０２１）。そして、イメージファイル送信部９０６は、第２サーバ機器１２００に、更新されたイメージファイルを送信する（Ｓ１４０２）。
【０２２６】
以上のように、本実施の形態に係る端末機器１３００は、イメージファイルを更新した際にインターネットあるいはローカルネットワークで繋がった第２サーバ機器１２００に更新したイメージファイルを送信するとともに、情報記録媒体が備えるＩＣメモリに更新識別情報を記録する。これにより、端末機器１３００は、次回、情報記録媒体のＩＣメモリに記録された情報を取得することで、情報記録媒体の記録部に記録されたデータを再生する手段がない場合でも、更新されたイメージファイルを再生することができる。
【０２２７】
（実施の形態３）
次に、本発明の実施の形態３について、図面を用いて説明する。
【０２２８】
まず、はじめに、Ｂｌｕ−ｒａｙディスクなどの著作権保護規格ＡＡＣＳにて認められているＭａｎａｇｅｄ  Ｃｏｐｙについて説明する。
【０２２９】
図１６は、Ｂｌｕ−ｒａｙディスクなどの著作権保護規格ＡＡＣＳにて認められているＭａｎａｇｅｄ  Ｃｏｐｙを説明するための図である。
【０２３０】
Ｍａｎａｇｅｄ  Ｃｏｐｙとは、ネットワーク接続された再生装置を規定し、ネットワークによって接続される管理サーバ（Ｒｅｍｏｔｅ  Ｓｅｒｖｅｒ）との認証を行い、ユーザに付加的なサービスを提供できる仕組みである。
【０２３１】
付加的なサービスとは、例えば、映画タイトルの記録されたＲＯＭディスクから自宅のホームサーバなどにコンテンツをコピーまたはムーブしたり、特定施設内（例えばアミューズメントパークなど）で、自宅では使用できないコンテンツが使用できるようになったり、タイトルに付随する出演者などのインタビューコンテンツを表示させたりすることを想定している。
【０２３２】
Ｍａｎａｇｅｄ  Ｃｏｐｙ対応の光ディスク１５０１は、ユーザデータ領域に暗号化されたコンテンツ情報が記録される。また、管理情報領域には、管理サーバのＵＲＬと、各コンテンツの利用条件が示されたＴｉｔｌｅ  Ｕｓａｇｅ  Ｆｉｌｅ（ＴＵＦ）と、コンテンツの識別情報であるコンテンツＩＤと、ディスクごとを識別可能なシリアル番号とが記録されている。通常、シリアル番号は、不正なものに書き換えされないように光ディスクのＢＣＡにバーコード状に反射膜を除去したマークで記録されている。
【０２３３】
図１６では、光ディスク１５０１から光ディスクの読み出しドライブである光ディスクドライブを搭載したホームサーバ１５０２のハードディスク１５０３にコンテンツ情報をムーブする場合について説明する。
【０２３４】
ホームサーバ１５０２に、光ディスク１５０１が装填され、さらにユーザからハードディスクへのムーブコマンドを受けると、ホームサーバ１５０２は、光ディスク１５０１のディスク管理情報領域から、管理サーバ１５０５のＵＲＬと、Ｔｉｔｌｅ  Ｕｓａｇｅ  Ｆｉｌｅ（ＴＵＦ）と、コンテンツＩＤと、シリアル番号とを読み出す。また、ホームサーバ１５０２は、管理サーバ１５０５のＵＲＬに基づいて、インターネット１５０４を介して、管理サーバ１５０５に接続する。また、ホームサーバ１５０２は、管理サーバ１５０５からの要求に応じて随時、光ディスク１５０１から読み出した、コンテンツＩＤ、ＴＵＦおよびシリアル番号を管理サーバ１５０５に送信する。
【０２３５】
管理サーバ１５０５では、ホームサーバ１５０２から送信されたコンテンツＩＤ、ＴＵＦ、およびシリアル番号に基づいて、ムーブ要求が実施可能であるかを認証する。図１６では、管理サーバ１５０５が管理データベース１５０６を持ち、この管理データベース１５０６に基づいて、光ディスクごとの要求に対応することが可能であるか否かの判定を行う。
【０２３６】
管理データベース１５０６は、要求元（図１６ではムーブ元）の光ディスクのシリアル番号、登録日、媒体の種類、再生可能回数、コピー可能回数、ムーブ可能回数、ステータス、ムーブ／コピー先の媒体のシリアル番号、所有ユーザＩＤ、暗号鍵識別子および更新日を管理する。
【０２３７】
シリアル番号は、要求元のシリアル番号であり、図１６では、光ディスク１５０１に記録されているシリアル番号である。
【０２３８】
登録日は、管理データベース１５０６にシリアル番号が登録された日時情報である。
【０２３９】
媒体タイプは、要求元の情報記録媒体の種別を示す情報であり、通常はＴＵＦの一部として提供される情報である。図１６では、光ディスク１５０１がＢｌｕ−ｒａｙＲＯＭである場合を想定しているので、この場合は、媒体タイプとして“ＢＤ−ＲＯＭ”が登録される。
【０２４０】
再生可能数、コピー可能数およびムーブ可能数は、ＴＵＦから与えられる情報であり、それぞれコンテンツの著作権者によって設定され、ＴＵＦとして管理されている情報である。したがって、それぞれの可能回数が“０”である場合には、その要求は認められていないということである。
【０２４１】
ステータスは、シリアル番号で識別される情報記録媒体のコンテンツがどのような状態にあるかを示している。例えば、「０ｘ１１１１１１１１」のシリアル番号を持ったＢＤ−ＲＯＭは、他の媒体にムーブされた状態である。したがって、このようなステータスを示している場合には、情報記録媒体からのコピー、ムーブだけではなく、再生すらも許可されない。
【０２４２】
所有ユーザＩＤは、シリアル番号に対応付けられた情報記録媒体の所有者であり、ユーザによって登録される形態でもいいし、ホームサーバ１５０２にあらかじめ設定されているユーザＩＤを管理してもいい。
【０２４３】
暗号鍵識別子は、シリアル番号に対応付けられた情報記録媒体に記録された暗号化されたコンテンツを復号するための暗号鍵の識別情報である。送信されるＴＵＦとデータベースの内容に応じて、コンテンツの再生が認められる場合には、暗号鍵識別子が指す暗号鍵を管理サーバ１５０５がホームサーバ１５０２に送信することで、ホームサーバ１５０２は、光ディスク１５０１に記録されたコンテンツを再生することが可能となる。
【０２４４】
更新日は、管理データベース１５０６の各リストが更新された日時情報である。
【０２４５】
図１６に示す例では、シリアル番号「０ｘ１１１１１１１１」のＢＤ−ＲＯＭのコンテンツが、「０ｘ２２２２２２２２」のＢＤ−Ｒにムーブされていることを示している。したがって、シリアル番号「０ｘ１１１１１１１１」に対する再生要求がある場合には、ステータスが示すとおり既にムーブ済みであることから、管理サーバ１５０５は、暗号鍵を送信せず、再生を認めない。
【０２４６】
一方、「０ｘ２２２２２２２２」のＢＤ−Ｒは、「０ｘ１１１１１１１１」のＢＤ−ＲＯＭからコンテンツがムーブされていることを示している。したがって、「０ｘ２２２２２２２２」に対する再生要求がある場合には、管理サーバ１５０５が、暗号鍵識別子の示す「Ｋｅｙ＃１」をホームサーバ１５０２に送信する。これによって、ホームサーバ１５０２は、ＢＤ−Ｒに記録された暗号コンテンツを復号して再生することができる。
【０２４７】
図１６では、「０ｘ１１１１１１１１」から「０ｘ２２２２２２２２」へのムーブに応じて、暗号化する鍵情報も変更している。すなわち、「０ｘ１１１１１１１１」に対するムーブ要求がある場合であってムーブが許可される場合には、管理サーバ１５０５は、ＢＤ−ＲＯＭの暗号鍵「Ｋｅｙ＃０」をホームサーバ１５０２に配信すると同時に、「Ｋｅｙ＃０」とは異なる暗号鍵「Ｋｅｙ＃１」も配信する。ホームサーバ１５０２は、ＢＤ−ＲＯＭから読み出した暗号化コンテンツを「Ｋｅｙ＃０」で一旦復号して、ＢＤ−Ｒにムーブ記録するときに、「Ｋｅｙ＃１」で暗号化して記録する。これによって、ムーブした後のＢＤ−Ｒに成りすまして、ムーブ済の「０ｘ１１１１１１１１」のＢＤ−ＲＯＭの再生を行わせるという不正行為にも耐性を持つことができる。
【０２４８】
図１６では、コンテンツのムーブを例にＭａｎａｇｅｄ  Ｃｏｐｙについて説明したが、Ｍａｎａｇｅｄ  Ｃｏｐｙはこの限りではない。Ｍａｎａｇｅｄ  Ｃｏｐｙは、複製管理、あるいは再生管理なども行えるし、複製および再生のそれぞれの回数を管理すること、または、使用可能な期間もしくは時間を管理することも可能である。また、ホームサーバ１５０２から、ホームサーバ１５０２の設置されている位置情報などの提供を受けることができれば、コンテンツの利用に関する場所の管理も行うことができる。また、ＴＵＦやデータベースに付加情報の再生管理情報が付与されている場合には、得点映像などの付加情報の提供管理にも応用可能である。
【０２４９】
次に、以上のようなＭａｎａｇｅｄ  Ｃｏｐｙを本発明に応用した場合について説明する。
【０２５０】
図１７は、本発明の実施の形態３に係るシステムの概念図である。
【０２５１】
本実施の形態に係るシステムは、サーバ機器１６０２、管理サーバ１６０５、および端末機器１６０７を備える。
【０２５２】
光ディスク媒体１００のＢＣＡには、図２に示した情報に加えて、管理サーバ１６０５のＵＲＬと、ＴＵＦと、コンテンツＩＤとが記録されている。
【０２５３】
サーバ機器１６０２は、光ディスクドライブを有する。光ディスク媒体１００が光ディスクドライブに装填されると、実施の形態１での説明と同様に、サーバ機器１６０２は、ＢＣＡからメディアＩＤ（シリアル番号）を読み出す。読み出したメディアＩＤがイメージファイル記憶部４０３に登録されていない場合には、サーバ機器１６０２は、光ディスク媒体１００の記録内容を読み出し、イメージファイルを作成する。そして、サーバ機器１６０２は、読み出したメディアＩＤに関連付けて、作成したイメージファイルをイメージファイル記憶部４０３に登録する。また、イメージファイルには、光ディスク媒体１００の管理情報領域に記録されている、ＴＵＦ、コンテンツＩＤ、管理サーバのＵＲＬ情報が含まれる。
【０２５４】
なお、コンテンツ情報の複製である複製コンテンツ情報がイメージファイルではない場合にも同様に、イメージファイル記憶部４０３には、メディアＩＤに対応付けて、光ディスク媒体１００に記録されているコンテンツ情報の複製である複製コンテンツ情報、ＴＵＦ、コンテンツＩＤおよび管理サーバのＵＲＬが記憶される。
【０２５５】
また、本実施の形態では、図１６の説明と同様に光ディスク媒体１００に記録されているコンテンツ情報の利用権利をカード型媒体１６１０にムーブする形態を説明する。
【０２５６】
また、端末機器１６０７は、近接無線通信によってＩＣメモリ１０６にアクセスするための近接無線通信部４０６を備える。
【０２５７】
まず、ムーブしたい情報記録媒体である光ディスク媒体１００が端末機器１６０７の近接無線通信部４０６に近づけられる。その結果、端末機器１６０７は、光ディスク媒体１００のＩＣメモリ１０６に記録されている媒体識別情報（メディアＩＤ、シリアル番号）を読み出す。また、端末機器１６０７は、当該端末機器１６０７を操作するユーザから、コンテンツ情報の再生、またはコンテンツ情報の複製（ムーブあるいはコピーなど）に関する要求を受ける。
【０２５８】
端末機器１６０７がユーザから例えばムーブ要求を受け付けた場合には、端末機器１６０７は、近接無線通信部４０６を介して光ディスク媒体１００のＩＣメモリ１０６から読み出した媒体識別情報をサーバ機器１６０２に送信し、媒体識別情報に対応するイメージファイルを要求する。
【０２５９】
サーバ機器１６０２は、受信した媒体識別情報に対応付けられたイメージファイルをイメージファイル記憶部４０３から読み出して、端末機器１６０７に送信する。
【０２６０】
端末機器１６０７は、受信したイメージファイルを内部に持つドライブエミュレータ（仮想ドライブエミュレート部）によって展開してマウントし、イメージファイルに含まれる管理サーバＵＲＬ、コンテンツＩＤおよびＴＵＦを読み出す。
【０２６１】
次に、端末機器１６０７は、読み出した管理サーバＵＲＬに基づいて管理サーバ１６０５に接続し、光ディスク媒体１００からコンテンツ情報をムーブするためのムーブ要求をする。
【０２６２】
管理サーバ１６０５は、受信したＴＵＦ、コンテンツＩＤ、媒体識別情報（シリアル番号）に基づいて、内部に持つ管理データベース１５０６の管理内容に応じて、ムーブが可能であるかを判定する。そして、管理サーバ１６０５は、ムーブが可能である場合のみ、ムーブ先媒体のシリアル番号を端末機器１６０７に要求する。
【０２６３】
端末機器１６０７は、ムーブ先の媒体のシリアル番号の要求を受けると、近接無線通信部４０６を介して、コンテンツ利用権利の移動先であるカード型媒体１６１０のＩＣメモリに記憶されているシリアル番号（デバイスＩＤでも可）を読み出し、管理サーバ１６０５に送信する。
【０２６４】
管理サーバ１６０５は、ムーブが許可される場合には、光ディスク媒体１００をムーブ済みと登録して、カード型媒体１６１０のシリアル番号を移動先として登録し、カード型媒体１６１０用の暗号鍵を発行する。
【０２６５】
端末機器１６０７は、発行された暗号鍵でイメージファイルの内容を暗号化して、サーバ機器１６０２に送信し、サーバ機器１６０２のイメージファイル記憶部４０３に登録する。
【０２６６】
以上のように、本発明をＭａｎａｇｅｄ  Ｃｏｐｙ応用した場合には、光ディスク媒体あるいは半導体メモリなどのように大容量の記録領域をもって、その領域にコンテンツ情報を記録している情報記録媒体から、カード型媒体のように大容量の記録領域を持たない情報記録媒体に、仮想的にコンテンツをムーブ、あるいはコピーなどして利用権を移すことが可能となる。この場合、実際にコンテンツ情報が光ディスク媒体からカード型媒体に実際に移動するわけではないが、ホームサーバのイメージファイル記憶部に媒体識別情報に対応付けて記憶しているイメージファイルをカード型媒体の媒体識別情報に対応付けを更新することによって実現できる。また、Ｍａｎａｇｅｄ  Ｃｏｐｙのための管理サーバは、記録媒体から記録媒体にムーブするときと同様の処理を行うだけであり、サーバシステムを更新する必要は無い。
【０２６７】
また、上記では、カード型媒体のＩＣメモリ部に媒体識別情報を記録している形態を説明したがこれに限られない。ムーブ先のカード型媒体のための媒体識別情報を管理サーバあるいはホームサーバが発行して、端末機器が、カード型媒体のＩＣメモリに発行された媒体識別情報を記録し、サーバ装置は、発行された媒体識別情報に対応付けてイメージファイルを管理しても同様の効果を得ることが可能である。
【０２６８】
実施の形態１では、コンテンツ情報の記録されている光ディスク媒体自身を持ち出して、端末機器から利用する形態であるが、本実施の形態では、情報記録媒体より可搬性に優れるカード型媒体に仮想的にコンテンツをムーブして利用できるので、ユーザの利便性が向上する。
【０２６９】
図１８は、本発明の実施の形態３に係る端末機器における動作を示すフローチャートである。具体的には、図１８は、仮想的にコンテンツをカード型媒体にムーブさせるときの端末機器１６０７の動作を示したフローチャートである。
【０２７０】
まず、近接無線通信部４０６は、読み出し可能な媒体が存在しないかをポーリング処理を行うことにより、近接無線通信可能なＩＣメモリが検出されたか否かの判定を行う（Ｓ１７０２）。近接無線通信可能なＩＣメモリが検出されない場合は（Ｓ１７０２のＮｏ）、引き続きポーリング処理を継続して実施する。
【０２７１】
一方、近接無線通信が可能なＩＣメモリ１０６が検出された場合には（Ｓ１７０２のＹｅｓ）、端末機器１６０７は、ＩＣメモリ１０６との近接無線通信路を確立して、光ディスク媒体１００のＩＣメモリ１０６から媒体識別情報を読み出す（Ｓ１７０３）。
【０２７２】
次に、端末機器１６０７は、当該端末機器１６０７を操作するユーザからコピーやムーブの要求があるか否かの判定を行う（Ｓ１７０４）。ユーザから、コピーやムーブの要求が無い場合には（Ｓ１７０４のＮｏ）、実施の形態１で説明したイメージファイルの利用処理を実施する。
【０２７３】
一方、ユーザからムーブ／コピー要求があった場合は（Ｓ１７０４のＹｅｓ）、端末機器１６０７は、ムーブ／コピー要求のあった媒体がムーブ／コピー可能かを判定する（Ｓ１７０４）。具体的には、端末機器１６０７は、管理サーバ１６０５にムーブ／コピーが実施可能かを問い合わせることにより、ムーブ／コピー可能かを判定する。さらに具体的には、端末機器１６０７は、ＩＣメモリから読み出した媒体識別情報に基づいてサーバ機器１６０２からイメージファイルを受信し、受信したイメージファイル内に含まれるコンテンツＩＤと、ＴＵＦと、管理サーバＵＲＬとを読み出し、読み出した管理サーバＵＲＬに従って管理サーバ１６０５に接続し、ムーブ／コピーが実施可能かを問い合わせる。
【０２７４】
ムーブ／コピーが実施不可能と判定された場合には（Ｓ１７０５のＮｏ）、端末機器１６０７の表示部に、ムーブ／コピーが不可能であることをエラーとして表示し（Ｓ１７０６）、処理を終了する。
【０２７５】
一方、ムーブ／コピーが実施可能と判定された場合は（Ｓ１７０５のＹｅｓ）、端末機器１６０７は、ムーブ／コピー先の提示を要求する（Ｓ１７０７）。
【０２７６】
次に、端末機器１６０７は、ムーブ／コピー先の媒体と近接無線通信を行うためポーリングを行う（Ｓ１７０８）。
【０２７７】
次に、端末機器１６０７は、ポーリングの結果、近接無線通信可能なＩＣメモリを検出したか否かの判定を行う（Ｓ１７０９）。ここで、検出できていない場合には（Ｓ１７０９のＮｏ）、端末機器１６０７は、ポーリングを継続する。
【０２７８】
一方、検出できた場合には（Ｓ１７０９のＹｅｓ）、端末機器１６０７は、ムーブ／コピー元の媒体識別情報をサーバ機器１６０２に送信する（Ｓ１７１０）。
【０２７９】
次に、端末機器１６０７は、サーバ機器１６０２によって生成された、ムーブ／コピー先の媒体識別情報をサーバ機器１６０２から受信する（Ｓ１７１１）。
【０２８０】
次に、端末機器１６０７は、コピー元の媒体識別情報、コピー先の媒体識別情報、ＴＵＦ、コンテンツＩＤによって、管理サーバ１６０５にムーブ／コピーの登録を行う（Ｓ１７１３）。登録方法は、図１６の説明で詳細に記しているのでここでは省略する。
【０２８１】
次に、端末機器１６０７は、管理サーバ１６０５によってムーブ／コピーが許可されたか否かの判定を行う（Ｓ１７１３）。
【０２８２】
ここで、ムーブ／コピーの要求が許可されなければ（Ｓ１７１３のＮｏ）、端末機器１６０７は、その旨を示すエラーメッセージを表示部に表示して処理を終了する（Ｓ１７１４）。
【０２８３】
一方、ムーブ／コピーが許可された場合には（Ｓ１７１３のＹｅｓ）、サーバ機器１６０２によって生成された媒体識別情報を、近接無線通信部４０６を用いて、ムーブ／コピー先のカード型媒体１６１０のＩＣメモリに近接無線通信によって書き込む。
【０２８４】
以上のような手順により、端末機器１６０７は、光ディスク媒体などの大容量記録領域に記録されている内容と同等の内容であるイメージファイルをネットワークを介して利用することが可能となる。その際に、端末機器１６０７は、大容量メモリを持たないカード型媒体などを利用して、イメージファイルを利用することが可能となる。つまり、光ディスク媒体に記録されたコンテンツ情報がカード型媒体に仮想的にムーブされるので、ユーザは端末機器のリーダライタにカード型媒体をタッチするだけで、イメージファイルを端末機器にマウントして利用可能となり、ユーザの利便性が向上する。また、通常、携帯電話、あるいは軽量小型のノートＰＣなどは、光ディスクドライブを搭載しないケースが多い。このような端末機器においても、リーダライタにカード型媒体を接触させることによって、あたかも光ディスクドライブに光ディスク媒体を装填してマウントした状態と同じ環境を提供することが可能となる。つまり、本来光ディスクドライブを持っていないから利用不可能であった端末機器も、光ディスク媒体に記録されたコンテンツ情報を仮想的に再生、編集するなど、利用可能となる。
【０２８５】
図１９は、本発明の実施の形態３に係るサーバ機器の特徴的な構成を示すブロック図である。なお、図１９において、図５に示す構成要素と同様の構成要素については、同一の符号を付し、説明を省略する。
【０２８６】
図１９に示すように、サーバ機器１６０２は、実施の形態１に係るサーバ機器４０２が備える構成要素に加えて、さらに、媒体識別情報生成部１９０１を備える。また、サーバ機器１６０２は、実施の形態１に係るサーバ機器４０２が備える送信部５２１、受信部５２２またはイメージファイル記憶制御部５１５が有する機能に加えてさらに異なる機能を有する、送信部１９０２、受信部１９０３またはイメージファイル記憶制御部１９０４を備える。
【０２８７】
媒体識別情報生成部１９０１は、新たな媒体識別情報を生成する。具体的には、媒体識別情報生成部１９０１は、コンテンツ情報の再生又は複製に関する要求を端末機器１６０７から受信した場合に、新たな媒体識別情報を生成する。
【０２８８】
送信部１９０２は、媒体識別情報生成部１９０１によって生成された新たな媒体識別情報を、端末機器１６０７に送信する。
【０２８９】
受信部１９０３は、通信ネットワークを介して接続された端末機器１６０７から媒体識別情報を受信する。
【０２９０】
イメージファイル記憶制御部１９０４は、イメージファイル記憶部４０３に、受信部１９０３によって受信された媒体識別情報に対応付けて記憶されているイメージファイルを、媒体識別情報生成部１９０１によって生成された新たな媒体識別情報に対応付けて記憶する。
【０２９１】
次に、以上のように構成されたサーバ機器１６０２における各種動作について説明する。
【０２９２】
図２０は、本発明の実施の形態３に係るサーバ機器における処理の流れを示すフローチャートである。
【０２９３】
まず、サーバ機器の１６０２は、端末機器１６０７から、コンテンツ情報のコピー／ムーブ要求があるか否かを判定する（Ｓ１８０１）。要求が無い場合には（Ｓ１８０１のＮｏ）、コンテンツ情報のコピー／ムーブ要求があるか否かの判定を繰り返す。
【０２９４】
一方、要求があった場合には（Ｓ１８０１のＹｅｓ）、送信部１９０２は、ムーブ／コピー元の媒体識別情報を端末機器１６０７に要求する（Ｓ１８０２）。
【０２９５】
続いて、受信部１９０３は、端末機器１６０７から、ムーブ／コピー元の媒体識別情報を受信する（Ｓ１８０３）。
【０２９６】
イメージファイル記憶制御部１９０４は、イメージファイル記憶部４０３から、受信されたムーブ／コピー元の媒体識別情報に対応するイメージファイルを読み出す。そして、イメージファイル記憶制御部１９０４は、読み出したイメージファイルから、ＴＵＦ、管理サーバＵＲＬおよびコンテンツＩＤを読み出す。そして、イメージファイル記憶制御部１９０４は、読み出した管理サーバＵＲＬに基づいて管理サーバ１６０５に接続して、端末機器１６０７から受信した媒体識別情報、ＴＵＦおよびコンテンツＩＤをムーブ／コピー要求として管理サーバに送信する（Ｓ１８０４）。
【０２９７】
媒体識別情報生成部１９０１は、管理サーバ１６０５に送信したムーブ／コピー要求が管理サーバ１６０５によって許可されたか否かを判定する（Ｓ１８０５）。
【０２９８】
ここで、ムーブ／コピー要求が許可されない場合には（Ｓ１８０５のＮｏ）、は、送信部１９０２は、端末機器１６０７にムーブ／コピー要求が許可されない旨のエラーを送信して（Ｓ１８１０）、処理を終了する。
【０２９９】
一方、ムーブ／コピー要求が許可された場合には（Ｓ１８０５のＹｅｓ）、媒体識別情報生成部１９０１は、ムーブ／コピー先の媒体識別情報（新たな媒体識別情報）を生成する（Ｓ１８０６）。媒体識別情報生成部１９０１は、単なる乱数系列に従って新たな媒体識別情報を生成してもかまわないし、管理サーバ１６０５にて生成された媒体識別情報を受信してもかまわない。また、媒体識別情報生成部１９０１は、ムーブ／コピー元の媒体識別情報に関連付けて新たな媒体識別情報を生成してもいい。例えば、媒体識別情報生成部１９０１は、ムーブ／コピー元の媒体識別情報（親識別情報）に対して子識別情報を付加することにより、ムーブ／コピー元の媒体識別情報に関連付けて新たな媒体識別情報を生成してもよい。この場合には、管理サーバ１５０５などは、媒体識別情報のみで媒体の包含関係が判断できるので、著作権管理がしやすくなる。
【０３００】
送信部１９０２は、生成されたムーブ／コピー先の媒体識別情報を端末機器１６０７に送信する（Ｓ１８０７）。
【０３０１】
イメージファイル記憶制御部１９０４は、イメージファイル記憶部４０３から、ムーブ／コピー元の媒体識別情報に対応するイメージファイルを読み出す（Ｓ１８０８）。
【０３０２】
最後に、イメージファイル記憶制御部１９０４は、読み出したイメージファイルを、生成されたムーブ／コピー先の媒体識別情報に対応付けて、イメージファイル記憶部４０３に登録する（Ｓ１８０９）。
【０３０３】
以上のように、本実施の形態に係るサーバ機器１６０２は、光ディスク媒体あるいは半導体メモリ媒体のようにコンテンツ情報そのものを記憶可能な大容量記憶媒体から、コンテンツそのものが記録できないカード型媒体などに仮想的に、コンテンツ情報をコピーしたり、ムーブしたりすることが可能となる。そのために、サーバ機器１６０２は、媒体識別情報を持たないカード型媒体のために新たな媒体識別情報を生成する。また、サーバ機器１６０２は、生成した新たな媒体識別情報を端末機器１６０７に送信する。このように送信された媒体識別情報を受信した端末機器１６０７は、リーダライタを利用して、カード型媒体１６１０のＩＣメモリに、非接触無線通信を利用してムーブ／コピー元媒体の媒体識別情報を書き込む。サーバ機器１６０２は、受信したムーブ／コピー元の媒体識別情報に対応付けて記憶されているイメージファイルを、生成したムーブ／コピー先の媒体識別情報に対応付けて記憶する。例えば、コピーの場合には、サーバ機器１６０２は、ムーブ／コピー元の媒体識別情報に対応付けて記憶しているイメージファイルを、ムーブ／コピー元の媒体識別情報とムーブ／コピー先の媒体識別情報との両方に対応付けて記憶する。また、ムーブの場合には、サーバ機器１６０２は、ムーブ／コピー元の媒体識別情報に対応付けて記憶しているイメージファイルを、ムーブ／コピー先の媒体識別情報に対応付けるように変更する。
【０３０４】
よって、仮想的にコンテンツ情報がコピー／ムーブされたカード型媒体を端末機器１６０７のリーダライタにかざすことによって、端末機器１６０７は、コンテンツ情報を利用することができる。つまり、サーバ機器１６０２が、端末機器１６０７によって読み出された、カード型媒体のＩＣメモリ部に記憶されている媒体識別情報に対応付けられたイメージファイルを読み出して、端末機器１６０７に送信することによって、端末機器１６０７は、光ディスク媒体の記録部に記録されたコンテンツ情報を再生あるいは編集するための装置がなくても、コンテンツ情報を再生あるいは編集することができる。
【０３０５】
以上、本発明の一態様に係る情報記録媒体またはサーバ機器などについて、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０３０６】
例えば、上記実施の形態では、サーバ機器は、多くの構成要素を備えていたが、これらの構成要素をすべて備える必要はない。例えば、サーバ機器は、図２１に示すように構成されてもよい。
【０３０７】
図２１は、本発明の変形例に係るサーバ機器の構成を示すブロック図である。図２１に示すように、サーバ機器１０は、存在識別情報読み出し部１１と、コンテンツ情報読み出し部１２と、媒体識別情報読み出し部１３と、複製コンテンツ情報生成制御部１４と、複製コンテンツ情報生成部１５と、複製コンテンツ情報記憶制御部１６と、複製コンテンツ情報記憶部１７とを備える。
【０３０８】
存在識別情報読み出し部１１は、近接無線通信によってアクセス可能なＩＣメモリが情報記録媒体に搭載されているか否かを示す存在識別情報を、情報記録媒体の記録部から読み出す。
【０３０９】
コンテンツ情報読み出し部１２は、情報記録媒体の記録部からコンテンツ情報を読み出す。
【０３１０】
媒体識別情報読み出し部１３は、情報記録媒体の記録部から媒体識別情報を読み出す。
【０３１１】
複製コンテンツ情報生成制御部１４は、存在識別情報が情報記録媒体にＩＣメモリが搭載されていることを示す場合に、複製コンテンツ情報生成部１５に、複製コンテンツ情報として生成させる。逆に、複製コンテンツ情報生成制御部１４は、存在識別情報が情報記録媒体にＩＣメモリが搭載されていないことを示す場合に、複製コンテンツ情報生成部１５に複製コンテンツ情報を生成させない。
【０３１２】
複製コンテンツ情報生成部１５は、読み出されたコンテンツ情報の複製を複製コンテンツ情報として生成する。なお、複製コンテンツ情報生成部１５は、必ずしも、情報記録媒体のイメージファイルを複製コンテンツ情報として生成する必要はない。例えば、複製コンテンツ情報生成部１５は、コンテンツ情報の単なる複製を複製コンテンツ情報として生成してもよい。
【０３１３】
複製コンテンツ情報記憶制御部１６は、生成された複製コンテンツ情報を、読み出された媒体識別情報に対応付けて、複製コンテンツ情報記憶部１７に登録する。
【０３１４】
複製コンテンツ情報記憶部１７は、複製コンテンツを記憶するための記憶部である。
【０３１５】
以上の構成により、サーバ機器１０は、情報記録媒体に搭載されたＩＣメモリにアクセスする手段を有していなくても、記録部から存在識別情報を読み出すことにより、情報記録媒体にＩＣメモリが搭載されているか否かを判定することができる。したがって、サーバ機器１０は、情報記録媒体がＩＣメモリを搭載している場合のみ、複製コンテンツ情報を生成することができる。また、サーバ機器１０は、媒体識別情報に対応付けて複製コンテンツ情報を管理することによって、情報記録媒体と複製コンテンツ情報とを一元的に管理することが可能となる。
【０３１６】
また、図２１に示すサーバ機器で利用される情報記録媒体は、コンピュータ読み取り可能な記録部と近接無線通信によりアクセスされるＩＣメモリとを備える。記録部は、コンテンツ情報が記録されるためのコンテンツ記録領域と、コンテンツ情報の記録あるいは再生に係る管理情報が記録されるための管理情報領域とを有する。そして、管理情報領域には、情報記録媒体を識別するための媒体識別情報と、ＩＣメモリが情報記録媒体に備えられているか否かを示す存在識別情報とが書き換え不可能に記録されている。
【０３１７】
以上の構成により、情報記録媒体は、サーバ機器がＩＣメモリにアクセスする手段を有していない場合であっても、ＩＣメモリが搭載されている場合のみ、サーバ機器に複製コンテンツ情報を生成させることができる。
【０３１８】
また、実施の形態１〜３では、情報記録媒体が光ディスク媒体である場合について説明したが、必ずしも情報記録媒体は光ディスク媒体である必要はない。例えば、情報記録媒体は、半導体メモリ、磁器テープ媒体、または磁気ディスク媒体など、読み出し／書き込み装置と分離可能で、可搬性を有する媒体であれば、どのような媒体でも構わない。このような場合であっても、実施の形態１〜３で説明した効果と同様の効果を得ることができる。
【０３１９】
なお、本発明は、サーバ機器または端末機器として実現することができるだけでなく、このようなサーバ機器または端末機器が備える特徴的な処理部の動作をステップとする情報記録媒体の利用管理方法として実現することができる。また、このような情報記録媒体の利用管理方法に含まれる各ステップを、ＣＰＵ（Ｃｅｎｔｒａｌ  Ｐｒｏｃｅｓｓｉｎｇ  Ｕｎｉｔ）またはＩＣ（Ｉｎｔｅｇｒａｔｅｄ  Ｃｉｒｃｕｉｔ）などを備えるコンピュータに実行させるプログラムとして実現したりすることもできる。そして、そのようなプログラムは、ＣＤ−ＲＯＭ等の記録媒体あるいはインターネット等の伝送媒体を介して配信することができるのは言うまでもない。
【産業上の利用可能性】
【０３２０】
本発明は、近接無線通信可能なＩＣメモリを搭載する情報記録媒体、および、それを利用するサーバ機器として利用できる。
【符号の説明】
【０３２１】
１０、４０２、１１００、１６０２  サーバ機器
１１    存在識別情報読み出し部
１２    コンテンツ情報読み出し部
１３、５０５、９０８    媒体識別情報読み出し部
１４    複製コンテンツ情報生成制御部
１５    複製コンテンツ情報生成部
１６    複製コンテンツ情報記憶制御部
１７    複製コンテンツ情報記憶部
１００    光ディスク媒体
１０１    記録部
１０２    バースト・カッティング・エリア（ＢＣＡ）
１０３    ディスク管理情報領域
１０４    ユーザデータ領域
１０５    近接無線通信アンテナ
１０６    ＩＣメモリ
１０７    クランプ領域
２０１    タイプ識別情報
２０２    ＩＣ識別子
２０３、２０４    予備情報
２０５、３０４    デバイスＩＤ
２０６、３０６    メディアＩＤ
３０１    書き換え不可能領域
３０２    書き込み可能領域
３０３    書き換え可能領域
３０５    暗号鍵
３０７    サーバアドレス
３０８    ユーザコード
４０３、９１１    イメージファイル記憶部
４０４    広域通信網
４０５、１３００、１６０７    端末機器
４０６、１１１２    近接無線通信部
４０７    無線ＬＡＮアンテナ
４０８    アクセスポイント
５０１    光ヘッド
５０２    アナログ再生処理部
５０３    ＢＣＡ再生部
５０４    ＩＣメモリ存在識別情報判定部
５０６、９０７、１１１４    デバイス識別情報読み出し部
５０７    暗号化鍵生成部
５０８、９１８    暗号化部
５０９、１１１６    更新確認部
５１０    ファイル管理情報比較部
５１１    デジタル再生処理部
５１２    ファイル管理情報読み出し部
５１３    イメージファイル生成部
５１４    イメージファイル生成制御部
５１５、１１０９、１９０４    イメージファイル記憶制御部
５１６    イメージファイル抽出部
５１７、９１０    復号化部
５１８    媒体記録更新部
５１９    記録信号生成部
５２０    通信部
５２１、９０２、１９０２    送信部
５２２、９０１、１９０３    受信部
５２３    媒体識別情報判定部
５２４、９１７    媒体タイプ判定部
５２５    イメージファイル再生部
５２６、９１６    イメージファイル更新部
５２７    更新識別情報生成部
９０３    広域通信部
９０４    媒体識別情報送信部
９０５    イメージファイル受信部
９０６    イメージファイル送信部
９０９    媒体タイプ情報読み出し部
９１２    仮想ドライブエミュレート部
９１３    表示部
９１４    入力部
９１５    更新受付部
１１１３    更新識別情報読み出し部
１２００    第２サーバ機器
１３０１    更新識別情報書き込み部
１５０１    光ディスク
１５０２    ホームサーバ
１５０３    ハードディスク
１５０４    インターネット
１５０５、１６０５    管理サーバ
１５０６    管理データベース
１６１０    カード型媒体
１９０１    媒体識別情報生成部
【手続補正２】
【補正対象書類名】特許請求の範囲
【補正対象項目名】全文
【補正方法】変更
【補正の内容】
【特許請求の範囲】
【請求項１】
可搬型の情報記録媒体であって、
近接無線通信によってアクセス可能なＩＣメモリと、
コンピュータが読み取り可能な記録部とを備え、
前記記録部は、
コンテンツ情報が記録されるためのコンテンツ記録領域と、
前記コンテンツ情報の記録あるいは再生に係る管理情報が記録されるための管理情報領域とを有し、
前記ＩＣメモリの書き換え不可能領域には、前記ＩＣメモリを識別するためのデバイス識別情報が記録され、
前記管理情報領域には、前記ＩＣメモリを識別するための前記デバイス識別情報と、前記情報記録媒体を識別するための媒体識別情報と、前記ＩＣメモリが前記情報記録媒体に備えられていることを示す存在識別情報とが書き換え不可能に記録されている
情報記録媒体。
【請求項２】
前記情報記録媒体は、光ディスク媒体であり、
前記管理情報領域は、前記光ディスク媒体の内周部に形成される領域であって、径方向に長い記録マークで前記管理情報が書き換え不可能に記録されるバーストカッティング領域である
請求項１に記載の情報記録媒体。
【請求項３】
前記ＩＣメモリは、前記管理情報領域に記録される媒体識別情報と同じ識別情報が記録されている書き込み可能領域を有する
請求項１に記載の情報記録媒体。
【請求項４】
前記コンテンツ情報は、他の情報記録媒体に複製され、
前記ＩＣメモリは、前記他の情報記録媒体に記録されている複製されたコンテンツ情報が更新されたことを示す更新識別情報が、書き換え可能に記録される書き換え可能領域を有する
請求項１に記載の情報記録媒体。
【請求項５】
前記コンテンツ情報は、前記情報記録媒体とは異なる他の情報記録媒体に複製され、
前記ＩＣメモリは、前記他の情報記録媒体に記録されている複製されたコンテンツ情報が更新可能であるか否かを示す属性情報が書き換え可能に記録される書き換え可能領域を有する
請求項１に記載の情報記録媒体。
【請求項６】
コンピュータ読み取り可能な記録部を備える可搬型の情報記録媒体を装てんして利用するためのサーバ機器であって、
前記記録部には、コンテンツ情報が記録される少なくとも読み取り可能なコンテンツ記録領域と、前記情報記録媒体を利用するための管理情報が書き換え不可能に記録された管理情報領域とを含み、
近接無線通信によってアクセス可能なＩＣメモリが前記情報記録媒体に備えられているか否かを示す存在識別情報を前記管理情報領域から読み出す存在識別情報読み出し部と、
前記情報記録媒体を識別するための媒体識別情報を前記管理情報領域から読み出す媒体識別情報読み出し部と、
前記ＩＣメモリを識別するためのデバイス識別情報を前記管理情報領域から読み出すデバイス識別情報読み出し部と、
前記コンテンツ記録領域からコンテンツ情報を読み出すコンテンツ情報読み出し部と、
前記コンテンツ情報の複製を複製コンテンツ情報として生成する複製コンテンツ情報生成部と、
前記複製コンテンツ情報を記憶するための複製コンテンツ情報記憶部と、
生成された前記複製コンテンツ情報を、読み出された前記媒体識別情報に対応付けて前記複製コンテンツ情報記憶部に登録する複製コンテンツ情報記憶制御部と、
前記存在識別情報が前記情報記録媒体に前記ＩＣメモリが備えられていることを示している場合に、前記複製コンテンツ情報生成部に前記複製コンテンツ情報を生成させ、前記存在識別情報が前記情報記録媒体に前記ＩＣメモリが備えられていないことを示している場合に、前記複製コンテンツ情報生成部に前記複製コンテンツ情報を生成させない複製コンテンツ情報生成制御部とを備える
サーバ機器。
【請求項７】
前記複製コンテンツ情報生成部は、前記記録部に記録されたデータのイメージファイルを前記複製コンテンツ情報として生成する
請求項６に記載のサーバ機器。
【請求項８】
前記ＩＣメモリには、さらに、前記ＩＣメモリを識別するためのデバイス識別情報が書き換え不可能に記録されており、
前記デバイス識別情報読み出し部は、さらに、前記ＩＣメモリから前記デバイス識別情報を読み出し、
前記サーバ機器は、さらに、
前記複製コンテンツ情報を、前記ＩＣメモリから読み出された前記デバイス識別情報に基づいて暗号化する暗号化部を備え、
前記複製コンテンツ情報記憶制御部は、暗号化された前記複製コンテンツ情報を前記複製コンテンツ情報記憶部に登録する
請求項６に記載のサーバ機器。
【請求項９】
前記サーバ機器は、さらに、
前記複製コンテンツ情報を、前記管理情報領域から読み出された前記デバイス識別情報に基づいて暗号化する暗号化部を備え、
前記複製コンテンツ情報記憶制御部は、暗号化された前記複製コンテンツ情報を前記複製コンテンツ情報記憶部に登録する
請求項６に記載のサーバ機器。
【請求項１０】
前記サーバ機器は、さらに、
通信ネットワークを介して接続されている端末機器から、前記情報記録媒体の媒体識別情報を受信し、受信した媒体識別情報に基づいて、前記媒体識別情報に対応付けて記憶されている複製コンテンツ情報を前記複製コンテンツ情報記憶部から読み出し、読み出した複製コンテンツ情報を前記端末機器に送信する通信部を備える
請求項６に記載のサーバ機器。
【請求項１１】
前記サーバ機器は、さらに、
前記媒体識別情報読み出し部によって読み出された媒体識別情報に対応する複製コンテンツ情報が更新されているか否かを判定する更新確認部と、
前記更新確認部によって複製コンテンツ情報が更新されていると判定された場合に、前記複製コンテンツ情報記憶部に記憶されている前記複製コンテンツ情報に基づいて、前記サーバ機器に装てんされる前記情報記録媒体の記録内容を更新する媒体更新部とを備える
請求項６に記載のサーバ機器。
【請求項１２】
前記複製コンテンツ情報記憶部には、さらに、媒体識別情報に対応付けて、対応する複製コンテンツ情報が更新されているか否かを示す更新識別情報が記憶され、
前記更新確認部は、前記複製コンテンツ情報記憶部に記憶されている前記更新識別情報に基づいて、前記複製コンテンツ情報が更新されているか否かを判定する
請求項１１に記載のサーバ機器。
【請求項１３】
前記サーバ機器は、さらに、
前記複製コンテンツ情報が更新されているか否かを示す更新識別情報を前記ＩＣメモリから近接無線通信によって読み出す更新識別情報読み出し部を備え、
前記更新確認部は、読み出された更新識別情報に基づいて、前記複製コンテンツ情報が更新されているか否かを判定する
請求項１１に記載のサーバ機器。
【請求項１４】
前記複製コンテンツ情報生成部は、前記記録部に記録されたデータのイメージファイルを前記複製コンテンツ情報として生成し、
前記更新確認部は、前記サーバ機器に装てんされた情報記録媒体の記録部に記録されたファイル管理情報と、前記複製コンテンツ情報が示すファイル管理情報とを比較することにより、前記複製コンテンツ情報が更新されているか否かを判定する
請求項１１に記載のサーバ機器。
【請求項１５】
前記サーバ機器は、さらに、
通信ネットワークを介して接続された端末機器から媒体識別情報を受信する受信部と、
新たな媒体識別情報を生成する媒体識別情報生成部と、
生成された新たな媒体識別情報を、前記端末機器に送信する送信部とを備え、
前記複製コンテンツ情報記憶制御部は、前記複製コンテンツ情報記憶部に、前記受信部によって受信された媒体識別情報に対応付けて記憶されている前記複製コンテンツ情報を、前記新たな媒体識別情報に対応付けて記憶する
請求項６に記載のサーバ機器。
【請求項１６】
前記デバイス識別情報読出部は、さらに、前記ＩＣメモリから近接無線通信を介して、前記ＩＣメモリを識別するためのデバイス識別情報を読み出し、
複製コンテンツ情報記憶制御部は、前記ＩＣメモリから読み出されたデバイス識別情報と、前記媒体識別情報とを関連付けて管理する
請求項６に記載のサーバ機器。
【請求項１７】
可搬型の情報記録媒体であってコンピュータ読み取り可能な記録部を備える情報記録媒体の利用管理方法であって、
前記記録部は、コンテンツ情報が記録される少なくとも読み取り可能なコンテンツ記録領域と、前記情報記録媒体を利用するための管理情報が書き換え不可能に記録された管理情報領域とを含み、
近接無線通信によってアクセス可能なＩＣメモリが前記情報記録媒体に備えられているか否かを示す存在識別情報を前記管理情報領域から読み出す存在識別情報読み出しステップと、
前記情報記録媒体を識別するための媒体識別情報を前記管理情報領域から読み出す媒体識別情報読み出しステップと、
前記ＩＣメモリを識別するためのデバイス識別情報を前記管理情報領域から読み出すデバイス識別情報読み出しステップと、
前記コンテンツ記録領域からコンテンツ情報を読み出すコンテンツ情報読み出しステップと、
前記コンテンツ情報の複製を複製コンテンツ情報として生成する複製コンテンツ情報生成ステップと、
生成された前記複製コンテンツ情報を、読み出された前記媒体識別情報に対応付けて複製コンテンツ情報記憶部に登録する複製コンテンツ情報記憶制御ステップとを含み、
前記複製コンテンツ情報生成ステップでは、
前記存在識別情報が前記情報記録媒体に前記ＩＣメモリが備えられていることを示している場合に、前記複製コンテンツ情報を生成し、
前記存在識別情報が前記情報記録媒体に前記ＩＣメモリが備えられていないことを示している場合に、前記複製コンテンツ情報を生成しない
情報記録媒体の利用管理方法。
【手続補正３】
【補正対象書類名】図面
【補正対象項目名】全図
【補正方法】変更
【補正の内容】
【図１】
2010100918.tif 000024
【図２】
2010100918.tif 000025
【図３】
2010100918.tif 000026
【図４】
2010100918.tif 000027
【図５】
2010100918.tif 000028
【図６】
2010100918.tif 000029
【図７】
2010100918.tif 000030
【図８】
2010100918.tif 000031
【図９】
2010100918.tif 000032
【図１０】
2010100918.tif 000033
【図１１】
2010100918.tif 000034
【図１２】
2010100918.tif 000035
【図１３】
2010100918.tif 000036
【図１４】
2010100918.tif 000037
【図１５】
2010100918.tif 000038
【図１６】
2010100918.tif 000039
【図１７】
2010100918.tif 000040
【図１８】
2010100918.tif 000041
【図１９】
2010100918.tif 000042
【図２０】
2010100918.tif 000043
【図２１】
2010100918.tif 000044
【国際調査報告】
2010100918.tif 000045
2010100918.tif 000046
2010100918.tif 000047
2010100918.tif 000048